(57)【特許請求の範囲】
【請求項１】
最大直径が１〜２０ｍｍのサイズの自律神経系（ＡＮＳ）神経節を同定するためのシステムにおいて、
神経組織を含む身体部位を有する患者の生体内ボリュームをイメージングする機能的イメージングモダリティから機能的イメージングモダリティデータを受け取るモジュールであって、前記患者が放射性標識ｍＩＢＧ（メタヨードベンジルグアニジン）を含む診断用薬剤を注入されているモジュールと、
前記機能的イメージングモダリティデータに基づき前記生体内ボリュームにおいて前記神経組織の位置を決定するモジュールと、
前記神経組織の位置を決定するモジュールによって決定された位置に基づき、自律神経系シナプス及び／又は神経節の分布及び／又は活性を含むＡＮＳマップを生成するモジュールと、
を具えることを特徴とするシステム。
【請求項２】
請求項１に記載のシステムが、臓器の画像にオーバーレイされた前記マップを表示するディスプレイを具えることを特徴とするシステム。
【請求項３】
請求項１又は２に記載のシステムが、正常なシナプス分布を示す一組の分布及び／又は医学的状態若しくは疾患を示す一組の分布と前記分布を比較することにより異常なシナプス分布及び／又は活性を決定するように構成されたプロセッサを具えることを特徴とするシステム。
【請求項４】
請求項１に記載のシステムが、前記イメージングと連動して自律神経系を刺激する手段をさらに具えることを特徴とするシステム。
【請求項５】
請求項１に記載のシステムが、自律神経系に関連付けられる医学的状態又は疾患の診断及び／又はモニタリングするように構成されたプロセッサを具えることを特徴とするシステム。
【請求項６】
請求項１乃至５の何れか１項に記載のシステムが、医学的状態又は疾患の治療のガイド用のモジュールを具えることを特徴とするシステム。
【発明の詳細な説明】
【技術分野】
【０００１】
関連出願の相互参照
本願は、２０１３年１月２４日に出願された米国仮特許出願第６１／７５６，１１２号明細書、２０１３年３月１１日に出願された米国仮特許出願第６１／７７６，５９９号明細書、２０１３年３月２０日に出願された米国仮特許出願第６１／８０３，６１１号明細書、２０１３年６月６日に出願された米国仮特許出願第６１／８３１，６６４号明細書、２０１３年９月８日に出願された米国仮特許出願第６１／８７５，０６９号明細書、同第６１／８７５，０７０号明細書及び同第６１／８７５，０７４号明細書、並びに２０１４年１月１０日に出願された米国仮特許出願第６１／９２５，６６９号明細書及び同第６１／９２５，６７０号明細書の優先権の利益を主張し、これらの内容は全体として参照により本明細書に援用される。
【０００２】
本発明は、その一部の実施形態において、イメージング方法及びシステムに関し、より詳細には、限定はされないが、神経組織に親和性を有する放射性トレーサーを使用した医用イメージング方法及びシステムに関する。
【背景技術】
【０００３】
自律神経系（ＡＮＳ）は末梢神経系の一部であり、様々な生体機能、例えば、心拍数、血管運動活性、消化、呼吸、反射行動などを、通常は無意識のレベルで制御する。ＡＮＳは脳の延髄及び視床下部によって調節される。
【０００４】
ＡＮＳ機能には、求心性（感覚性）活性（内臓から中枢神経系（ＣＮＳ）へと信号を伝える）、並びに遠心性（運動性）活性（ＣＮＳから末梢へと信号を伝える）が含まれる。
【０００５】
ＡＮＳにおける遠心性活性は、典型的には２つの系統、即ち交感神経系と副交感神経系とに分けられる。これらの系統はかなりの程度まで互いに並行して作用し、多くの場合に逆の効果を有する。交感神経系統が通常即時応答の動員に関連付けられるのに対し、副交感神経系統は通常低活性と関連付けられる。
【０００６】
末梢神経系にはまた体性神経系（ＳｏＮＳ）も含まれ、これは遠心性ニューロンによって随意運動を制御するとともに、求心性ニューロンによって体表から痛み、接触及び温度のインパルスを伝導し、並びに体内から筋肉、腱及び関節感覚を伝導する。
【０００７】
ＡＮＳ及びＳｏＮＳの求心性（感覚性）ニューロンは、末梢臓器から脊髄のシナプスまで延在する。求心性ニューロンの細胞体は、脊髄の直ちに外側にある脊髄神経節に凝集している。
【０００８】
遠心性ＳｏＮＳニューロンは脊髄に位置し、神経支配を受ける筋肉の神経筋接合部にあるシナプスまで延在する。
【０００９】
求心性活性及びＳｏＮＳ遠心性活性と対照的に、ＡＮＳ遠心性神経支配は、神経節のシナプスを介して連絡する２つの逐次的遠心性ニューロンの介入によって特徴付けられる。節前ニューロンが中枢神経系から神経節に信号を送り、節後ニューロンが神経節から標的（例えば神経支配を受ける臓器）に信号を送る。
【００１０】
交感神経節は、脊椎に沿って位置する椎傍神経節と、腹部に位置して腹部臓器を神経支配する椎前神経節と、節後神経細胞がニューロンとして作用するのでなく血中にホルモンを放出する改変型の神経節である副腎の副腎髄質とを含む。
【００１１】
交感神経節と比較すると、副交感神経節は通常小さく、それが神経支配する臓器に近接して位置し、即ち節後ニューロンが比較的短い。
【００１２】
アセチルコリンは、神経節の交感神経及び副交感神経節前ニューロン、神経支配を受ける臓器のＳｏＮＳニューロン及び副交感神経節後ニューロン、並びに汗腺の交感神経節後ニューロンによってシナプスで分泌される主要な神経伝達物質である。ＡＮＳ神経節及び神経筋接合部におけるアセチルコリン受容体は典型的にはニコチン受容体であり、神経支配を受ける臓器のＡＮＳシナプスにおけるアセチルコリン受容体は典型的にはムスカリン受容体である。
【００１３】
対照的に、交感神経節後ニューロンは、概してアドレナリン作動性神経伝達物質、主としてノルエピネフリン（ノルアドレナリン）を分泌する。
【００１４】
交感神経系と副交感神経系とは完全に分かれているわけではない。例えば、心臓神経節は、典型的には副交感神経系の一部と見なされるが、交感神経ニューロンのアドレナリン作動性シナプス（これは副交感神経節後ニューロンに入力を提供する）も含み、副交感神経節後ニューロンに対する同様の交感神経入力が骨盤椎前神経節で起こる［Ｓｍｉｔｈ，Ａｍ  Ｊ  Ｐｈｙｓｉｏｌ  １９９９，２７６：Ｒ４５５−Ｒ４６７；Ａｒｏｒａ  ｅｔ  ａｌ．，Ａｎａｔ  Ｒｅｃ  Ａ  Ｄｉｓｃｏｖ  Ｍｏｌ  Ｃｅｌｌ  Ｅｖｏｌ  Ｂｉｏｌ  ２００３，２７１：２４９−２５８］。
【００１５】
心房細動には交感神経刺激及び副交感神経刺激の両方が関与すると見られ、従って心房細動は、心房への自律的信号伝達を中断させることを目的とするアブレーション又は外科手術によって治療され得る。肺静脈周囲のニューロン、及び隣接する心臓神経節神経叢は、アブレーション及び／又は外科手術の有効な標的であることが報告されている［Ａｒｏｒａ，Ｃｉｒｃ  Ａｒｒｈｙｔｈｍ  Ｅｌｅｃｔｒｏｐｈｙｓｉｏｌ  ２０１２，５：８５０−８５９；Ｔａｎ  ｅｔ  ａｌ．，Ｈｅａｒｔ  Ｒｈｙｔｈｍ  ２００７，４：Ｓ５７−Ｓ６０］。
【００１６】
内臓器官の画像を得るため種々の医用イメージング技法が利用可能である。Ｘ線コンピュータ断層撮影法（ＣＴ）、磁気共鳴画像法（ＭＲＩ）、及び超音波スキャンなどの技法は外部照射源を利用する；一方、陽電子放出型断層撮影法（ＰＥＴ）及び単一光子放出型コンピュータ断層撮影法（ＳＰＥＣＴ）などの技法は、体内の放射性トレーサーから放出される核放射線を利用する。
【００１７】
かかる技法では、三次元情報を提供する形でデータが入手され、従ってそれらのデータを処理することによりボリューム画像を生成し得る。コンピュータ断層撮影によるボリューム画像の生成には、複数方向からの軌道上の検出器が使用され得る。ＰＥＴ及びＳＰＥＣＴは、特定の方向からの放射線のみを検出器に到達させるコリメータを使用する。典型的には、このコリメータは、鉛又はタングステンなどの高密度の高原子番号材料に多数の小さい孔が設けられた構成で作られる。放射線は、孔と平行な方向に進む場合は孔を通過し得るが、別の方向に進む場合にはコリメータ材料に吸収される傾向があり得る。
【００１８】
放射性トレーサーは、特定の組織型又は組織活性の選択的なイメージングを可能にするように選択され得る。
【００１９】
Ｌａｎｇｅｒ＆Ｈａｌｄｉｎ［Ｅｕｒ  Ｊ  Ｎｕｃｌ  Ｍｅｄ  ２００２，２９：４１６−４３４］は、アドレナリン作動性シナプスをイメージングするためのカテコールアミン及びカテコールアミン類似体、例えばｍＩＢＧ（ｍ−ヨードベンジルグアニジン）及びｍ−ヒドロキシエフェドリン、並びにコリン作動性シナプスをイメージングするためのベサミコール誘導体を含め、心臓神経系のマッピング用ＰＥＴ及びＳＰＥＣＴ放射性トレーサーについて記載している。
【００２０】
ＳＰＥＣＴにより決定するときの心臓におけるｍＩＢＧ取込み率及び流失（ｗａｓｈｏｕｔ）率が、アブレーション療法後の心房細動の再発を含め、心房細動を予測することが報告されている［Ａｒｏｒａ，Ｃｉｒｃ  Ａｒｒｈｙｔｈｍ  Ｅｌｅｃｔｒｏｐｈｙｓｉｏｌ  ２０１２，５：８５０−８５９］。ｍＩＢＧ  ＳＰＥＣＴ画像は［Ｃ−１１］ヒドロキシエフェドリンＰＥＴ画像と比較して空間分解能が低く、しかし［Ｃ−１１］ヒドロキシエフェドリンＰＥＴ画像は入手が難しく、且つ臨床試験が不足しているためその臨床的意義がそれほど明らかでない［Ｍａｔｓｕｎａｒｉ  ｅｔ  ａｌ．，Ｃｉｒｃ  Ｃａｒｄｉｏｖａｓｃ  Ｉｍａｇｉｎｇ  ２０１０，３：５９５−６０３］。
【００２１】
Ｒｏｓｓ＆Ｓｅｉｂｙｌ［Ｊ  Ｎｕｃｌ  Ｍｅｄ  Ｔｅｃｈ  ２００４，３２：２０９−２１４］は、神経受容体のＳＰＥＣＴイメージング用の様々なヨウ素−１２３標識リガンドについて記載している。
【００２２】
さらなる技術として、Ｖａｌｌａｂｈａｊｏｓｕｌａ＆Ｎｉｋｏｌｏｐｏｕｌｏｕ［Ｓｅｍｉｎ  Ｎｕｃｌ  Ｍｅｄ  ２０１１，４１：３２４−３３］、米国特許出願公開第２０１０／０２２１１８２号明細書及び米国特許第６，２１１，３６０号明細書、同第６，２１１，３６０号明細書、同第６，３５８，４９２号明細書、同第５，０７７，０３５号明細書及び同第５，７８９，４２０号明細書が挙げられる。
【発明の概要】
【００２３】
本発明の一部の実施形態のある態様によれば、対象における自律神経系の少なくとも１つのシナプス中心をイメージングするためのイメージング方法が提供され、本方法は、自律神経系のシナプスに選択的に結合する放射性トレーサーを対象に投与するステップと；放射性トレーサーの体内分布を表すデータを入手するため放射性トレーサーの放射線放出を測定するステップであって、それにより体内の放射性トレーサーをイメージングするステップとを含み、本方法はさらに、放射性トレーサーが高濃度を呈する少なくとも１つの領域を同定するためデータを分析するステップであって、それにより少なくとも１つのシナプス中心をイメージングするステップを含む。
【００２４】
本明細書に記載される実施形態のいずれか１つの一部によれば、イメージングは三次元イメージングを含む。
【００２５】
本明細書に記載される実施形態のいずれか１つの一部によれば、領域は２０ｍｍ以下の直径を有する。
【００２６】
本明細書に記載される実施形態のいずれか１つの一部によれば、シナプス中心は、自律神経節及び自律神経節神経叢からなる群から選択される。
【００２７】
本明細書に記載される実施形態のいずれか１つの一部によれば、本方法は、少なくとも１つのシナプス中心におけるニューロン活性を評価するステップをさらに含む。
【００２８】
本明細書に記載される実施形態のいずれか１つの一部によれば、本方法は、自律神経系のシナプスの分布及び／又はニューロン活性を示すマップであって、少なくとも１つのシナプス中心を含むマップを生成するステップをさらに含む。
【００２９】
本明細書に記載される実施形態のいずれか１つの一部によれば、本方法は、分布及び／又はニューロン活性を解剖学的マップにオーバーレイするステップをさらに含む。
【００３０】
本明細書に記載される実施形態のいずれか１つの一部によれば、解剖学的マップは、少なくとも１つの臓器の少なくとも一部分の画像を含む。
【００３１】
本明細書に記載される実施形態のいずれか１つの一部によれば、本方法は、対象の体の少なくとも一部分の画像を入手するステップと、その画像を使用して解剖学的マップを生成するステップとをさらに含む。
【００３２】
本明細書に記載される実施形態のいずれか１つの一部によれば、体の少なくとも一部分の画像は、陽電子放出型断層撮影（ＰＥＴ）モダリティ、コンピュータ断層撮影（ＣＴ）モダリティ、磁気共鳴画像（ＭＲＩ）モダリティ及び超音波モダリティからなる群から選択されるイメージングモダリティを使用して入手される。
【００３３】
本明細書に記載される実施形態のいずれか１つの一部によれば、分析するステップは、対象の体のある領域の解剖学的画像を再構成するステップであって、領域が少なくとも１つの体内部位の一部分を含むステップと；少なくとも１つの体内部位の寸法に対応する少なくとも１つの画像マスクが生成されるように解剖学的画像を処理するステップと；少なくとも１つのシナプス中心を描出する画像の再構成をガイドするため、少なくとも１つの生成された画像マスクを放射性トレーサーの体内分布を表すデータと相関付けるステップとを含む。
【００３４】
本明細書に記載される実施形態のいずれか１つの一部によれば、少なくとも１つの画像マスクは、少なくとも１つの体内部位の範囲内にある及び／又はそれに近接しているシナプス中心の位置を定義するテンプレートに基づき生成される。
【００３５】
本明細書に記載される実施形態のいずれか１つの一部によれば、本方法は、解剖学的領域の解剖学的データに基づきシナプス中心を含まない解剖学的領域から放射性トレーサーの存在を表すデータを除去するステップをさらに含む。
【００３６】
本明細書に記載される実施形態のいずれか１つの一部によれば、本方法は、少なくとも１つの所定の規則に基づき少なくとも１つの生成された画像マスクの範囲内に少なくとも１つのシナプス中心を同定するステップをさらに含み、少なくとも１つの所定の規則は、所定の閾値を上回る放射性トレーサーの放射線放出を含む。
【００３７】
本明細書に記載される実施形態のいずれか１つの一部によれば、相関付けるステップは、放射性トレーサーの体内分布を表すデータに従い放射性トレーサーが高濃度を呈する領域と対応するように少なくとも１つの画像マスクを位置決めするステップを含む。
【００３８】
本明細書に記載される実施形態のいずれか１つの一部によれば、本方法は、データをシナプス分布及び／又はニューロン活性の参照データセットと比較するステップをさらに含む。
【００３９】
本明細書に記載される実施形態のいずれか１つの一部によれば、参照データセットは、正常なシナプス分布及び／又はニューロン活性を示すものである。
【００４０】
本明細書に記載される実施形態のいずれか１つの一部によれば、参照データセットは、異常なシナプス分布及び／又はニューロン活性によって特徴付けられる疾患又は障害を示すものである。
【００４１】
本明細書に記載される実施形態のいずれか１つの一部によれば、本方法は、異常な自律神経系活性と関連付けられる疾患又は障害をイメージングに基づき診断するステップをさらに含む。
【００４２】
本明細書に記載される実施形態のいずれか１つの一部によれば、本方法は、イメージングと連動してニューロン活性を刺激するステップと、刺激に基づき少なくとも１つのシナプス中心を特徴付けるステップとをさらに含む。
【００４３】
本明細書に記載される実施形態のいずれか１つの一部によれば、本方法は、複数の時点でイメージングを実施するステップと、種々の時点における分布及び／又はニューロン活性を特徴付けるステップとを含む。
【００４４】
本明細書に記載される実施形態のいずれか１つの一部によれば、複数の時点に治療前及び治療後の時点が含まれ、本方法は、治療が自律神経系活性に及ぼす効果を評価するステップをさらに含む。
【００４５】
本明細書に記載される実施形態のいずれか１つの一部によれば、本方法は、体の少なくとも１つの領域における放射性トレーサーの濃度の変化率を特徴付けるステップをさらに含む。
【００４６】
本明細書に記載される実施形態のいずれか１つの一部によれば、放射性トレーサーの流失率との相関に従いシナプス中心における活性が決定される。
【００４７】
本明細書に記載される実施形態のいずれか１つの一部によれば、本方法は、少なくとも１つのシナプス中心のイメージングに基づき治療をガイドするステップをさらに含む。
【００４８】
本明細書に記載される実施形態のいずれか１つの一部によれば、治療は、本方法によりイメージングされた少なくとも１つのシナプス中心におけるニューロン活性を調節するステップを含む。
【００４９】
本明細書に記載される実施形態のいずれか１つの一部によれば、調節するステップは、シナプス中心のアブレーションを含む。
【００５０】
本明細書に記載される実施形態のいずれか１つの一部によれば、シナプス中心は、心臓神経節神経叢、骨盤神経叢及び腹腔神経節からなる群から選択される。
【００５１】
本明細書に記載される実施形態のいずれか１つの一部によれば、本方法は、自律神経系のシナプスに選択的に結合する第１の放射性トレーサーを投与し及びイメージングするステップと、さらに、少なくとも１つのさらなる放射性トレーサーを投与し及びイメージングするステップとを含み、第１の放射性トレーサーと少なくとも１つのさらなる放射性トレーサーの各々とは放射性同位体が互いに異なる。
【００５２】
本明細書に記載される実施形態のいずれか１つの一部によれば、少なくとも１つのさらなる放射性トレーサーは自律神経系のシナプスに選択的に結合する。
【００５３】
本明細書に記載される実施形態のいずれか１つの一部によれば、第１の放射性トレーサーは、少なくとも１つのさらなる放射性トレーサーが選択的に結合するシナプスと異なるシナプスに選択的に結合する。
【００５４】
本明細書に記載される実施形態のいずれか１つの一部によれば、少なくとも１つのさらなる放射性トレーサーはシナプスに選択的に結合しない。
【００５５】
本発明の一部の実施形態のある態様によれば、必要とする対象における異常な自律神経系活性と関連付けられる疾患又は障害を治療する方法が提供され、本方法は、必要とする対象における疾患又は障害と関連付けられる自律神経系の少なくとも１つのシナプス中心を、本明細書に記載される方法のいずれか１つによりイメージングするステップと、イメージングに基づき疾患又は障害を治療するステップとを含む。
【００５６】
本明細書に記載される実施形態のいずれか１つの一部によれば、治療するステップは、イメージングによりイメージングされた少なくとも１つのシナプス中心におけるニューロン活性を調節するステップを含む。
【００５７】
本明細書に記載される実施形態のいずれか１つの一部によれば、疾患又は障害は、心不整脈、前立腺肥大症、自己免疫疾患又は障害、糖尿病、ストレス、勃起不全、過敏性腸症候群、甲状腺中毒症、高血圧症、肥大型心筋症、慢性閉塞性肺疾患、失神、甲状腺活性低下症、特発性心不全、喘息、沈着症、病的体重増加、斜頸（ｔｏｒｔｏｃｏｌｉｓ）、特発性拡張型心筋症、右室流出路起源頻拍、ブルガダ症候群、ファロー四徴症、閉塞性肥大型心筋症、睡眠時無呼吸、肝代謝異常、多汗症、唾液分泌過剰及び流涙過剰からなる群から選択される。
【００５８】
本発明の一部の実施形態のある態様によれば、対象における正常な自律神経系活性又は異常な自律神経系活性を決定する方法が提供され、本方法は、自律神経系のシナプスに選択的に結合する第１の放射性トレーサーを投与するステップ、及び自律神経系の少なくとも１つのシナプス中心を、請求項２４に記載の方法によりイメージングするステップであって、それにより第１の放射性トレーサーの体内分布を表すデータを入手するステップと；少なくとも１つのさらなる放射性トレーサーを投与するステップ、及び対象の体の少なくとも一部分における少なくとも１つのさらなる放射性トレーサーをイメージングするステップであって、それにより少なくとも１つのさらなる放射性トレーサーの体内分布を表すデータを入手するステップとを含み、ここでは第１の放射性トレーサーの体内分布を表すデータと少なくとも１つのさらなる放射性トレーサーの体内分布を表すデータとの組み合わせが、自律神経系における正常な又は異常なシナプス分布及び／又はニューロン活性を示す。
【００５９】
本明細書に記載される実施形態のいずれか１つの一部によれば、少なくとも１つのさらなる放射性トレーサーは、第１の放射性トレーサーが選択的に結合するシナプスと異なる自律神経系のシナプスに選択的に結合する。
【００６０】
本明細書に記載される実施形態のいずれか１つの一部によれば、放射性トレーサーの分布の組み合わせが、交感神経系活性と副交感神経系活性との間の正常な又は異常な平衡を示す。
【００６１】
本明細書に記載される実施形態のいずれか１つの一部によれば、少なくとも１つのさらなる放射性トレーサーのうちの少なくとも１つはシナプスに選択的に結合せず、及び放射性トレーサーの分布の組み合わせが、シナプスに選択的に結合しないさらなる放射性トレーサーによって示される組織分布及び／又は活性との対比で正常な又は異常なシナプス分布及び／又はニューロン活性を示す。
【００６２】
本明細書に記載される実施形態のいずれか１つの一部によれば、異常な自律神経系活性は、心不整脈、前立腺肥大症、自己免疫疾患又は障害、糖尿病、ストレス、勃起不全、過敏性腸症候群、甲状腺中毒症、高血圧症、肥大型心筋症、慢性閉塞性肺疾患、失神、甲状腺活性低下症、特発性心不全、喘息、沈着症、病的体重増加、斜頸（ｔｏｒｔｏｃｏｌｉｓ）、特発性拡張型心筋症、右室流出路起源頻拍、ブルガダ症候群、ファロー四徴症、閉塞性肥大型心筋症、睡眠時無呼吸、喘息、肝代謝異常、多汗症、唾液分泌過剰及び流涙過剰からなる群から選択される疾患又は障害と関連付けられる。
【００６３】
本明細書に記載される実施形態のいずれか１つの一部によれば、シナプス中心はアドレナリン作動性活性によって特徴付けられる。
【００６４】
本明細書に記載される実施形態のいずれか１つの一部によれば、放射性トレーサーは一般式Ｉ：
0006682273.tif 000002
又はその薬学的に許容可能な塩（式中、Ｒ１は、水素及びアルキルからなる群から選択され；及びＲ２〜Ｒ８は、各々、水素、アルキル、ヒドロキシ、アルコキシ及びハロからなる群から独立して選択される）を有する。
【００６５】
本明細書に記載される実施形態のいずれか１つの一部によれば、放射性トレーサーは、一般式ＩＩ：
Ａ−Ｂ−Ｄ−Ｅ
式ＩＩ
又はその薬学的に許容可能な塩（式中、Ａは、各々置換又は非置換の、アリール及びヘテロアリールからなる群から選択され；Ｂは、Ｏ、Ｓ、ＮＲ１０からなる群から選択されるか又は存在せず；Ｄは、アルキル、シクロアルキル、ヘテロ脂環式化合物、アリール及びヘテロアリールからなる群から選択され；及びＥは−ＮＲ１１−Ｃ（＝ＮＨ）ＮＨ２であり、式中、Ｒ１１は、水素、アルキル、シクロアルキル、ヘテロ脂環式化合物（ｈｅｔｅｒｏａｃｌｉｃｙｃｌｉｃ）、アリール及びヘテロアリールからなる群から選択されるか、或いは、Ｒ１１及びＲ１０は一体に結合して、Ｂ、Ｄ及びＮＲ１１を含むヘテロ脂環式環又はヘテロアリール環を形成する）を有する。
【００６６】
本明細書に記載される実施形態のいずれか１つの一部によれば、放射性トレーサーは、ノルエピネフリントランスポーター（ＮＥＴ）リガンド、小胞モノアミントランスポーター（ＶＭＡＴ）リガンド、ノルエピネフリン受容体作動薬、ノルエピネフリン受容体拮抗薬及びノルエピネフリン再取込み阻害薬からなる群から選択される。
【００６７】
本明細書に記載される実施形態のいずれか１つの一部によれば、シナプス中心はコリン作動性活性によって特徴付けられる。
【００６８】
本明細書に記載される実施形態のいずれか１つの一部によれば、コリン作動性活性はニコチン性コリン作動性活性を含む。
【００６９】
本明細書に記載される実施形態のいずれか１つの一部によれば、コリン作動性活性はムスカリン性コリン作動性活性を含む。
【００７０】
本明細書に記載される実施形態のいずれか１つの一部によれば、放射性トレーサーは、一般式ＩＩＩ：
0006682273.tif 000003
又はその薬学的に許容可能な塩（式中、Ｘ及びＹは各々独立してＮ又はＣＨであり、且つ破線が飽和結合を表すか、或いは、Ｘ及びＹは各々Ｃであり、且つ破線が不飽和結合を表し；及びＲ３０及びＲ３１は、各々、水素、及び置換又は非置換フェニル、ベンジル又はベンゾイルからなる群から独立して選択されるか、或いは、Ｒ３０及びＲ３１が一緒になって置換又は非置換フェニル環を形成する）を有する。
【００７１】
本明細書に記載される実施形態のいずれか１つの一部によれば、放射性トレーサーは、一般式ＩＶ：
0006682273.tif 000004
又はその薬学的に許容可能な塩（式中、Ｒ４１〜Ｒ４６は、各々独立して置換又は非置換アルキルであるか、或いは、Ｒ４１〜Ｒ４３のうちのいずれか２つ及び／又はＲ４４〜Ｒ４６のうちのいずれか２つが一緒になって３員、４員、５員、又は６員置換又は非置換ヘテロアリール環又はヘテロ脂環式環を形成し；及びＬは、２〜１０原子長の置換又は非置換炭化水素鎖である）を有する。
【００７２】
本明細書に記載される実施形態のいずれか１つの一部によれば、放射性トレーサーは、一般式Ｖ：
Ｇ−Ｊ−Ｋ
式Ｖ
又はその薬学的に許容可能な塩（式中、Ｇは置換又は非置換フェニル又はピリジニル部分であり；Ｊは存在しないか、又はＯ、Ｓ、−Ｏ−アルキル−、−Ｓ−アルキル、−アルキル−Ｏ−及びアルキル−Ｓ−からなる群から選択され；及びＫは、少なくとも１つの窒素原子を含む置換又は非置換ヘテロ脂環式環である）を有する。
【００７３】
本明細書に記載される実施形態のいずれか１つの一部によれば、放射性トレーサーは、ニコチン性アセチルコリン受容体作動薬及びニコチン性アセチルコリン受容体拮抗薬からなる群から選択される。
【００７４】
本明細書に記載される実施形態のいずれか１つの一部によれば、放射性トレーサーは、ムスカリン性アセチルコリン受容体作動薬及びムスカリン性アセチルコリン受容体拮抗薬からなる群から選択される。
【００７５】
本発明の一部の実施形態のある態様によれば、本明細書に記載される方法のいずれか１つ、及びそれらの実施形態のいずれか１つにおいて使用される診断用薬剤の製造における、自律神経系のシナプスに選択的に結合する放射性トレーサーの使用が提供される。
【００７６】
本発明の一部の実施形態のある態様によれば、本明細書に記載されるとおりの方法のいずれか１つ、及びそれらの実施形態のいずれか１つにおいて使用される、自律神経系のシナプスに選択的に結合する放射性トレーサーが提供される。
【００７７】
本発明の一部の実施形態のある態様によれば、対象における正常な自律神経系活性又は異常な自律神経系活性を決定する方法において使用される診断用薬剤の製造における、自律神経系のシナプスに選択的に結合する放射性トレーサーの使用が提供され、ここで放射性トレーサーは少なくとも１つのさらなる放射性トレーサーと組み合わせて使用されるものであり、ここでは自律神経系のシナプスに選択的に結合する放射性トレーサーによって得られるデータが自律神経系の少なくとも１つのシナプスの分布及び／又はニューロン活性を表し、及び少なくとも１つのさらなる放射性トレーサーによって得られるデータが、少なくとも１つのシナプスの分布及び／又はニューロン活性と異なる分布及び／又は活性を表す。
【００７８】
本発明の一部の実施形態のある態様によれば、対象における正常な自律神経系活性又は異常な自律神経系活性を決定することにおいて使用される、自律神経系のシナプスに選択的に結合する放射性トレーサーが提供され、ここで放射性トレーサーは、少なくとも１つのさらなる放射性トレーサーと組み合わせて使用されるものであり、ここでは第１のデータが自律神経系のシナプスに選択的に結合する放射性トレーサーによって得られ、且つ自律神経系の少なくとも１つのシナプスの分布及び／又はニューロン活性を表し、及び少なくとも１つのさらなる放射性トレーサーによって得られる少なくとも第２のデータが、第１のデータと異なる分布及び／又は活性を表す。
【００７９】
本明細書に記載される実施形態のいずれか１つの一部によれば、少なくとも１つのさらなる放射性トレーサーは自律神経系のシナプスに選択的に結合する。
【００８０】
本明細書に記載される実施形態のいずれか１つの一部によれば、放射性トレーサーの放射性同位元素と少なくとも１つのさらなる放射性トレーサーの放射性同位元素とは互いに異なる。
【００８１】
本明細書に記載される実施形態のいずれか１つの一部によれば、少なくとも第２のデータは、第１のデータのシナプスの活性のタイプと異なるシナプスのタイプ又は活性を表す。
【００８２】
本明細書に記載される実施形態のいずれか１つの一部によれば、少なくとも１つのさらなる放射性トレーサーはシナプスに選択的に結合しない。
【００８３】
本明細書に記載される実施形態のいずれか１つの一部によれば、第１のデータと少なくとも第２のデータとの組み合わせが、シナプスに選択的に結合しないさらなる放射性トレーサーによって示される組織分布及び／又は活性との対比で正常な又は異常なシナプス分布及び／又はニューロン活性を示す。
【００８４】
本発明の一部の実施形態のある態様によれば、対象における正常な自律神経系活性又は異常な自律神経系活性を決定するためのキットが提供され、本キットは、自律神経系のシナプスに選択的に結合する第１の放射性トレーサーと少なくとも１つのさらなる放射性トレーサーとを含み、ここで自律神経系のシナプスに選択的に結合する放射性トレーサーは、自律神経系の少なくとも１つのシナプスの分布及び／又はニューロン活性を表す第１のデータを入手するのに有用であり、及び少なくとも１つのさらなる放射性トレーサーは、第１のデータと異なる分布及び／又は活性を表すデータを入手するのに有用である。
【００８５】
本明細書に記載される実施形態のいずれか１つの一部によれば、少なくとも１つのさらなる放射性トレーサーは自律神経系のシナプスに選択的に結合する。
【００８６】
本明細書に記載される実施形態のいずれか１つの一部によれば、放射性トレーサーの放射性同位元素と少なくとも１つのさらなる放射性トレーサーの放射性同位元素とは互いに異なる。
【００８７】
本明細書に記載される実施形態のいずれか１つの一部によれば、少なくとも第２のデータは、第１のデータのシナプスの活性のタイプと異なるシナプスのタイプ又は活性を表す。
【００８８】
本明細書に記載される実施形態のいずれか１つの一部によれば、本キットは、交感神経系活性と副交感神経系活性との間の正常な又は異常な相関を決定するものである。
【００８９】
本明細書に記載される実施形態のいずれか１つの一部によれば、少なくとも１つのさらなる放射性トレーサーはシナプスに選択的に結合しない。
【００９０】
本明細書に記載される実施形態のいずれか１つの一部によれば、第１のデータと少なくとも第２のデータとの組み合わせが、シナプスに選択的に結合しないさらなる放射性トレーサーによって示される組織分布及び／又は活性との対比で正常な又は異常なシナプス分布及び／又はニューロン活性を示す。
【００９１】
本明細書に記載される実施形態のいずれか１つの一部によれば、本キットは、シナプス活性の神経支配を受ける組織の活性との対比で正常な又は異常なシナプス活性を決定するものである。
【００９２】
本明細書に記載される実施形態のいずれか１つの一部によれば、放射性トレーサーはキット内で個別に包装される。
【００９３】
本明細書に記載される実施形態のいずれか１つの一部によれば、自律神経系におけるシナプスに選択的に結合する放射性トレーサーはｍＩＢＧである。
【００９４】
本発明の一部の実施形態のある態様によれば、最大直径が１〜２０ｍｍのサイズの自律神経系神経節を同定するイメージング方法において使用される、放射性標識ｍＩＢＧ（メタヨードベンジルグアニジン）が提供される。
【００９５】
本明細書に記載される実施形態のいずれか１つの一部によれば、本イメージング方法は、自律神経系シナプス及び／又は神経節の分布及び／又は活性をマッピングするために使用される。
【００９６】
本明細書に記載される実施形態のいずれか１つの一部によれば、本イメージング方法は、自律神経系シナプス及び／又は神経節の分布及び／又は活性のマップを表示するために使用される。
【００９７】
本明細書に記載される実施形態のいずれか１つの一部によれば、本方法は、臓器の画像にマップをオーバーレイするステップをさらに含む。
【００９８】
本明細書に記載される実施形態のいずれか１つの一部によれば、本イメージング方法は、その分布を、正常なシナプス分布を示す一組の分布及び／又は医学的状態若しくは疾患を示す一組の分布と比較することにより異常なシナプス分布及び／又は活性を決定するステップをさらに含む。
【００９９】
本明細書に記載される実施形態のいずれか１つの一部によれば、本イメージング方法は、イメージングと連動して自律神経系を刺激するステップをさらに含む。
【０１００】
本明細書に記載される実施形態のいずれか１つの一部によれば、本イメージング方法は、自律神経系に関連付けられる医学的状態又は疾患の診断及び／又はモニタリングに使用される。
【０１０１】
本発明の一部の実施形態のある態様によれば、自律神経系に関連付けられる医学的状態又は疾患を診断及び／又はモニタする方法において使用される、放射性標識ｍＩＢＧ（メタヨードベンジルグアニジン）が提供される。
【０１０２】
本明細書に記載される実施形態のいずれか１つの一部によれば、本方法は、２つのイメージングセッション間における神経組織の変化を同定するステップを含む。
【０１０３】
本明細書に記載される実施形態のいずれか１つの一部によれば、医学的状態又は疾患の治療は２つのイメージングセッションの間に行われる。
【０１０４】
本明細書に記載される実施形態のいずれか１つの一部によれば、本イメージング方法は、医学的状態又は疾患の治療のガイドにおいて使用されるものである。
【０１０５】
本発明の一部の実施形態のある態様によれば、自律神経系に関連付けられる医学的状態又は疾患の治療をガイドする方法において使用される、放射性標識ｍＩＢＧ（メタヨードベンジルグアニジン）が提供される。
【０１０６】
本明細書に記載される実施形態のいずれか１つの一部によれば、医学的状態又は疾患は、自律神経系の入力又は介入によって引き起こされ、増悪し又は持続する。
【０１０７】
本明細書に記載される実施形態のいずれか１つの一部によれば、医学的状態又は疾患は、高血圧症、心不整脈、糖尿病、ストレス及び過敏性腸症候群からなる群から選択される。
【０１０８】
本発明の一部の実施形態のある態様によれば、少なくとも１つの神経節叢（ＧＰ）を含む神経組織の位置を決定するイメージング方法において使用される、放射性標識ｍＩＢＧ（メタヨードベンジルグアニジン）が提供される。
【０１０９】
本明細書に記載される実施形態のいずれか１つの一部によれば、本イメージング方法は、神経支配を受ける組織を同定するために使用され、本方法は、組織からの放射線放出データを収集するステップと、臓器の構造のモデルに従いデータを空間的位置に割り当てるステップと、臓器に関連するデータに基づき神経組織シナプス及び／又は神経支配を同定するステップとを含む。
【０１１０】
本明細書に記載される実施形態のいずれか１つの一部によれば、神経組織の位置を決定するステップは、イメージングデータと解剖学的データとの組み合わせに従い実施される。
【０１１１】
本明細書に記載される実施形態のいずれか１つの一部によれば、解剖学的データは、陽電子放出型断層撮影（ＰＥＴ）モダリティ、コンピュータ断層撮影（ＣＴ）モダリティ、磁気共鳴画像（ＭＲＩ）モダリティ、及び超音波モダリティからなる群から選択されるイメージングモダリティにより生成される。
【０１１２】
本明細書に記載される実施形態のいずれか１つの一部によれば、神経組織の位置を決定するステップは、臓器による放射性標識ｍＩＢＧの参照取込み率を表す参照値との一致に従い生体内エリア又はボリュームにおける神経組織を含む少なくとも１つの目的の領域（ＲＯＩ）を同定するステップを含む。
【０１１３】
本明細書に記載される実施形態のいずれか１つの一部によれば、神経組織の位置を決定するステップは、生体内エリアにおける神経組織を含む部分領域を医学的治療の標的として標的化するために使用される。
【０１１４】
本明細書に記載される実施形態のいずれか１つの一部によれば、医学的治療は、少なくとも１つの神経節叢のアブレーションである。
【０１１５】
本発明の一部の実施形態のある態様によれば、患者の少なくとも１つの神経節神経叢を含む標的神経組織における治療手技をガイドするイメージング方法において使用される放射性標識ｍＩＢＧ（メタヨードベンジルグアニジン）が提供される。
【０１１６】
本明細書に記載される実施形態のいずれか１つの一部によれば、本イメージング方法は、患者における標的神経組織を含む生体内ボリュームの放射性イメージングデータを入手するステップと、生体内ボリュームにおける生体内治療プローブの位置を取得するステップと、治療手技の間に放射性イメージングデータ及び生体内治療プローブ位置を操作者に提示するステップとを含む。
【０１１７】
本発明の一部の実施形態のある態様によれば、記載されるとおりのイメージング方法のいずれか１つを、それらの実施形態のいずれか１つを含め、制御するように構成された核イメージング装置が提供される。
【０１１８】
特に定義しない限り、本明細書で使用される全ての技術用語及び／又は科学用語は、本発明が関係する技術分野の当業者が一般に理解するのと同じ意味を有する。本発明の実施形態の実施又は試験においては、本明細書に記載されるものと同様の又は均等な方法及び材料を使用し得るが、例示的な方法及び／又は材料を以下に記載する。矛盾が生じた場合、定義を含め、本特許明細書が優先する。加えて、材料、方法、及び例はあくまでも説明上のものに過ぎず、必ずしも限定することを意図するものではない。
【０１１９】
本発明の実施形態の方法及び／又はシステムの実装は、選択された作業を手動で、自動で、又はそれらの組み合わせで実施又は遂行することを伴い得る。さらに、本発明の方法及び／又はシステムの実施形態の実際の計装及び設備に従い、いくつかの選択された作業が、ハードウェアによるか、ソフトウェアによるか又はファームウェアによるか又はそれらの組み合わせによりオペレーティングシステムを用いて実装され得る。
【０１２０】
例えば、本発明の実施形態に係る選択された作業を実施するためのハードウェアは、チップ又は回路として実装されてもよい。ソフトウェアのように、本発明の実施形態に係る選択された作業が、任意の好適なオペレーティングシステムを用いるコンピュータにより実行される複数のソフトウェア命令として実装されてもよい。本発明の例示的実施形態では、本明細書に記載されるとおりの方法及び／又はシステムの例示的実施形態に係る１つ以上の作業が、データプロセッサ、例えば複数の命令を実行するための計算プラットフォームにより実施される。任意選択で、データプロセッサには、命令及び／又はデータを記憶するための揮発性メモリ及び／又は命令及び／又はデータを記憶するための不揮発性記憶装置、例えば磁気ハードディスク及び／又は取外し可能媒体が含まれる。任意選択で、ネットワーク接続もまた提供される。ディスプレイ及び／又はユーザ入力デバイス、例えばキーボード又はマウスもまた任意選択で提供される。
【０１２１】
本発明の一部の実施形態が、単に例として、添付の図面を参照しながら本明細書に記載される。ここで具体的に図面を詳細に参照するが、示される詳細はあくまでも例であり、本発明の実施形態の説明的考察を目的とすることが強調される。この点で、記載を図面と合わせて考慮することにより、当業者には、本発明の実施形態を如何に実施し得るかが明らかになる。
【図面の簡単な説明】
【０１２２】
【図１】図１は、本発明の一部の実施形態に係る、生体内ボリュームの解剖学的データとＳＰＥＣＴデータとの組み合わせに基づき神経組織の位置を特定する方法のフローチャートである。
【図２】図２は、本発明の一部の実施形態に係る、マッピング関数に基づくＳＰＥＣＴ画像中の種々の領域と種々の臓器及び／又は組織との関連性に基づき神経組織の位置を特定する方法のフローチャートである。
【図３】図３は、本発明の一部の例示的実施形態における、自律神経系（ＡＮＳ）情報を入手する方法のフローチャートである。
【図４】図４は、本発明の一部の実施形態における、機能的画像と解剖学的画像とを組み合わせるため及び／又はシナプス中心の位置を決定するためのコンピュータに実装された方法のフローチャートである。
【図５】図５は、本発明の一部の実施形態に係る、心房において連続性分裂心房電位（ｃｏｍｐｌｅｘ  ｆｒａｃｔｉｏｎａｔｅｄ  ａｔｒｉａｌ  ｅｌｅｃｔｒｏｇｒａｍ：ＣＦＡＥ）部位、収縮力（ｃｏｎｔｒａｃｔｉｌｅ  ｆｏｒｃｅ：ＣＦ）部位、及び／又はドミナント周波数（ｄｏｍｉｎａｎｔ  ｆｒｅｑｕｅｎｃｙ：ＤＦ）部位をアブレーションなどの治療の標的エリアとしてマッピングすることによるアブレーション治療の実施方法のフローチャートである。
【図６】図６Ａ〜図６Ｄは、本発明の例示的実施形態に係る種々の角度から見た左心房及び左心室の画像を提供し、ここでは左心房がｍＩＢＧ活性に従い色付けされており（緑色＝低活性、赤色＝高活性）、左下肺静脈において最大活性レベルを示している。
【図７】図７Ａ及び図７Ｂは、本発明の例示的実施形態に係る種々の角度から見た左心房の画像を提供し、ここでは左心房がｍＩＢＧ活性に従い色付けされている（緑色＝低活性、赤色＝高活性）。
【図８】図８Ａ及び図８Ｂは、本発明の例示的実施形態に係る種々の角度から見た右心室及び左心室の画像を提供し、ここでは右心室がｍＩＢＧ活性に従い色付けされており、心室中隔において最大活性レベルを示している。
【図９】図９Ａ〜図９Ｃは、本発明の例示的実施形態により同定された３つの神経節神経叢（ＧＰ）の位置を示す心臓の画像を提供し、ここでは図９Ａ〜図９Ｃのそれぞれが、３つのＧＰのうちの１つの位置を示す（左から右に）横断像、冠状断像及び矢状断像を含む。
【図１０】図１０Ａ〜図１０Ｃは、本発明の例示的実施形態に係る、心臓の解剖学的マップ上における図９Ａ〜図９Ｃの３つのＧＰ位置（丸で囲まれるとおり）を示す（ＩＶＣ＝下大静脈；ＬＡ＝左心房；ＬＶ＝左心室；ＰＡ＝肺動脈；ＲＡ＝右心房；ＳＶＣ＝上大静脈）。
【図１１】図１１は、本発明の一部の実施形態に係る、患者の心臓の３Ｄシミュレーション上における高頻度刺激（ＨＦＳ）の適用部位（斜線で網掛けされた丸）を示す。
【図１２】図１２は、図１１に示す適用部位へのＨＦＳの適用に対する負の応答を示す心電図である。
【図１３】図１３Ａ及び図１３Ｂは、本発明の一部の実施形態に係る、種々の角度から見た患者の心臓の３Ｄシミュレーション上における高頻度刺激（ＨＦＳ）の適用部位（斜線で網掛けされた丸）を示し、ここで適用部位（ａｐｐｌｉｃａｔｉｏｎ  ｃｉｔｅ）はＲＩＰＶ（右下肺静脈）神経節神経叢と関連付けられる。
【図１４】図１４は、図１３Ａ及び図１３Ｂに示す適用部位へのＨＦＳの適用に対する正の応答を示す心電図である。
【図１５】図１５Ａ及び図１５Ｂは、本発明の一部の実施形態に係る、種々の角度から見た患者の心臓の３Ｄシミュレーション上におけるＬＩＰＶ神経節神経叢と関連付けられるアブレーション部位（斜線で網掛けされた丸）を示す。
【図１６】図１６は、図１５Ａ及び図１５Ｂに示すアブレーション部位へのＨＦＳの適用に対する負の応答を示す心電図である。
【図１７】図１７は、本発明の例示的実施形態における左心房のＳＰＥＣＴ画像を提供し、セスタミビ分布（左の画像）、ｍＩＢＧ分布（中央の画像）及びセスタミビとｍＩＢＧとの間の分布相関度（右の画像）が示される。
【図１８】図１８は、本発明の例示的実施形態における左心室のＳＰＥＣＴ画像を提供し、セスタミビ分布（左の画像）、ｍＩＢＧ分布（中央の画像）及びセスタミビとｍＩＢＧとの間の分布相関度（右の画像）が示される。
【図１９】図１９は、本発明の一部の実施形態に係る、骨盤の解剖学的データと放射リガンドデータとの組み合わせに基づき良性前立腺肥大症を診断及び治療する方法のフローチャートである。
【図２０】図２０は、本発明の一部の実施形態に係る、骨盤の解剖学的データと放射リガンドデータとの組み合わせに基づき勃起障害を診断及び治療する方法のフローチャートである。
【図２１】図２１は、本発明の一部の実施形態に係る、腹部の解剖学的データと放射リガンドデータとの組み合わせに基づき糖尿病を診断及び治療する方法のフローチャートである。
【図２２】図２２は、本発明の一部の実施形態に係る、腹部の解剖学的データと放射リガンドデータとの組み合わせに基づき関節炎を診断及び治療する方法のフローチャートである。
【図２３】図２３は、本発明の一部の実施形態に係る、腹部の解剖学的データと放射リガンドデータとの組み合わせに基づき過敏性腸症候群を診断及び治療する方法のフローチャートである。
【発明を実施するための形態】
【０１２３】
本発明は、その一部の実施形態において、イメージング方法及びシステムに関し、より詳細には、限定はされないが、神経組織に親和性を有する放射性トレーサーを使用した医用イメージング方法及びシステムに関する。
【０１２４】
本発明者は、インビボで自律神経系（ＡＮＳ）シナプス中心（例えば、ＡＮＳ神経節）の分布、正確な位置及び／又は活性に関する情報を提供するために、神経組織に親和性を有する放射性トレーサーを利用し得ることを想定している。詳細には、核イメージング技術（例えば、ＰＥＴ、ＳＰＥＣＴ）により体における放射性トレーサーの放出を測定してもよく、及び得られたデータを、画像中のシナプス中心を同定するように設計された方法で分析し、それによりシナプス中心の分布、位置及び／又は活性を明らかにし得る。本発明者はさらに、異常なＡＮＳ活性と関連付けられる様々な病態の診断及び／又は治療においてかかる情報が極めて重要となり得ることを想定している。
【０１２５】
本発明の少なくとも１つの実施形態を詳細に説明する前に、本発明はその適用が必ずしも以下の記載に示し及び／又は図面及び／又は実施例に説明する構成要素及び／又は方法の構造詳細及び構成に限定されないことが理解されるべきである。本発明は他の実施形態が可能であり、又は様々な方法で実施し若しくは実行することが可能である。
【０１２６】
本発明を実施化する間に、本発明者は、対象の心臓領域から放射性トレーサーデータを入手して（これは、公知の方法論を用いて入手した場合には、個々のシナプス中心を同定するのに十分な分解能を有しない）、それらのデータを分析することにより、心臓神経節神経叢を同定し及びイメージングした。本発明者はさらに、心臓神経節神経叢のアブレーションにおけるかかる画像の有用性を実証した。
【０１２７】
図１〜図４は、本発明の一部の実施形態における、自律神経系（ＡＮＳ）情報を入手する方法のフローチャートを示す。図５は、本発明の一部の実施形態に係る、アブレーション治療の実施方法のフローチャートを示す。図１９〜図２３は、本発明の一部の実施形態における、ＡＮＳ活性に関連付けられる様々な病態を診断及び治療する方法のフローチャートを示す。
【０１２８】
図６Ａ〜図８Ｂは心臓組織の画像を提供し、これは本発明の例示的実施形態に係るアドレナリン作動性シナプスに親和性を呈する放射性トレーサー（ｍＩＢＧ）が高濃度を呈する領域を示す。図９Ａ〜図１０Ｃは心臓組織の画像を提供し、これは本発明の例示的実施形態により決定されるとおりの心臓神経節神経叢の位置を示す。この技術の正確さは、図１１〜図１４に示されるとおり、個々の部位の高頻度刺激によって確認された。図１５Ａ〜図１６は、本発明の一部の実施形態に係る、心臓神経節神経叢の成功したアブレーションを示す。図１７〜図１８は心臓組織の画像を提供し、これは、アドレナリン作動性シナプスに親和性を呈する放射性トレーサー（ｍＩＢＧ）のレベル、灌流を示す放射性造影剤（セスタミビ）のレベル、及びｍＩＢＧとセスタミビとの分布の相関を示す。
【０１２９】
これらの結果は、本発明の実施形態が、神経節、神経節神経叢及びシナプスに富む他の領域を含めた神経組織の特徴を正確にイメージングするのに有用であることを示している。
【０１３０】
神経組織、例えば個々の神経節は、従来の方法を用いると、特に神経組織の寸法が比較的小さく、周囲組織と比べて従来の造影剤の取込みが悪く、且つ神経組織を周囲組織と区別する物理的特徴がないことを考えると、イメージング又は他の方法による同定が困難であることが理解されるべきである。例えば、心臓神経節は通常、心外膜筋に隣接した脂肪性結合組織に取り囲まれ及び／又は心臓の後面を覆う脂肪パッドに埋もれており、それらの神経節は脂肪層にごく近接しているために、神経節の同定が著しく妨害される。この妨害は、本発明の一部の実施形態により解消することができる。
【０１３１】
本発明の一部の実施形態のある態様によれば、少なくとも１つのシナプス中心を含む神経組織をイメージングする方法が提供され、本方法は、自律神経系のシナプスに選択的に結合する（例えば本明細書に記載されるとおりの）放射性トレーサーの使用を含む。一部の実施形態では、本方法は、少なくとも１つのシナプス中心をイメージングするステップを含む。一部の実施形態では、シナプスに選択的に結合する（例えば本明細書に記載されるとおりの）少なくとも２つの放射性トレーサーが使用される。例えば、これらの放射性トレーサーは任意選択で、異なるシナプスタイプ（例えば、アドレナリン作動性とコリン作動性、副交感神経性と交感神経性）に結合してもよく、及び／又はシナプスに関する異なる情報（例えば、位置と活性）を提供してもよい。一部の実施形態では、シナプスに選択的に結合する（例えば、本明細書に記載されるとおりの）１つ以上の放射性トレーサーが、シナプスに選択的に結合しない少なくとも１つの放射性トレーサーと組み合わせて使用され、例えば、シナプス以外の解剖学的特徴に関する情報の取得が促進される。任意選択でイメージングされ得るシナプス以外の解剖学的特徴としては、シナプス以外の神経組織特徴（例えば、ミエリン）及び（例えば、本明細書に記載されるとおりの）神経組織に関連しない特徴が挙げられる。一部の実施形態では、イメージングは三次元イメージングである。
【０１３２】
放射性標識メタヨードベンジルグアニジン（ｍＩＢＧ）は、本発明の一部の実施形態に係る例示的放射性トレーサーである。
【０１３３】
本明細書で使用されるとき、語句「神経組織」は、ニューロンの存在によって特徴付けられる組織を指す。神経組織の例としては、限定なしに、シナプス中心（本明細書に定義するとおり）、神経節、神経線維、神経シナプス、神経サブシステム（例えば、自律神経サブシステム（交感及び副交感自律神経サブシステムなど）、末梢サブシステム）、及び臓器特異的神経組織、例えば頸動脈小体、大動脈弓、肺、腎臓、脾臓、肝臓、下腸間膜、上腸間膜、筋肉及び／又は陰茎の神経組織が挙げられる。
【０１３４】
一部の実施形態では、本方法によりイメージングされる神経組織及び／又はシナプス中心は自律神経系（例えばその一部）に関連する。一部の実施形態では、神経組織及び／又はシナプス中心は交感神経系（例えばその一部）に関連する。それに代えて又は加えて、神経組織及び／又はシナプス中心は副交感神経系（例えばその一部）に関連する。
【０１３５】
本明細書において、用語「シナプス中心」は、中枢神経系以外の、シナプス（例えばＡＮＳシナプス）が（例えば周囲組織と比べて）高濃度であることによって特徴付けられる身体領域を指す。シナプス中心の例としては、限定なしに、神経節、神経節神経叢、神経筋接合部及び臓器を神経支配するシナプスの任意の他の凝集物が挙げられる。
【０１３６】
本明細書で使用されるとき、同義的に使用される語句「神経節神経叢」及び「神経節叢」は、複数の相互接続した神経節を指す。
【０１３７】
本発明の一部の実施形態によれば、領域は２０ｍｍ以下の直径を有する。一部の実施形態では、同定されるシナプス中心（例えば神経節）の最大直径（例えば、少なくとも１つの断面寸法における）は、１〜２０ｍｍである。
【０１３８】
一部の実施形態では、イメージングするステップは、少なくとも１つのシナプス中心を含む神経組織を同定するステップを含む。一部の実施形態では、神経組織は少なくとも１つの神経節を含む。一部の実施形態では、神経組織は少なくとも１つの神経節神経叢（ＧＰ）を含む。
【０１３９】
一部の実施形態では、イメージングするステップは、少なくとも１つのシナプス中心を同定するステップを含む。
【０１４０】
本発明の一部の実施形態によれば、本方法は、神経節を同定するステップを含む。例示的実施形態において、本方法は、自律神経系神経節を同定するステップを含む。
【０１４１】
本明細書において、語句「［．．．］神経節を同定する」とは、１つ以上のシナプス中心を同定することを包含し、ここで各シナプス中心は個々の神経節であってもよく、及び／又は複数の神経節（例えば神経節神経叢）を含んでもよい。ある場合には、個々の神経節と複数の神経節を含むシナプス中心（例えば神経節神経叢）との違いは単に語義上のものであり（例えば、異なる当業者は異なる用語を使用する）、及び／又は有意味な医学的重要性はない。
【０１４２】
本発明の一部の実施形態によれば、シナプス中心は、自律神経節及び自律神経節神経叢からなる群から選択される。
【０１４３】
本明細書において、用語「自律神経節」及び「自律神経節神経叢」は、自律神経系の一部である神経節又は神経節神経叢をそれぞれ指す。副腎髄質は本明細書では自律神経節と見なされる。
【０１４４】
本方法は、任意選択で、対象に放射性トレーサーを投与し、且つ放射性トレーサーの放射線放出を（例えば、単一光子放出型コンピュータ断層撮影（ＳＰＥＣＴ）及び／又は陽電子放出型断層撮影（ＰＥＴ）によって）測定して放射性トレーサーの体内分布を表すデータを入手し、それにより体内の放射性トレーサーをイメージングする（例えば、放射性トレーサーの体内分布をイメージングする）ことにより達成される。
【０１４５】
本方法は、任意選択で、放射性トレーサーが高濃度を呈する少なくとも１つの領域を同定するため（例えば、本明細書に記載されるとおりの）データを分析するステップであって、それにより少なくとも１つのシナプス中心をイメージングするステップをさらに含む。
【０１４６】
一部の実施形態では、本方法は、少なくとも１つのシナプス中心におけるニューロン活性を評価するステップをさらに含む。
【０１４７】
一部の実施形態では、本方法は、神経組織の位置を決定する方法である。一部の実施形態では、神経組織は、少なくとも１つの神経節叢を含む神経組織である。一部の実施形態では、放射性トレーサーはｍＩＢＧである。
【０１４８】
一部の実施形態では、本方法は、少なくとも１つのシナプス中心（例えば神経節叢）の位置を決定するステップを含む。
【０１４９】
一部の実施形態では、生体内エリアにおける位置決定された神経組織を含む部分領域が、医学的治療の標的とされる。例示的な医学的治療は、少なくとも１つのシナプス中心（例えば神経節叢）のアブレーションである。
【０１５０】
本明細書で使用されるとき、神経組織、シナプス中心、神経節及び／又はＧＰの「位置を決定する」又は「位置を特定する」（これらの２つの用語は同義的に使用される）は、本明細書に記載される実施形態のいずれか１つにより同定される神経組織、シナプス中心、神経節及び／又はＧＰの位置を特徴付けることを指す。位置は、１つ以上の参照位置に対して、例えば、対象の体における１つ以上の解剖学的位置（例えば、１つ又は複数の臓器又は他のシナプス中心）、対象の体内又は体の近傍に置かれた医療用具の位置、及び／又は対象以外の人（例えば、外科医及び／又は本方法の施術者）の位置、例えばその人の視野に対して特徴付けられ得る。一部の実施形態では、イメージングされる分布及び／又はニューロン活性は解剖学的マップ上にオーバーレイされる。
【０１５１】
一部の実施形態では、本方法は、（例えば、本明細書においてさらに詳細に記載するとおりの）標的神経組織における治療手技をガイドするものである。一部の実施形態では、神経組織は少なくとも１つの神経節叢を含む。ガイドは、例えば、（例えば本明細書に記載されるとおりの）標的神経組織を含む生体内ボリュームにおける放射性トレーサー（例えばｍＩＢＧ）からデータを入手し、生体内ボリュームにおける生体内治療プローブの位置を取得し、且つ治療手技中に放射性トレーサーデータ及び生体内治療プローブ位置を操作者に提示することにより行われ得る。一部の実施形態では、手技はカテーテル留置手技である。
【０１５２】
本発明の一部の実施形態によれば、本方法は、自律神経系のシナプスの分布及び／又はニューロン活性を示すマップであって、少なくとも１つのシナプス中心を含むマップを生成し、及び任意選択で表示するステップをさらに含む。一部の実施形態では、マップの分解能は１ｍｍ〜２０ｍｍの範囲である。
【０１５３】
本発明の一部の実施形態によれば、本方法は、アドレナリン作動性活性によって特徴付けられるシナプス中心をイメージングするために使用される。本方法は、任意選択で、アドレナリン作動性活性によって特徴付けられるシナプス中心のみをイメージングしてもよく、或いは、コリン作動性シナプス中心などのアドレナリン作動性活性によって特徴付けられないシナプス中心を（例えば本明細書に記載されるとおりの好適な放射性トレーサーの選択に例えば基づき）さらにイメージングしてもよい。
【０１５４】
本発明の一部の実施形態によれば、本方法は、コリン作動性活性（例えば、ニコチン性及び／又はムスカリン性コリン作動性活性）によって特徴付けられるシナプス中心をイメージングするために使用される。本方法は、任意選択で、コリン作動性活性、例えば、ニコチン性及び／又はムスカリン性コリン作動性活性）によって特徴付けられるシナプス中心のみをイメージングしてもよく、或いは、アドレナリン作動性シナプス中心などのコリン作動性によって特徴付けられないシナプス中心を（例えば本明細書に記載されるとおりの好適な放射性トレーサーの選択に例えば基づき）さらにイメージングしてもよい。
【０１５５】
一部の実施形態では、データを分析するステップは、対象の体のある領域の解剖学的画像を再構成するステップであって、その領域が少なくとも１つの体内部位の一部分を含むステップと；少なくとも１つの体内部位の寸法に対応する少なくとも１つの画像マスクが生成されるように解剖学的画像を処理するステップと；例えばかかるマスクを利用する本明細書に記載される実施形態に係る少なくとも１つのシナプス中心を描出する画像の再構成をガイドするため、生成された１つ又は複数の画像マスクを放射性トレーサーの体内分布を表すデータと相関付けるステップとを含む。
【０１５６】
本明細書に記載される態様のいずれか１つに係る一部の実施形態では、イメージングは２つ以上の放射性トレーサーを使用して実施される。一部の実施形態では、（例えば本明細書に記載されるとおりの）２つの放射性トレーサーが使用される。
【０１５７】
例えば、一部の実施形態では、本明細書に記載される実施形態のいずれか１つに係る方法は、自律神経系のシナプスに選択的に結合する（例えば、本明細書に記載されるとおりの）第１の放射性トレーサーを投与し及びイメージングするステップを含み、さらに、少なくとも１つのさらなる放射性トレーサー（例えば、本明細書に記載される放射性トレーサー及び／又は造影剤）を投与し及びイメージングするステップを含む。一部の実施形態では、前記第１の放射性トレーサーの放射性同位体と前記少なくとも１つのさらなる放射性トレーサーの各々の放射性同位体とは互いに異なる。さらなる放射性トレーサーは、任意選択でシナプス、例えばＡＮＳのシナプスに親和性を呈する放射性トレーサー（例えば、本明細書に記載される放射性トレーサー）；又はシナプスに親和性を呈しない放射性トレーサー（例えば、本明細書に記載される放射性造影剤）であってもよい。
【０１５８】
一部の実施形態では、第１の放射性トレーサーは、前記少なくとも１つのさらなる放射性トレーサーが選択的に結合するシナプスと異なるシナプスに選択的に結合する。異なるタイプのシナプス（例えば、アドレナリン作動性とコリン作動性、交感神経性と副交感神経性、ムスカリン作動性とニコチン性）及び各タイプと結合する放射性トレーサーの例は本明細書に詳細に記載される。
【０１５９】
一部の実施形態では、シナプスに結合する２つ以上の放射性トレーサーを使用して、異なるシナプス活性に関する情報が提供され得る。例えば、ある放射性トレーサーがシナプス中心の活性のイメージングに用いられてもよく（例えば、シナプス活性に対する感受性が比較的高い信号を提供するトレーサー）、一方で別の放射性トレーサーがシナプス分布、例えば位置及び／又はシナプス密度のイメージングに用いられてもよい（例えば、シナプス活性に対する感受性が比較的低い信号を提供するトレーサー）。それに加えて又は代えて、異なるトレーサーは、異なるタイプの活性、例えば異なるタイプの（例えば、本明細書に記載されるとおりの）刺激に対する応答をイメージングするのに好適であり得る。
【０１６０】
一部の実施形態では、シナプスに親和性を呈しない放射性トレーサーが使用され、例えばそれによりシナプス以外の解剖学的特徴に関する情報が提供される。一部の実施形態では、かかる情報を使用して解剖学的特徴の位置が（例えば本明細書に記載されるとおりシナプス中心の位置を決定するため）特徴付けられ得る。一部の実施形態では、かかる情報を使用して解剖学的領域の活性、例えば、解剖学的領域のバイタリティ、機能性、及び／又は代謝活性が特徴付けられ得る。
【０１６１】
一部の実施形態では、組み合わせて使用される異なる放射性トレーサーは異なる放射性同位体を有し（例えば、本明細書に例示されるとおり、Ｉ−１２３及びＴｃ−９９ｍ）、これにより異なるトレーサーを、放射線放出エネルギーに基づいてそれらのトレーサーを区別しながらも同時に測定することが可能となる。
【０１６２】
一部の実施形態では、組み合わせて使用される異なる放射性トレーサーのイメージングは、同時測定によっては行われない。例えば、あるトレーサーが投与されてイメージングされてもよく、次に、第１の放射性トレーサーの信号が別のトレーサーの測定に著しく干渉することのないよう十分に弱まった後に、そのもう１つのトレーサーがイメージングされてもよい。
【０１６３】
２つ以上の（本明細書に記載されるとおりの）放射性トレーサーから取得される情報の組み合わせは、単一の放射性トレーサーによっては提供されない情報を提供するのに有用であり得る。例えば、異なるトレーサーにより提供される２種類の情報間の関係が、ＡＮＳ活性を特徴付けるのに重要であり得る。一部の実施形態では、正常なＡＮＳ活性が、異なるトレーサーで取得された結果を反映する２つのパラメータ間のある種の関係によって特徴付けられる一方、異常なＡＮＳ活性が、かかるパラメータ間における正常とは異なる関係（例えば「ミスマッチ」）によって特徴付けられる。例えば、パラメータ間の異常な関係は、異なるタイプのＡＮＳ活性（例えば、アドレナリン作動性活性とコリン作動性活性及び／又は交感神経活性と副交感神経活性）の間の不均衡及び／又はＡＮＳ活性と神経支配を受ける組織の活性との間の不均衡を反映し得る（例えば、機能不全の心臓組織のシナプス刺激は、機能不全組織が電気パルスを適切な形で伝達できないことに伴う不整脈などの有害効果を及ぼし得る）。
【０１６４】
本発明の実施形態の別の態様によれば、対象における正常な自律神経系活性又は異常な自律神経系活性を決定する方法が提供される。本方法は、自律神経系のシナプスに選択的に結合する（例えば、本明細書に記載されるとおりの）第１の放射性トレーサーを投与するステップ、及び自律神経系の少なくとも１つのシナプス中心を（例えば、本明細書に記載される実施形態のいずれか１つに係るイメージング方法を用いて）イメージングするステップであって、それにより第１の放射性トレーサーの体内分布を表すデータを入手するステップと；少なくとも１つのさらなる放射性トレーサー（例えば、本明細書に記載される任意の１つ以上のさらなる放射性トレーサー）を投与するステップ、及び対象の体の少なくとも一部分における１つ又は複数のさらなる放射性トレーサーをイメージングするステップであって、それにより体内の１つ又は複数のさらなる放射性トレーサーの分布を表すデータを入手するステップとを含む。第１の放射性トレーサーの体内分布を表すデータと体内の１つ又は複数のさらなる放射性トレーサーの分布を表すデータとの組み合わせが、（例えば、本明細書に記載されるとおりの）自律神経系における正常なシナプス分布及び／又はニューロン活性又は異常なシナプス分布及び／又はニューロン活性を示す。例えば、異常なシナプス分布及び／又はニューロン活性が、（例えば、本明細書に記載されるとおりの）異なるタイプのＡＮＳ活性の間の不均衡及び／又は（例えば、本明細書に記載されるとおりの）ＡＮＳ活性と神経支配を受ける組織の活性との間の不均衡に従い決定され得る。
【０１６５】
一部の実施形態（例えば、シナプスに親和性を有する複数の放射性トレーサーを使用する実施形態）では、放射性トレーサーの分布の組み合わせが、（例えば、本明細書に記載されるとおりの）交感神経系活性と副交感神経系活性との間の正常な又は異常な平衡を示す。
【０１６６】
一部の実施形態では、少なくとも１つのさらなる放射性トレーサーはシナプスに選択的に結合しない。一部のかかる実施形態において、放射性トレーサーの分布の組み合わせが、（例えば、本明細書に記載されるとおりの）シナプスに選択的に結合しないさらなる放射性トレーサーによって示される組織分布及び／又は活性との対比で正常な又は異常なシナプス分布及び／又はニューロン活性を示す。
【０１６７】
本明細書に記載される態様のいずれかに係る一部の実施形態では、異常なＡＮＳ活性は、疾患又は障害、例えば、本明細書に記載される任意の疾患又は障害に関連する。
【０１６８】
本発明の実施形態の別の態様によれば、診断用薬剤の製造における、（例えば、本明細書に記載されるとおりの）自律神経系のシナプスに選択的に結合する放射性トレーサーの使用が提供される。一部の実施形態では、診断用薬剤は、本明細書に記載される実施形態のいずれか１つに係る方法で使用されるものである。一部の実施形態では、放射性トレーサーは少なくとも１つのさらなる放射性トレーサー（例えば、本明細書に記載されるとおりの任意の１つ以上のさらなる放射性トレーサー）と組み合わせて使用されるものであり、ここでは自律神経系のシナプスに選択的に結合する放射性トレーサーによって得られるデータが自律神経系の少なくとも１つのシナプスの分布及び／又はニューロン活性を表し、及び１つ又は複数のさらなる放射性トレーサーによって得られるデータが、異なる分布及び／又は活性、即ち前述の少なくとも１つのシナプスの分布及び／又はニューロン活性と異なる分布及び／又は活性を表す。
【０１６９】
本発明の実施形態の別の態様によれば、本明細書に記載される実施形態のいずれか１つに係る方法で使用される、（例えば、本明細書に記載されるとおりの）自律神経系のシナプスに選択的に結合する放射性トレーサーが提供される。一部の実施形態では、放射性トレーサーは少なくとも１つのさらなる放射性トレーサー（例えば、本明細書に記載されるとおりの任意の１つ以上のさらなる放射性トレーサー）と組み合わせて使用されるものであり、ここでは自律神経系のシナプスに選択的に結合する放射性トレーサーによって第１のデータが入手され（これは自律神経系の少なくとも１つのシナプスの分布及び／又はニューロン活性を表す）、及び１つ又は複数のさらなる放射性トレーサーによって、（例えば、本明細書に記載されるとおりの）第１のデータと異なる分布及び／又は活性を表す少なくとも第２のデータ（任意選択で第２のデータ及び第３のデータ、任意選択で第２のデータ、第３のデータ及び第４のデータ等）が入手される。
【０１７０】
本発明の実施形態の別の態様によれば、（例えば、本明細書に記載される実施形態のいずれか１つに係る）対象における正常な自律神経系活性又は異常な自律神経系活性を決定するためのキットが提供される。本キットは、（例えば、本明細書に記載されるとおりの）自律神経系のシナプスに選択的に結合する第１の放射性トレーサーと、少なくとも１つのさらなる放射性トレーサー（例えば、本明細書に記載されるとおりの任意の１つ以上のさらなる放射性トレーサー）とを含む。自律神経系のシナプスに選択的に結合する放射性トレーサーは、自律神経系の少なくとも１つのシナプスの分布及び／又はニューロン活性を表す第１のデータを入手するのに有用であり、１つ又は複数のさらなる放射性トレーサーは、（例えば、本明細書に記載されるとおりの）前記第１のデータと異なる分布及び／又は活性を表すデータを入手するのに有用である。一部の実施形態では、放射性トレーサーはキット内で個別に包装される。一部の実施形態では、放射性トレーサーは共に包装され、例えば、それらの放射性トレーサーを共投与するための組成物として製剤化される。
【０１７１】
一部の実施形態では、（複数の放射性トレーサーを利用する本明細書に記載される実施形態のいずれかに係る）第１の放射性トレーサーの放射性同位元素と１つ又は複数のさらなる放射性トレーサーの放射性同位元素とは、例えば本明細書に記載されるとおり、互いに異なる。
【０１７２】
一部の実施形態では、（少なくとも）第２のデータが、第１のデータによって表されるシナプスの活性（例えば本明細書に記載されるとおりの種々の活性）のタイプと異なるシナプスのタイプ又は活性を表す。
【０１７３】
一部の実施形態では、（例えば、本明細書に記載される使用、方法、キット又は放射性トレーサーに係る）放射性トレーサーの組み合わせを利用して、例えば放射性トレーサーの各々が（例えば、本明細書に記載されるとおりの）シナプスに結合するときの、交感神経系活性と副交感神経系活性との間の正常な又は異常な相関（例えば、均衡又は不均衡）が決定される。
【０１７４】
一部の実施形態では、（例えば、本明細書に記載される使用、方法、キット又は放射性トレーサーに係る）放射性トレーサーの組み合わせを利用して、（例えば、組織に結合し且つシナプスに結合しない放射性トレーサーによって決定されるとおりの）前記シナプス活性の神経支配を受ける組織の活性と比べて（例えば、シナプスに親和性を有する放射性トレーサーによって決定されるとおりの）正常な又は異常なシナプス活性、例えば、（例えば、本明細書に記載されるとおりの）神経支配を受ける組織の神経支配及び活性の間の均衡又は不均衡が決定される。
【０１７５】
一部の実施形態では、（例えば、本明細書に記載される使用、方法、キット又は放射性トレーサーに係る）自律神経のシナプスに選択的に結合する放射性トレーサーはｍＩＢＧである。造影剤を含有するＴｃ−９９ｍと組み合わせたｍＩＢＧの使用が本明細書に例示される。
【０１７６】
本発明の実施形態の別の態様によれば、本明細書に記載される実施形態のいずれか１つに係るイメージング方法を制御するように構成された、核イメージング装置が提供される。本装置は、本明細書に記載されるとおりのデータ取得用に構成された核イメージングモダリティ（例えば、ＳＰＥＣＴ及び／又はＰＥＴモダリティ）を含む。一部の実施形態では、本装置は、本明細書に記載されるとおりの解剖学的データの取得用モダリティをさらに含む。一部の実施形態では、核イメージングモダリティ及び解剖学的データの取得用モダリティは、異なるモダリティからのデータを同時にレジスタリングするように構成される。
【０１７７】
本発明の実施形態のある特徴に関して本明細書に記載される実施形態のいずれか１つが、別段の指示がある場合を除き、本発明の実施形態の他の特徴に関して本明細書に記載される実施形態のいずれか１つと組み合わされてもよいことが理解されるべきである。例えば、本明細書に記載される放射性標識化合物のいずれか１つを、任意の他の放射性標識化合物、データ取得に関して本明細書に記載される実施形態のいずれか１つ、シナプス中心のデータ分析及び同定に関して本明細書に記載される実施形態のいずれか１つ、シナプス中心の位置に関して本明細書に記載される実施形態のいずれか１つ、診断及びモニタリングに関して本明細書に記載される実施形態のいずれか１つ、及び／又はシナプス中心活性の調節に関して本明細書に記載される実施形態のいずれか１つと組み合わせて使用することができる。
【０１７８】
放射性トレーサー：
本明細書で使用されるとき、用語「放射性トレーサー」は、放射性同位体を含む原子又は分子を指す。放射性同位体を含む分子は、本明細書では「放射性標識されている」とも称される。特に指示がない限り、本明細書に記載される放射性トレーサーは、本明細書に記載されるとおり、（例えば自律神経系の）神経組織に親和性を呈する。
【０１７９】
本明細書において、「放射性同位体」は、自然崩壊を起こす不安定な核を有する天然に存在する及び／又は人工的に作られた原子を指す。
【０１８０】
本明細書に記載される放射性イメージング技術、例えばＰＥＴ及び／又はＳＰＥＣＴの文脈において、放射性トレーサーから放出される放射線の検出が用いられ得る。
【０１８１】
それに代えて又は加えて、放射性トレーサーが放出する放射線は、放射線療法、例えば放射線による細胞の死滅に用いられ得る。
【０１８２】
少なくとも一部において陽電子放出により崩壊する放射性同位体は、（例えば、本明細書に記載されるとおりの）ＰＥＴ（陽電子放出型断層撮影）技術における使用に好適である。かかる同位体は当該技術分野において公知であり、例えば、炭素−１１（Ｃ−１１）、窒素−１３（Ｎ−１３）、酸素−１５（Ｏ−１５）、フッ素−１８（Ｆ−１８）、ガリウム−６８（Ｇａ−６８）  臭素−７６（Ｂｒ−７６）、ルビジウム−８２（Ｒｂ−８２）、ヨウ素−１２４（Ｉ−１２４）及びヨウ素−１３１（Ｉ−１３１）が挙げられる。Ｃ−１１、Ｎ−１３、Ｏ−１５、Ｆ−１８、Ｒｂ−８２及びＩ−１２４は、ＰＥＴに通常用いられる同位体の例である。
【０１８３】
いかなる特定の理論にも拘束されるものではないが、質量のあるエネルギー粒子は取得されるＳＰＥＣＴデータにはほとんど寄与しないながら多量の細胞損傷を引き起こし得るため、質量のあるエネルギー粒子（例えば、α線粒子、電子、陽電子、陽子及び／又は中性子）を放つことなしに崩壊時に光子を放つ放射性同位体（例えば、γ放射線、Ｘ線放射線）が、（例えば、本明細書に記載されるとおりの）ＳＰＥＣＴ（単一光子放出型コンピュータ断層撮影）技術における使用に特に好適であると考えられる。しかしながら、体を抜け出ることのできる放射線を放出する任意の放射性同位体を、例えば（例えば、本明細書に記載されるとおりの）ＰＥＴに使用し得るあらゆる放射性同位体を含め、任意選択でＳＰＥＣＴに使用することができる。
【０１８４】
一部の実施形態では、放射性同位体は、電子捕獲機構による崩壊によって特徴付けられるか及び／又は準安定同位体である。かかる同位体の崩壊は、通常、質量のあるエネルギー粒子を放出しない光子放出によって特徴付けられる。電子捕獲崩壊によって特徴付けられる同位体の例としては、限定なしに、ニッケル−５６（Ｎｉ−５６）、ガリウム−６７（Ｇａ−６７）、セレン−７５（Ｓｅ−７５）、インジウム−１１１（Ｉｎ−１１１）、ヨウ素−１２３（Ｉ−１２３）、ヨウ素−１２５（Ｉ−１２５）、及びタリウム−２０１（Ｔｌ−２０１）が挙げられる。準安定テクネチウム−９９（Ｔｃ−９９ｍ）は、光子放出により崩壊する準安定同位体の例である。Ｇａ−６７、Ｉｎ−１１１、Ｉ−１２３、Ｔｌ−２０１及びＴｃ−９９ｍは、ＳＰＥＣＴに通常用いられる同位体の例である。
【０１８５】
生理学的環境において遠くまで貫通することのない（例えば約２ｃｍ以下の）放射線の放出によって特徴付けられる放射性同位体が、（例えば、体内の特定の領域を選択的に照射することによる）放射線療法に好適である。放射線療法に好適な同位体の例としては、限定なしに、臭素−７７（Ｂｒ−７７）、ストロンチウム−８９（Ｓｒ−８９）、イットリウム−９０（Ｙ−９０）、ヨウ素−１３１（Ｉ−１３１）、サマリウム−１５３（Ｓｍ−１５３）が挙げられる。
【０１８６】
一部の実施形態では、同位体は少なくとも５分の半減期によって特徴付けられる。一部の実施形態では、同位体は少なくとも１時間の半減期によって特徴付けられる。半減期が短くなると、同位体の大部分が崩壊する前に対象において測定を実施する点でかなりの困難が生じ得る。
【０１８７】
一部の実施形態では、同位体は７日以下の半減期によって特徴付けられる。一部の実施形態では、同位体は４８時間以下の半減期によって特徴付けられる。半減期が長くなると、対象における測定中に極めて少ない割合の同位体しか崩壊しないことになり得るため、弱い信号がもたらされ得る。
【０１８８】
一部の実施形態では、同位体は４〜４８時間の範囲の半減期によって特徴付けられる。
【０１８９】
一部の実施形態では、放射性同位体は、通常有機分子に存在する元素のもの、例えば、放射性炭素、放射性水素、放射性酸素及び／又は放射性窒素（例えば、Ｃ−１１、Ｎ−１３、Ｏ−１５）及び／又は放射性ハロゲン原子（例えば、Ｆ−１８、Ｂｒ−７６、Ｂｒ−７７、Ｉ−１２３、Ｉ−１２４、Ｉ−１２５、Ｉ−１３１）である。ハロゲン原子は多くの有機分子に存在し、他の原子と、例えば炭素−ハロゲン共有結合を形成するハロゲン置換によって容易に結合し得る。
【０１９０】
本明細書で使用されるとき、語句「放射性炭素」は任意の放射性炭素同位体を包含する。Ｃ−１１は、核イメージング技術（例えばＰＥＴ）における使用に好適な放射性炭素の非限定的な例である。
【０１９１】
本明細書で使用されるとき、語句「放射性水素」は任意の放射性水素同位体を包含する。
【０１９２】
本明細書で使用されるとき、語句「放射性窒素」は任意の放射性窒素同位体を包含する。Ｎ−１３は、核イメージング技術（例えばＰＥＴ）における使用に好適な放射性炭素の非限定的な例である。
【０１９３】
本明細書で使用されるとき、語句「放射性酸素」は任意の放射性酸素同位体を包含する。Ｏ−１５は、核イメージング技術（例えばＰＥＴ）における使用に好適な放射性炭素の非限定的な例である。
【０１９４】
本明細書で使用されるとき、語句「放射性ハロゲン」は任意の放射性ハロゲン（例えば、フッ素、塩素、臭素、ヨウ素）同位体を包含する。Ｆ−１８、Ｂｒ−７６、Ｂｒ−７７、Ｉ−１２３、Ｉ−１２４、Ｉ−１２５、Ｉ−１３１は、核イメージング技術（例えば、Ｆ−１８、Ｂｒ−７６、Ｉ−１２４及びＩ−１３１の場合ＰＥＴ、並びにＩ−１２３及びＩ−１２５の場合ＳＰＥＣＴ）における使用に好適な放射性ハロゲンの非限定的な例である。
【０１９５】
一部の実施形態では、ＳＰＥＣＴに放射性同位体Ｉ−１２３が使用される。Ｉ−１２３は、比較的低いγ放射線エネルギー（１５９ｋｅＶ）及びＳＰＥＣＴに特に好適な１３．２時間の半減期により特徴付けられる。
【０１９６】
一部の実施形態では、放射性トレーサーは放射性リガンドである。
【０１９７】
本明細書において、用語「放射性リガンド」は、標的（例えばタンパク質）と選択的に結合する放射性標識化合物を指し、即ちこの放射性標識化合物は標的のリガンドとして働く。標的との選択的な結合には、長期間の結合（例えば、受容体の作動薬又は拮抗薬であるリガンド）又は短期間の結合（例えば、分子トランスポーター、酵素の基質によって輸送されるリガンド）が含まれ得る。放射性リガンドは、任意選択で当該技術分野において公知の非放射性リガンドの構造的修飾、例えば、既知のリガンド中のある基を放射性同位体を含む基に置換すること（例えば、放射性ハロゲンによる水素、ヒドロキシ、アミン又はアルキル（例えばメチル）の置換；放射性アルキル（例えばメチル）又は放射性ハロゲンによるヒドロキシ又はアミンの置換）により調製されてもよく、従って放射性リガンドの構造は当該技術分野において公知の非放射性リガンドと異なることになり得る。
【０１９８】
一部の実施形態では、放射性リガンドは、ある種の細胞型に特有の標的（例えば、受容体、分子トランスポーター）と選択的に結合し、従って放射性リガンドによりかかる細胞型の選択的なイメージングが促進される。一部の実施形態では、放射性リガンドはニューロンと選択的に結合する。
【０１９９】
細胞に対する放射性トレーサーの選択的な結合には、細胞の外表面との選択的な結合、細胞内の標的との選択的な結合、及び／又は細胞による選択的な取込み（例えば、ここでは放射性トレーサーは細胞内のいかなる特定の標的とも結合しないままである）が含まれ得る。
【０２００】
一部の実施形態では、放射性トレーサー（例えば本明細書に記載されるとおりの放射性リガンド）は、神経節（例えば、神経節細胞）に選択的に結合する。一部の実施形態では、放射性トレーサー（例えば本明細書に記載されるとおりの放射性リガンド）は、交感神経節及び／又は副交感神経節に選択的に結合する。
【０２０１】
一部の実施形態では、放射性トレーサー（例えば本明細書に記載されるとおりの放射性リガンド）は、ニューロンに選択的に結合する。一部の実施形態では、放射性トレーサー（例えば本明細書に記載されるとおりの放射性リガンド）は、１つ以上の特定のニューロンタイプのニューロン、例えば、特定の神経伝達物質の分泌及び／又は放出によって特徴付けられるニューロンに選択的に結合する。
【０２０２】
放射性トレーサーの代謝は、体の様々な領域に非選択的な形で放射性代謝産物を放出することにより選択的なイメージングを妨げ得る。
【０２０３】
従って、一部の実施形態では、放射性トレーサーは、放射性トレーサーに結合する細胞からの放射性トレーサーの代謝及び／又は放射性代謝産物の放出が比較的長い半減期、例えば少なくとも（ａ  ｌｅａｓｔ）４時間、少なくとも８時間、少なくとも２４時間、少なくとも４８時間、及びさらには少なくとも７２時間で起こるように選択される。かかる半減期は、当業者によって、放射性トレーサーに結合する細胞の存在下で放射性トレーサーの位置及び／又は強度の変化を観察することにより容易に決定され得る。
【０２０４】
一部の実施形態では、放射性トレーサーは、例えばアリール基若しくはヘテロアリール基内又はアルケニル基（例えば、ハロゲン化ビニル基）内の別の炭素原子と不飽和共有結合によって結合する炭素原子と共有結合した放射性ハロゲン同位体（例えば、Ｆ−１８、Ｂｒ−７６、Ｂｒ−７７、Ｉ−１２３、Ｉ−１２４、Ｉ−１２５、Ｉ−１３１）を含む。
【０２０５】
いかなる特定の理論にも拘束されるものではないが、ハロゲン−炭素結合（特に臭素−炭素結合及びヨウ素−炭素結合）は、炭素原子が別の炭素原子と不飽和共有結合によって結合するとき開裂に対して特に抵抗性が高く、及び開裂は、それによって放射性ハロゲン化物が標的エリア以外の領域に移動し、そのために選択的なイメージングが妨げられる可能性があり、最小限に抑えることが有利であると考えられる。
【０２０６】
一部の実施形態では、放射性リガンドは、当該技術分野においてニューロン（例えば、神経伝達物質受容体及び／又はトランスポーター）に結合することが知られる薬剤又はかかる薬剤のハロゲン化誘導体である。一部の実施形態では、薬剤又はハロゲン化誘導体は、その芳香環（例えばフェニル）に結合したハロゲン原子（例えば、本明細書に記載される放射性ハロゲン同位体）を含む。
【０２０７】
本明細書において、用語「ハロゲン化誘導体」は、炭素原子に結合した１つ以上の置換基（例えば、水素置換基）がハロゲン原子に置換されている点及び／又は炭素原子に結合した１つ以上のハロゲン原子が異なる種のハロゲン原子に置換されている点のみが親化合物と異なる化合物を指す。
【０２０８】
放射性同位体（例えば、Ｃ−１１、Ｎ−１３、Ｏ−１５、Ｆ−１８、Ｂｒ−７６、Ｂｒ−７７、Ｉ−１２３、Ｉ−１２４、Ｉ−１２５、Ｉ−１３１）を含むときに好適な放射性リガンドとして働き得る好適な薬剤の例としては、例えば、神経伝達物質及びその類似体、ベサミコール及びその誘導体、神経伝達物質受容体の作動薬及び拮抗薬、並びにノルエピネフリン再取込み阻害薬が挙げられる。
【０２０９】
一部の実施形態では、放射性リガンドは、放射性同位体（例えば、本明細書に記載される同位体）を含む神経伝達物質又は神経伝達物質の類似体である。一部の実施形態では、放射性リガンドは、Ｃ−１１、Ｏ−１３及び／又はＮ−１５で放射性標識された神経伝達物質である。
【０２１０】
神経伝達物質の例としては、限定なしに、カテコールアミン神経伝達物質（例えば、ドーパミン、ノルエピネフリン、エピネフリン）及びアセチルコリンが挙げられる。かかる神経伝達物質、特にノルエピネフリン及びアセチルコリンは、自律神経系によって広範に用いられている。
【０２１１】
神経伝達物質の多くの類似体（例えば、神経伝達物質受容体及び／又はトランスポーターとの選択的な結合能を有する類似体）は当該技術分野において公知であり、本発明の実施形態において放射性リガンドとして利用され得る。
【０２１２】
一部の実施形態では、類似体は、神経伝達物質のハロゲン化誘導体（例えば、本明細書に記載される放射性ハロゲン同位体を含む）である。一部の実施形態では、神経伝達物質はその芳香環（例えばフェニル）上でハロゲン原子に置換されていてもよく、ハロゲン原子は任意選択で放射性ハロゲン原子であり得る。
【０２１３】
一部の実施形態では、類似体は、当該技術分野において公知の神経伝達物質類似体のハロゲン化誘導体（例えば、本明細書に記載される放射性ハロゲン同位体を含む）である。一部の実施形態では、神経伝達物質類似体はその芳香環（例えばフェニル）上でハロゲン原子に置換されており、ハロゲン原子は任意選択で放射性ハロゲン原子であり得る。
【０２１４】
一部の実施形態では、放射性リガンドはアドレナリン作動性活性領域（例えば、アドレナリン作動性シナプス）に選択的である。アドレナリン作動性活性領域の例としては、例えば交感神経シナプスが挙げられ、ここでは交感神経節後ニューロンが臓器又は別の（例えば、交感又は副交感神経節における）ニューロンと連絡する。
【０２１５】
本明細書において、用語「アドレナリン作動性」は、信号伝達にエピネフリン（アドレナリン）誘導体、典型的にはノルエピネフリンを使用することによって特徴付けられる活性を指す。
【０２１６】
一部の実施形態では、放射性リガンドは、一般式Ｉ：
0006682273.tif 000005
又はその薬学的に許容可能な塩（式中、Ｒ１は、水素及びアルキルからなる群から選択され、及びＲ２〜Ｒ８は、各々、水素、アルキル、ヒドロキシ、アルコキシ及びハロ（例えば、ヨード、ブロモ、フルオロ）からなる群から独立して選択され、及び少なくとも１つの原子が放射性（例えば、放射性炭素、放射性窒素、放射性酸素、及び／又は本明細書に記載されるとおりの放射性ハロゲン原子）である）を有する。
【０２１７】
一般式Ｉの各原子は放射性であっても又は非放射性であってもよい。例えば、一般式Ｉのハロゲン原子（存在する場合）は放射性であっても（例えば、Ｆ−１８、Ｂｒ−７６、Ｂｒ−７７、Ｉ−１２３、Ｉ−１２４、Ｉ−１２５、Ｉ−１３１）又は非放射性であってもよく；一般式Ｉの炭素原子（例えば、アルキル又はアリール中の）は放射性であっても（例えば、Ｃ−１１）又は非放射性であってもよく；一般式Ｉの窒素原子（例えば、示されるアミン基中の）は放射性であっても（例えば、Ｎ−１３）又は非放射性であってもよく；及び一般式Ｉの酸素原子（存在する場合、例えば、ヒドロキシ又はアルコキシ中の）は放射性であっても（例えば、Ｏ−１５）又は非放射性であってもよい。
【０２１８】
一部の実施形態では、アルキルはＣ１〜Ｃ４アルキル（例えば、メチル、エチル、ｎ−プロピル、イソプロピル）である。
【０２１９】
一部の実施形態では、アルキルは非置換である。一部の実施形態では、アルキルはメチルである。
【０２２０】
一部の実施形態では、本明細書に記載されるとおりのアルキルは放射性炭素（例えば、Ｃ−１１）を含む。
【０２２１】
一部の実施形態では、本明細書に記載されるとおりのアルキルが置換アルキルであるとき、置換基の１つ以上の原子が放射性原子である。例えば、アルキルがアルコキシ基によって置換されている場合、アルコキシ基の酸素が放射性酸素であってもよい。ハロゲン化物によって置換されたアルキルでは、ハロゲン化物が放射性ハロゲン化物（例えば、放射性フッ素、放射性臭素、放射性ヨウ素）であってもよい。
【０２２２】
一部の実施形態では、Ｒ２〜Ｒ８のいずれもハロではなく、且つ少なくとも１つの原子（例えば、１つの原子）がＣ−１１、Ｎ−１３、及び／又はＯ−１５である。一部の実施形態では、少なくとも１つの原子（例えば、１つの原子）がＣ−１１である。
【０２２３】
一部の実施形態では、Ｒ１は、Ｃ−１１を含むアルキル（例えば、メチル）である。
【０２２４】
一部の（例えば、Ｒ１が水素である場合の）実施形態では、Ｒ２に結合した炭素原子及び／又はＲ３に結合した炭素原子がＣ−１１である。
【０２２５】
一部の実施形態では、Ｒ４〜Ｒ８は、各々、水素、ヒドロキシ及びハロ（例えば、放射性ハロゲン同位体）からなる群から独立して選択される。一部の実施形態では、Ｒ４、Ｒ７及びＲ８は水素又はハロである。一部の実施形態では、Ｒ４及びＲ７は各々水素である。
【０２２６】
一部の実施形態では、Ｒ４〜Ｒ８のうちの少なくとも１つがハロ（例えば、放射性ハロゲン同位体）である。一部の実施形態では、Ｒ４〜Ｒ８のうちの１つのみがハロである。一部の実施形態では、Ｒ６又はＲ８がハロである。一部の実施形態では、Ｒ２又はＲ３のいずれもハロではない。
【０２２７】
一部の実施形態では、Ｒ５及びＲ６の少なくとも１つがヒドロキシである。
【０２２８】
一部の実施形態では、Ｒ５がヒドロキシであり、且つＲ６が水素又はハロ（例えば、放射性ハロゲン同位体）である。一部の実施形態では、Ｒ２がアルキル（例えば、メチル）である。一部の実施形態では、Ｒ３がヒドロキシである。
【０２２９】
Ｒ３及びＲ５がヒドロキシであり、且つＲ４及びＲ６〜Ｒ８が水素又はハロである化合物の例としては、限定なしに、例えばＣ−１１で放射性標識されていてもよい、ノルエピネフリン類似体メタラミノール（式中、Ｒ１、Ｒ４及びＲ６〜Ｒ８が水素であり、且つＲ２がメチルである）、フェニレフリン（式中、Ｒ２、Ｒ４及びＲ６〜Ｒ８が水素であり、且つＲ１がメチルである）及びメタヒドロキシエフェドリン（式中、Ｒ４及びＲ６〜Ｒ８が水素であり、且つＲ１及びＲ２がメチルである）、並びに、例えば本明細書に記載される放射性ハロゲン同位体で放射性標識されていてもよいそれらのハロゲン化誘導体、例えば４−フルオロメタラミノール（４−ＦＭＲ）、６−フルオロメタラミノール（６−ＦＭＲ）、４−ブロモメタラミノール（４−ＢＭＲ）、６−ブロモメタラミノール（６−ＢＭＲ）、４−ヨードメタラミノール（４−ＩＭＲ）及び６−ヨードメタラミノール（６−ＩＭＲ）が挙げられる。
【０２３０】
一部の実施形態では、Ｒ５及びＲ６は各々ヒドロキシである。一部の実施形態では、Ｒ５及びＲ６は各々ヒドロキシであり、Ｒ１は水素又はメチルであり、Ｒ２は水素であり、Ｒ３は水素又はヒドロキシであり、及びＲ４、Ｒ７及びＲ８は各々水素又はハロである。かかる化合物の例としては、限定なしに、例えばＣ−１１で放射性標識されていてもよい、神経伝達物質ドーパミン（式中、Ｒ１、Ｒ３、Ｒ４、Ｒ７及びＲ８が各々水素である）、ノルエピネフリン（式中、Ｒ１、Ｒ４、Ｒ７及びＲ８が各々水素であり、且つＲ３がヒドロキシである）及びエピネフリン（式中、Ｒ４、Ｒ７及びＲ８が各々水素であり、Ｒ１がメチルであり、且つＲ３がヒドロキシである）、及び類似体エピニン（式中、Ｒ１がメチルであり、且つＲ３、Ｒ４、Ｒ７及びＲ８が各々水素である）、並びに、例えば（例えば、本明細書に記載されるとおりの）放射性ハロゲン同位体で放射性標識されていてもよいそれらのハロゲン化誘導体、例えば、６−フルオロノルエピネフリン、６−フルオロドパミン及び６−ヨードドパミンが挙げられる。
【０２３１】
一部の実施形態では、Ｒ３がヒドロキシであり、且つＲ３に結合した炭素原子が、ノルエピネフリン及びエピネフリンにあるとおりの（Ｒ）キラリティーを有する。
【０２３２】
一部の実施形態では、Ｒ２がアルキル（例えば、メチル）であり、且つＲ２に結合した炭素原子が、エフェドリン及びデクストロメタンフェタミンなどのカテコールアミン類似体にあるとおりの（Ｓ）キラリティーを有する。
【０２３３】
一部の実施形態では、Ｒ２に結合した炭素原子及び／又はＲ３に結合した炭素原子は、（Ｒ）及び（Ｓ）キラリティーの混合物（例えば、ラセミ化合物）の形態である。
【０２３４】
一般に、Ｒ３がヒドロキシである化合物は、ノルエピネフリン及びエピネフリンと比較的類似しており、典型的にはノルエピネフリン及び／又はエピネフリン分泌及び／又は結合細胞に対して親和性を呈し、一方でＲ３が水素である化合物はドーパミンに一層類似しており、典型的にはドーパミン分泌及び／又は結合細胞に対して親和性を呈する。しかしながら、ドーパミン並びにその類似体及びハロゲン化誘導体はまたノルエピネフリン類似体としても作用し、ノルエピネフリン分泌細胞に位置するノルエピネフリントランスポーター（ＮＥＴ；例えば、神経ノルエピネフリントランスポーター）に親和性を呈する。
【０２３５】
放射性標識ノルエピネフリン又はその類似体、又はそのハロゲン化誘導体（例えば、ドーパミン、エピネフリン、エピニン、６−フルオロノルエピネフリン、６−フルオロドパミン、６−ヨードドパミン、メタラミノール、フェニレフリン、メタヒドロキシエフェドリン、４−ＦＭＲ、６−ＦＭＲ、４−ＢＭＲ、６−ＢＭＲ、４−ＩＭＲ及び６−ＩＭＲ）を含む放射性リガンドを使用して、ノルエピネフリントランスポーター（ＮＥＴ；例えば、神経ノルエピネフリントランスポーター）及び／又は小胞モノアミントランスポーター（ＶＭＡＴ）を選択的にイメージングし得る。ＶＭＡＴ及びＮＥＴは、例えば、（例えば、交感神経系の）アドレナリン作動性シナプスのシナプス前ニューロンに存在する。
【０２３６】
放射性標識ドーパミン又はその類似体、又はそのハロゲン化誘導体（例えば、ドーパミン、エピニン、６−フルオロドパミン、６−ヨードドパミン）を含む放射性リガンドはまた、例えば脾臓、骨髄、腎臓及び膵臓におけるドーパミン結合細胞のイメージングにも使用され得る。
【０２３７】
ノルエピネフリン再取込み阻害薬及びそれらのハロゲン化誘導体もまた、ノルエピネフリントランスポーター（ＮＥＴ）の選択的なイメージングに使用され得る。
【０２３８】
ノルエピネフリン再取込み阻害薬（ＮＲＩ）の例としては、限定なしに、選択的ＮＲＩ、例えば、アメダリン、アトモキセチン、ＣＰ−３９，３３２、ダレダリン、エディボキセチン、エスレボキセチン、ロルタラミン、マプロチリン、マジンドール、ニソキセチン、ノミフェンシン、レボキセチン、タロプラム、タルスプラム、タンダミン及びビロキサジン、並びに非選択的ＮＲＩ、例えば、ブプロピオン、シクラジンドール、デシプラミン、マニファキシン、ラダファキシン、タペンタドール及びテニロキサジンが挙げられる。前述のＮＲＩは全て、放射性同位体（例えば、Ｃ−１１、Ｎ−１３及び／又はＯ−１５）を含むことにより放射性標識されてもよい。
【０２３９】
マニファキシン及びエディボキセチンは、フッ素を含む、従ってＦ−１８を含むことにより放射性標識され得るＮＲＩの例である。
【０２４０】
一部の実施形態では、ＮＲＩのハロゲン化誘導体は、水素原子（例えば、芳香環に結合した水素原子）を放射性ハロゲン原子（例えば、Ｆ−１８、Ｂｒ−７６、Ｂｒ−７７、Ｉ−１２３、Ｉ−１３４、Ｉ−１２５、Ｉ−１３１）に置換することにより誘導体化されるＮＲＩ（例えば、本明細書に記載されるＮＲＩ）である。
【０２４１】
一部の実施形態では、ＮＲＩのハロゲン化誘導体は、ハロゲン原子（例えば、塩素、フッ素）を放射性ハロゲン原子（例えば、Ｆ−１８、Ｂｒ−７６、Ｂｒ−７７、Ｉ−１２３、Ｉ−１３４、Ｉ−１２５、Ｉ−１３１）に置換することにより誘導体化される（例えば、本明細書に記載されるとおりの）ＮＲＩである。ブプロピオン、シクラジンドール、ロルタラミン、マジンドール及びラダファキシンは、塩素原子（例えば、芳香環に結合した塩素原子）を放射性フッ素、臭素又はヨウ素原子に置換することにより誘導体化され得るＮＲＩの例である。マニファキシン及びエディボキセチンは、フッ素原子（例えば、芳香環に結合したフッ素原子）を放射性臭素又はヨウ素原子に置換することにより誘導体化され得るＮＲＩの例である。
【０２４２】
一部の実施形態では、放射性リガンドは、一般式ＩＩ：
Ａ−Ｂ−Ｄ−Ｅ
式ＩＩ
又はその薬学的に許容可能な塩（式中：
Ａは、アリール及びヘテロアリール（各々が置換又は非置換である）からなる群から選択され；
Ｂは、Ｏ、Ｓ、ＮＲ１０からなる群から選択されるか又は存在せず；
Ｄは、アルキル、シクロアルキル、ヘテロ脂環式化合物、アリール及びヘテロアリールからなる群から選択され；及び
Ｅは−ＮＲ１１−Ｃ（＝ＮＨ）ＮＨ２（グアニジン基）であり、式中、Ｒ１１は、水素、アルキル、シクロアルキル、ヘテロ脂環式化合物、アリール及びヘテロアリールからなる群から選択されるか、或いは、Ｒ１１及びＲ１０は一体に結合して、Ｂ、Ｄ及びＮＲ１１を含むヘテロ脂環式環又はヘテロアリール環を形成し、
少なくとも１つの原子が放射性（例えば、放射性炭素、放射性窒素、放射性酸素、及び／又は本明細書に記載されるとおりの放射性ハロゲン原子）である）を有する。
【０２４３】
一般式ＩＩの各原子は放射性であっても又は非放射性であってもよい。例えば、一般式ＩＩのハロゲン原子（存在する場合）は放射性であっても（例えば、Ｆ−１８、Ｂｒ−７６、Ｂｒ−７７、Ｉ−１２３、Ｉ−１２４、Ｉ−１２５、Ｉ−１３１）又は非放射性であってもよく；一般式ＩＩの炭素原子は放射性であっても（例えば、Ｃ−１１）又は非放射性であってもよく；一般式ＩＩの窒素原子は放射性であっても（例えば、Ｎ−１３）又は非放射性であってもよく；及び一般式ＩＩの酸素原子（存在する場合）は放射性であっても（例えば、Ｏ−１５）又は非放射性であってもよい。
【０２４４】
一部の実施形態では、かかる化合物は、分子の一端のアリール及びヘテロアリール（カテコールアミンのカテコール部分と同類であり得る）並びに分子の他端の正電荷グアニジン基（カテコールアミンのアミン基と同類であり得る）に起因してカテコールアミン神経伝達物質類似体として作用する。
【０２４５】
一部の実施形態では、Ａは、ハロ、ヒドロキシ及びアミン（例えば、−ＮＨ２）からなる群から選択される置換基により置換されているアリール又はヘテロアリールである。一部の実施形態では、このヒドロキシ又はアミンは可変項Ｂ及びＤに対してアリール又はヘテロアリール（例えば、フェニル、ピリジニル）の４位（パラ位）にある。
【０２４６】
一部の実施形態では、Ａは、ハロのみ（例えば、単一のハロゲン原子）により置換されているアリール又はヘテロアリールであり、即ちそのアリール環又はヘテロアリール環に結合している他の全ての原子は水素である。一部の実施形態では、ハロゲンはヨウ素（例えば、Ｉ−１２３、Ｉ−１２４、Ｉ−１２５、Ｉ−１３１）である。
【０２４７】
一部の実施形態では、Ａは置換又は非置換アリールである。一部の実施形態では、Ａは置換フェニル（例えば、ヨードフェニル）又は非置換フェニルである。
【０２４８】
一部の実施形態では、ハロ置換フェニルは可変項Ｂ及びＤに対して３位（メタ位）又は４位（パラ位）でハロにより置換されている。一部の実施形態では、ハロ置換フェニルは３位（メタ位）でハロ（例えば、ヨード）により置換されており、例えば、３−ヨードフェニル、３−ブロモフェニル、３−ヨード−４−ヒドロキシフェニル、４−フルオロ−３−ヨードフェニル及び／又は３−ヨード−４−アミノフェニルである。３−ヨードフェニルは例示的ハロ置換アリールである。一部の実施形態では、ハロ置換フェニルは４位（パラ位）でハロ（例えば、フルオロ）により置換されており、例えば、４−フルオロフェニル及び／又は４−フルオロ−３−ヨードフェニルである。
【０２４９】
一部の実施形態では、ＢがＮＲ１０であり、且つＲ１１及びＲ１０が一緒に結合してヘテロ脂環式環又はヘテロアリール環を形成する。一部の実施形態では、Ｂ、Ｄ及びＮＲ１１が一緒になってピペラジン環（例えば、非置換ピペラジン環）を形成する。
【０２５０】
一部の実施形態では、Ｄがメチレン（ＣＨ２）である。例示的実施形態では、Ｂが存在せず、且つＤがメチレンである。
【０２５１】
一部の実施形態では、かかる化合物は、分子の一端のアリール及びヘテロアリール（カテコールアミンのカテコール部分と同類であり得る）並びに分子の他端の正電荷グアニジン基（カテコールアミンのアミン基と同類であり得る）に起因してカテコールアミン神経伝達物質（例えば、ノルエピネフリン）類似体として作用する。
【０２５２】
式ＩＩの可変項Ｅなどのグアニジン基を有する放射性リガンドを使用して、例えばアドレナリン作動性シナプスにおけるノルエピネフリントランスポーター（ＮＥＴ；例えば、神経ノルエピネフリントランスポーター）及び／又は小胞モノアミントランスポーター（ＶＭＡＴ）を選択的にイメージングし得る。
【０２５３】
グアニジン基を有する放射性リガンドの例としては、限定なしに、ｍ−ヨードベンジルグアニジン（ｍＩＢＧ）、ｍ−ブロモベンジルグアニジン（ｍＢＢＧ）、ｐ−フルオロベンジルグアニジン（ｐＦＢＧ）、４−フルオロ−３−ヨードベンジルグアニジン（ＦＩＢＧ）、４−アミノ−３−ヨードベンジルグアニジン、１−アミジノ−４−フェニルピペラジン及び１−アミジノ−４−（４−ヨードフェニル）ピペラジンが挙げられる。
【０２５４】
一部の実施形態では、放射性リガンドは、コリン作動性活性領域（例えば、コリン作動性シナプス）に選択的である。コリン作動性活性領域の例としては、例えば、交感神経節、副交感神経節、副交感神経シナプス（ここでは副交感神経節後ニューロンが臓器と連絡する）、神経筋接合部（ここでは体性ニューロンが筋肉と連絡する）、及び汗腺の交感神経シナプスが挙げられる。
【０２５５】
本明細書において、用語「コリン作動性」は、信号伝達にコリン誘導体、典型的にはアセチルコリンを使用することによって特徴付けられる活性を指す。
【０２５６】
本明細書及び当該技術分野では、語句「交感神経節」は、交感神経系のニューロンが集まる位置を指す。詳細には、「節前ニューロン」と称される、中枢神経系と交感神経節とを接続するニューロンが、「節後ニューロン」と称される、神経節を臓器に接続するニューロンと神経節の（コリン作動性）シナプスを介して連絡する。語句「交感神経節」は、本明細書では副腎髄質を包含し、副腎髄質のクロム親和性細胞は、本明細書では、シナプスではなく血中にエピネフリン及びノルエピネフリンなどのカテコールアミンを放出する節後交感神経細胞と見なされる。
【０２５７】
一部の実施形態では、放射性リガンドは、ニコチン性アセチルコリン受容体によって特徴付けられるコリン作動性活性領域に選択的である。ニコチン性アセチルコリン受容体によって特徴付けられる領域の例としては、例えば、交感神経節、副交感神経節、及び神経筋接合部が挙げられる。
【０２５８】
一部の実施形態では、放射性リガンドはニコチン性アセチルコリン受容体作動薬を含み、ここで少なくとも１つの原子が放射性（例えば、放射性炭素、放射性窒素、放射性酸素、及び／又は本明細書に記載されるとおりの放射性ハロゲン原子）である。本発明の一部の実施形態に係る放射性リガンドとして使用され得るニコチン性アセチルコリン受容体作動薬の例としては、限定なしに、アセチルコリン、コリン、カルバコール、ニコチン、エピバチジン、テバニクリン、５−ＩＡ−８５３８０、ＳＩＢ−１５５３Ａ及びジメチルフェニルピペラジニウム（ＤＭＰＰ）が挙げられる。ＤＭＰＰは、神経節型ニコチン受容体に選択的な作動薬の例である。
0006682273.tif 000006
【０２５９】
本明細書全体を通して、放射性トレーサー（例えば、放射性リガンド）が（例えば、名称及び／又は式によって）記載される場合は常に、トレーサーの分子の少なくとも一部分における少なくとも１つの原子が放射性同位体であり、しかしながら放射性同位体はトレーサーの記載（例えば、名称及び／又は式）によって明示的に指示されないこともある点が理解されるべきである。各原子は放射性であっても又は非放射性であってもよい。例えば、ハロゲン原子（存在する場合）は放射性であっても（例えば、Ｆ−１８、Ｂｒ−７６、Ｂｒ−７７、Ｉ−１２３、Ｉ−１２４、Ｉ−１２５、Ｉ−１３１）又は非放射性であってもよく；炭素原子は放射性であっても（例えば、Ｃ−１１）又は非放射性であってもよく；窒素原子（存在する場合）は放射性であっても（例えば、Ｎ−１３）又は非放射性であってもよく；及び酸素原子（存在する場合）は放射性であっても（例えば、Ｏ−１５）又は非放射性であってもよい。当業者には、本明細書に記載される各トレーサーに（例えば、本明細書に記載されるとおりの）放射性同位体が含まれ得ることは明らかであろう。この知識、及び本明細書に提供される助言に基づけば、当業者には、ＰＥＴ又はＳＰＥＣＴなどの所与のイメージング技術に本明細書に記載される放射性トレーサーのどれを用い得るかは明らかであろう。例えば、少なくとも１つのヨウ素原子を含む放射性トレーサーはＳＰＥＣＴに特に好適であり、従ってトレーサーは、ＳＰＥＣＴに特に好適なＩ−１２３を含み得る。
【０２６０】
一部の実施形態では、放射性リガンドはニコチン性アセチルコリン受容体拮抗薬を含む。本発明の一部の実施形態に係る放射性リガンドとして使用され得るニコチン性アセチルコリン受容体拮抗薬の例としては、限定なしに、ＧＴＳ−２１、ＡＲ−Ｒ１７７７９、メカミラミン、トリメタファン（例えば、カンシル酸トリメタファン）、ヘキサメソニウム、ペントリニウム、クロリソンダミン、ペンピジン、ペンタミン、１８−メトキシコロナリジン（１８−ＭＣ）、１８−メチルアミノコロナリジン（１８−ＭＡＣ）、２−メトキシエチル−１８−メトキシコロナリジネート（ｍｅｔｈｏｘｙｃｏｒｏｎａｒｉｄｉｎａｔｅ）（ＭＥ−１８−ＭＣ）が挙げられる。神経節型ニコチン受容体に選択的な拮抗薬の例としては、限定なしに、トリメタファン、ヘキサメソニウム、１８−ＭＣ、１８−ＭＡＣ及びＭＥ−１８−ＭＣが挙げられる。
0006682273.tif 000007
【０２６１】
一部の実施形態では、放射性リガンドは、ＡＮＳ神経節に特異的な神経節型ニコチン性アセチルコリン受容体によって特徴付けられるコリン作動性活性領域との結合能を有し、それにより神経節のイメージングを促進する。一部の実施形態では、放射性リガンドは、神経節型ニコチン性アセチルコリン受容体によって特徴付けられる領域に選択的に結合し、それにより神経節の選択的なイメージングを促進する。
【０２６２】
一部の実施形態では、放射性リガンドは、ムスカリン性アセチルコリン受容体によって特徴付けられるコリン作動性活性領域に選択的である。ムスカリン性アセチルコリン受容体によって特徴付けられる領域の例としては、例えば、副交感神経シナプス、神経筋接合部（ここでは体性ニューロンが筋肉と連絡する）、及び汗腺の交感神経シナプスが挙げられる。
【０２６３】
一部の実施形態では、放射性リガンドはムスカリン性アセチルコリン受容体作動薬を含む。
【０２６４】
一部の実施形態では、放射性リガンドはムスカリン性アセチルコリン受容体拮抗薬を含む。当該技術分野において「ＭＱＮＢ」としても知られるクリジニウム（及びその塩）は、（例えば、Ｎ−メチル基でＣ−１１によって）放射性標識されるのに好適なムスカリン性アセチルコリン受容体拮抗薬の例である。
0006682273.tif 000008
【０２６５】
一部の実施形態では、放射性リガンドは、外分泌腺及び神経節と関連付けられるＭ１ムスカリン性アセチルコリン受容体；心臓に特異的なＭ２ムスカリン性アセチルコリン受容体；及び／又は平滑筋（例えば、内皮細胞）及び肺と関連付けられるＭ３ムスカリン性アセチルコリン受容体によって特徴付けられるコリン作動性活性領域との結合能を有し、それにより特定の組織のイメージングを促進する。一部の実施形態では、放射性リガンドは、Ｍ１ムスカリン受容体によって特徴付けられる領域に選択的に結合する。一部の実施形態では、放射性リガンドは、Ｍ２ムスカリン受容体によって特徴付けられる領域に選択的に結合する。一部の実施形態では、放射性リガンドは、Ｍ３ムスカリン受容体によって特徴付けられる領域に選択的に結合する。
【０２６６】
一部の実施形態では、放射性リガンドは作動薬と拮抗薬との混合物を含み、従って標的活性の潜在的に有害な作動作用又は拮抗作用の正味の大きさを最小限に抑えながら標的との結合を提供する。
【０２６７】
一部の実施形態では、放射性リガンドはベサミコール又はベサミコール誘導体、例えばベンゾベサミコール又はアザベサミコールである。
【０２６８】
一部の実施形態では、放射性リガンドは、一般式ＩＩＩ：
0006682273.tif 000009
又はその薬学的に許容可能な塩（式中、Ｘ及びＹは、各々独立してＮ又はＣＨであり、破線が飽和結合を表すか、或いは、Ｘ及びＹは各々Ｃであり、破線が飽和結合を表し；及び
Ｒ３０及びＲ３１は、各々、水素、及び置換又は非置換フェニル、ベンジル又はベンゾイルからなる群から独立して選択されるか、或いは、Ｒ３０及びＲ３１が一緒になって置換又は非置換フェニル環を形成し（式中、Ｘ及びＹは各々Ｃであり、且つ破線が不飽和結合を表す）、
少なくとも１つの原子が放射性（例えば、放射性炭素、放射性窒素、放射性酸素、及び／又は本明細書に記載されるとおりの放射性ハロゲン原子）である）を有する。
【０２６９】
一般式ＩＩＩの各原子は放射性であっても又は非放射性であってもよい。例えば、一般式ＩＩＩのハロゲン原子（存在する場合）は放射性であっても（例えば、Ｆ−１８、Ｂｒ−７６、Ｂｒ−７７、Ｉ−１２３、Ｉ−１２４、Ｉ−１２５、Ｉ−１３１）又は非放射性であってもよく；一般式ＩＩＩの炭素原子（例えば、アルキル、シクロアルキル、アリール又はヘテロ脂環式化合物中の）は放射性であっても（例えば、Ｃ−１１）又は非放射性であってもよく；一般式ＩＩＩの窒素原子（例えば、示されるヘテロ脂環式基中の）は放射性であっても（例えば、Ｎ−１３）又は非放射性であってもよく；及び一般式ＩＩＩの酸素原子（例えば、示されるヒドロキシ中の）は放射性であっても（例えば、Ｏ−１５）又は非放射性であってもよい。
【０２７０】
一部の実施形態では、Ｒ３０及び／又はＲ３１が置換フェニル、ベンジル又はベンゾイルであり、各々はフェニル環上でハロ（例えば、本明細書に記載される放射性ハロゲン同位体）により置換されている。
【０２７１】
一部の実施形態では、式ＩＩＩのヒドロキシ基に結合した炭素原子が（Ｒ）キラリティーを有する。
【０２７２】
一部の実施形態では、式ＩＩＩのピペリジン環に結合したシクロアルキル又はヘテロ脂環式化合物炭素原子が（Ｒ）キラリティーを有する。一部の実施形態では、式ＩＩＩのヒドロキシ基に結合したシクロアルキル又はヘテロ脂環式化合物炭素原子及び式ＩＩＩのピペリジン環に結合した炭素原子が各々（Ｒ）キラリティーを有する。
【０２７３】
実施形態において、放射性リガンドはベサミコール（式中Ｘ及びＹは各々ＣＨであり、且つＲ３０及びＲ３１は各々水素である（例えば、Ｃ−１１で放射性標識されたベサミコール））、又はその誘導体（Ｒ３０及び／又はＲ３１は水素ではない）である。
【０２７４】
一部の実施形態では、放射性リガンドはアザベサミコールであり、式中、Ｘ及びＹの少なくとも一方がＮである。一部の実施形態では、Ｘ及びＹの一方がＮである。ＹがＮであり、且つＸがＣＨであるとき、化合物はトロザミコールと称される。ＸがＮであり、且つＹがＣＨであるとき、化合物はプレザミコールと称される。４−フルオロベンジルトロザミコール（ＦＢＴ）は、例えばＦ−１８で放射性標識され得るトロザミコール放射性リガンドの例である。
【０２７５】
一部の実施形態では、Ｘ及び／又はＹにより表される窒素原子が置換される一方、Ｘ及び／又はＹにより表されるＣＨは置換されず、即ち、ＹがＮであり、且つＸがＣＨであるとき、Ｒ３０は水素でなく、且つＲ３１は水素であり、ＹがＣＨであり、且つＸがＮであるとき、Ｒ３０は水素であり、且つＲ３１は水素でない。
【０２７６】
一部の実施形態では、放射性リガンドはベンゾベサミコールであり、式中、Ｒ３０及びＲ３１は一緒になって置換又は非置換フェニル環を形成する。一部の実施形態では、Ｒ３０及びＲ３１は一緒になって、ハロ（例えば、ヨード）、ハロアルキル（例えば、フルオロアルキル）又はハロアルコキシ（例えば、フルオロアルコキシ）で置換されたフェニル環を形成する。一部の実施形態では、ハロアルコキシは２−フルオロエトキシである。任意選択で（例えば、本明細書に記載されるとおりの）放射性ハロゲン同位体で放射性標識され得るベンゾベサミコールの例としては、限定なしに、５−ヨードベンゾベサミコール（５−ＩＢＶＭ）及び５−フルオロエトキシベンゾベサミコール（ＦＥＯＢＶ）が挙げられる。
0006682273.tif 000010
【０２７７】
ベサミコール及び（例えば、本明細書に記載されるとおりの）ベサミコール誘導体を使用して、例えば、（例えば、本明細書に記載されるとおりの）コリン作動性活性領域、例えば神経節におけるシナプス前コリン作動性ニューロンを選択的にイメージングし得る。
【０２７８】
一部の実施形態では、放射性リガンドは、米国特許第６，２１１，３６０号明細書（この内容は参照により本明細書に援用される）に記載されるとおりのイボガミン類似体、又はそのハロゲン化誘導体である。かかる類似体（例えば、１８−ＭＣ、１８−ＭＡＣ及びＭＥ−１８−ＭＣ）は、ニコチン受容体、特に神経節型ニコチン受容体の拮抗作用を呈する。
【０２７９】
一部の実施形態では、放射性リガンドは、一般式ＩＶ：
0006682273.tif 000011
又はその薬学的に許容可能な塩（式中：
Ｒ４１〜Ｒ４６は、各々独立して置換又は非置換アルキルであるか、或いは、Ｒ４１〜Ｒ４３のうちのいずれか２つ及び／又はＲ４４〜Ｒ４６のうちのいずれか２つが一緒になって３員、４員、５員、又は６員置換又は非置換ヘテロアリール環又はヘテロ脂環式環を形成し；及び
Ｌは、２〜１０原子長の置換又は非置換炭化水素鎖であり、
少なくとも１つの原子が放射性（例えば、放射性炭素、放射性窒素、放射性酸素、及び／又は本明細書に記載されるとおりの放射性ハロゲン原子）である）を有する。
【０２８０】
一般式ＩＶの各原子は放射性であっても又は非放射性であってもよい。例えば、一般式ＩＶのハロゲン原子（存在する場合）は放射性であっても（例えば、Ｆ−１８、Ｂｒ−７６、Ｂｒ−７７、Ｉ−１２３、Ｉ−１２４、Ｉ−１２５、Ｉ−１３１）又は非放射性であってもよく；一般式ＩＶの炭素原子（例えば、アルキル中の）は放射性であっても（例えば、Ｃ−１１）又は非放射性であってもよく；一般式ＩＶの窒素原子（例えば、示されるアンモニウム基中の）は放射性であっても（例えば、Ｎ−１３）又は非放射性であってもよく；及び一般式ＩＶの酸素原子（存在する場合）は放射性であっても（例えば、Ｏ−１５）又は非放射性であってもよい。
【０２８１】
本明細書で使用されるとき、「炭化水素鎖」は、置換又は非置換炭素骨格を含む直鎖を指す。炭化水素鎖は、鎖骨格内に１つ又は２つのヘテロ原子、例えばＮ、Ｏ及び／又はＳを含み得る。例えば、炭化水素鎖は、アルキル−ＮＲ’−アルキル（式中、Ｒ’は水素、アルキル、シクロアルキル、アリール、ヘテロアリール、ヘテロ脂環式化合物である）、アルキル−Ｏ−アルキル又はアルキル−Ｓ−アルキルであり得る。
【０２８２】
一部の実施形態では、炭化水素鎖は、アルキル基、例えば、エチレン、トリメチレン、テトラメチレン、ペンタメチレン、ヘキサメチレン、ヘプタメチレン、オクタメチレン、ノナメチレン又はデカメチレンである。
【０２８３】
一部の実施形態では、炭化水素鎖は鎖内にアミン基を含む。一部の実施形態では、炭化水素鎖はアルキル−ＮＲ’−アルキル（式中、Ｒ’は本明細書に定義するとおりである）である。一部の実施形態では、Ｒ’はアルキル（例えば、メチル）である。一部の実施形態では、炭化水素鎖は−ＣＨ２ＣＨ２Ｎ（ＣＨ３）ＣＨ２ＣＨ２−である。
【０２８４】
一部の実施形態では、炭化水素鎖は５又は６原子長（例えば、ペンタメチレン、ヘキサメチレン、ＣＨ２ＣＨ２Ｎ（Ｒ’）ＣＨ２ＣＨ２−）である。
【０２８５】
一部の実施形態では、Ｒ４１〜Ｒ４６は、各々独立して、１〜４炭素原子長の置換又は非置換アルキル（例えば、メチル、エチル、ｎ−プロピル、イソプロピル、ｎ−ブチル、イソブチル、ｔ−ブチル）であるか、或いは、Ｒ４１〜Ｒ４３のいずれか２つ及び／又はＲ４４〜Ｒ４６のいずれか２つが一緒になって、３員、４員、５員、又は６員置換又は非置換ヘテロ脂環式環、例えば３員アジリジン環、４員アゼチジン環、５員ピロリジン環又は６員ピペリジン環を形成する。一部の実施形態では、アルキルはメチル又はエチルである。一部の実施形態では、アルキルはメチルである。一部の実施形態では、ヘテロ脂環式環は置換又は非置換ピロリジン環である。
【０２８６】
一般式ＩＶを有する化合物は二重に荷電しており、従ってそれが血液脳関門を大幅という程まで通過する可能性は低い。この特性は、脳におけるコリン作動性活性の阻害に伴う有害な副作用を低減するにおいて有用であり得る。
【０２８７】
放射性リガンドとして用いられ得る一般式ＩＶを有する化合物には、ニコチン受容体、特に神経節型ニコチン受容体の拮抗薬、例えば、ヘキサメソニウム、ペントリニウム、ペンタミン及びクロリソンダミンが含まれる。
【０２８８】
一部の実施形態では、放射性リガンドは、一般式Ｖ：
Ｇ−Ｊ−Ｋ
式Ｖ
又はその薬学的に許容可能な塩（式中：
Ｇは置換又は非置換フェニル又はピリジニル部分であり；
Ｊは存在しないか、又はＯ、Ｓ、−Ｏ−アルキル−、−Ｓ−アルキル、−アルキル−Ｏ−及びアルキル−Ｓ−からなる群から選択され；及び
Ｋは、少なくとも１つの窒素原子を含む置換又は非置換ヘテロ脂環式環であり、
少なくとも１つの原子が放射性（例えば、放射性炭素、放射性窒素、放射性酸素、及び／又は本明細書に記載されるとおりの放射性ハロゲン原子）である）を有する。
【０２８９】
一般式Ｖの各原子は放射性であっても又は非放射性であってもよい。例えば、一般式Ｖのハロゲン原子（存在する場合）は放射性であっても（例えば、Ｆ−１８、Ｂｒ−７６、Ｂｒ−７７、Ｉ−１２３、Ｉ−１２４、Ｉ−１２５、Ｉ−１３１）又は非放射性であってもよく；一般式Ｖの炭素原子（例えば、アルキル、アリール又はヘテロアリール中の）は放射性であっても（例えば、Ｃ−１１）又は非放射性であってもよく；一般式Ｖの窒素原子（例えば、ピリジニル又はヘテロ脂環式化合物中の）は放射性であっても（例えば、Ｎ−１３）又は非放射性であってもよく；及び一般式Ｖの酸素原子（例えば、Ｊ中の）は放射性であっても（例えば、Ｏ−１５）又は非放射性であってもよい。
【０２９０】
式Ｖは、ニコチン（式中、Ｇがピリジン−３−イルであり、Ｊが存在せず、且つＫがＮ−メチル−ピロリジン−２−イルである）及びその類似体を包含し、これは典型的にはニコチン受容体に対して作動性活性を呈する。
【０２９１】
一部の実施形態では、フェニル又はピリジニル部分は（例えば、Ｊに対してメタ位で）ハロ（例えば、クロロ、ヨード）に置換されている。一部の実施形態では、ハロは放射性同位体（例えば、本明細書に記載される放射性ヨウ素同位体）である。
【０２９２】
一部の実施形態では、Ｇは置換又は非置換フェニル又はピリジン−３−イルである。一部の実施形態では、ピリジン−３−イルは６−ハロ−ピリジン−３−イルであり、即ち、（例えば、本明細書に記載されるとおりの）Ｊに対してメタ位でハロに置換されている。
【０２９３】
一部の実施形態では、Ｊは、１つ又は２つの炭素原子を有するアルキルを含む。一部の実施形態では、Ｊは、１つ又は２つの炭素原子を有するアルキル（例えば、ＣＨ２、ＣＨ２ＣＨ２）を含む。一部の実施形態では、Ｊは−Ｏ−ＣＨ２である。一部の実施形態では、Ｊは−Ｓ−ＣＨ２ＣＨ２である。
【０２９４】
一部の実施形態では、Ｋは置換又は非置換４員環、５員環又は６員環である。
【０２９５】
一部の実施形態では、Ｋは１つの窒素原子（例えば、置換又は非置換アゼチジン、ピロリジン又はピペリジン）又は２つの窒素原子（例えば、置換又は非置換イミダゾリジン又はピペラジン）を有する。
【０２９６】
Ｋが置換環であるとき、置換基は、ヘテロ脂環式環の１つ以上の窒素原子及び／又は１つ以上の炭素原子に結合していてもよい。例としては、限定なしに、Ｎ−メチル置換基、Ｎ，Ｎ−ジメチル置換基、Ｃ−メチル置換基、及びメチレン又はエチレン架橋が挙げられる。例えば、一部の実施形態ではＫは７−アザ−ビシクロ［２．２．１］ヘプタンであり、これはエチレン架橋によって置換されたピロリジン環である。
【０２９７】
一部の実施形態では、Ｋは、置換又は非置換ピロリジン−２−イル（例えば、Ｎ−メチル−ピロリジン（ｐｙｙｒｏｌｉｄｉｎ）−２−イル）、ピロリジン−３−イル（例えば、７−アザ−ビシクロ［２．２．１］ヘプタ−２−イル）、アゼチジン−２−イル（例えば、非置換アゼチジン−２−イル）及びピペラジニル（例えば、４，４−ジメチルピペラジン−１−イル）からなる群から選択される。
【０２９８】
放射性リガンドとして用いられ得る一般式Ｖを有する化合物の例としては、限定なしに、ニコチン、エピバチジン、ＤＭＰＰ、テバニクリン及び５−Ｉ−Ａ−８５３８０が挙げられる。
【０２９９】
本明細書に記載されるとおりの放射性トレーサーにおける放射性同位体の組込みは、当該技術分野で公知の様々な技法により実施され得る。
【０３００】
一部の実施形態では、例えばＶａｌｌａｂｈａｊｏｓｕｌａ＆Ｎｉｋｏｌｏｐｏｕｌｏｕ［Ｓｅｍｉｎ  Ｎｕｃｌ  Ｍｅｄ  ２０１１，４１：３２４−３３］により記載されるとおり、放射性ハロゲン（例えば、フッ素、臭素、ヨウ素）同位体が求電子及び／又は求核芳香族置換によって芳香環に結合される。
【０３０１】
一部の実施形態では、Ｎ−アルキル基（例えば、Ｎ−メチル、Ｎ−エチル）を含む化合物、例えば、ＤＭＰＰ、ＳＩＢ−１５５３Ａ、１８−メチルアミノコロナリジン及び式ＩＶに係る化合物（例えば、ヘキサメソニウム、ペントリニウム、ペンタミン及びクロリソンダミン）が、アミン基とＣ−１１標識小分子（例えば、ヨウ化メチル、ヨウ化エチル）との求核反応によりＮ−アルキル基でＣ−１１によって放射性標識される。
【０３０２】
多くの神経伝達物質及びその類似体は事実上血液脳関門を通過せず、従って脳に対する潜在的に有害な作用が低減又は回避されるため、末梢神経系のイメージングに特に有用であることが理解されるべきである。
【０３０３】
脳イメージングにおける使用に好適な、例えば血液脳関門を通過する能力を有する放射性リガンドの例としては、限定なしに、５−ＩＢＶＭ、ヨードベンズアミド、エピデプリド、イオマゼニル、５−Ｉ−Ａ−８５３８０、ＡＤＡＭ、アルトロパン、ＰＥ２Ｉ、イオフルパン、β−ＣＩＴ（ＲＴＩ−５５）、ＲＴＩ−１２１、ＲＴＩ−２２９、ＲＴＩ−３５２、ＴＲＯＤＡＴ−１及びＴＲＯＴＥＣ−１が挙げられる。
【０３０４】
放射性標識され得るさらなるリガンド及びイメージングにおけるその使用、並びに放射性リガンドの調製技術が、Ｌａｎｇｅｒ＆Ｈａｌｄｉｎ［Ｅｕｒ  Ｊ  Ｎｕｃｌ  Ｍｅｄ  ２００２，２９：４１６−４３４］、Ｖａｌｌａｂｈａｊｏｓｕｌａ＆Ｎｉｋｏｌｏｐｏｕｌｏｕ［Ｓｅｍｉｎ  Ｎｕｃｌ  Ｍｅｄ  ２０１１，４１：３２４−３３］、Ｒｏｓｓ＆Ｓｅｉｂｙｌ［Ｊ  Ｎｕｃｌ  Ｍｅｄ  Ｔｅｃｈ  ２００４，３２：２０９−２１４］、米国特許出願公開第２０１０／０２２１１８２号明細書及び米国特許第６，３５８，４９２号明細書、同第５，０７７，０３５号明細書及び同第５，７８９，４２０号明細書（各々の内容が参照により本明細書に援用される）に記載されている。
【０３０５】
本出願から特許成立までの期間に多くの関連する放射性同位体及び／又は放射性トレーサー、例えば放射性リガンドが開発されるであろうことが予想され、用語「放射性同位体」、「放射性トレーサー」及び「放射性リガンド」の範囲には、事前にかかる新規技術が全て含まれることが意図される。
【０３０６】
詳細には、本出願から特許成立までの期間にＡＮＳ細胞に結合する放射性リガンドの多くの関連するファミリーが開発されるであろうことが予想され、用語「放射性リガンド」の範囲には、事前にかかる新規技術が全て含まれることが意図される。
【０３０７】
本明細書において、用語「アルキル」は、直鎖基及び分枝鎖基を含む飽和又は不飽和脂肪族炭化水素を表す。好ましくは、アルキル基は１〜２０個の炭素原子を有する。本明細書において数値の範囲；例えば「１〜２０」が挙げられるときは常に、その基、この場合にはアルキル基が１個の炭素原子、２個の炭素原子、３個の炭素原子等、最大２０個（２０個を含む）の炭素原子を含み得ることが含意される。より好ましくは、アルキルは、１〜１０個の炭素原子を有する中型アルキルである。最も好ましくは、特に指示されない限り、アルキルは、１〜４個の炭素原子を有する低級アルキルである。アルキル基は置換又は非置換であってよい。置換アルキルは１つ以上の置換基を有してもよく、ここで各置換基は、独立して、例えば、シクロアルキル、アルケニル、アルキニル、アリール、ヘテロアリール、ヘテロ脂環式化合物、アミン、ハロゲン化物、スルホネート、スルホキシド、ホスホネート、ヒドロキシ、アルコキシ、アリールオキシ、チオヒドロキシ、チオアルコキシ、チオアリールオキシ、シアノ、ニトロ、アゾ、スルホンアミド、カルボキシ、チオカルバメート、尿素、チオ尿素、カルバメート、アミド、及びヒドラジンであってもよい。
【０３０８】
不飽和のとき、アルキルは少なくとも１つの炭素−炭素二重結合を含んでもよく（その場合、「アルケニル」とも称され得る）、及び／又は少なくとも１つの炭素−炭素三重結合を含んでもよい（その場合、「アルキニル」とも称され得る）。
【０３０９】
アルキル基は、単一の隣接原子に結合する末端基（この語句が本明細書で定義されるとおりの）であってもよく、又は２つ以上の部分を接続する連結基（この語句が本明細書で定義されるとおりの）であってもよい。
【０３１０】
本明細書において、語句「末端基」は、化合物中の単一の部分にその１つの原子を介して結合する基（例えば、置換基）を表す。
【０３１１】
語句「連結基」は、化合物中の２つ以上の部分に結合する基（例えば、置換基）を表す。
【０３１２】
用語「シクロアルキル」は、環の１つ以上が完全に共役したπ電子系を有しない全炭素単環式基又は縮合環基（即ち、隣接する炭素原子対を共有する環基）を表す。シクロアルキル基は置換又は非置換であってよい。置換シクロアルキルは１つ以上の置換基を有してもよく、ここで各置換基は、独立して、例えば、アルキル、シクロアルキル、アリール、ヘテロアリール、ヘテロ脂環式化合物、アミン、ハロゲン化物、スルホネート、スルホキシド、ホスホネート、ヒドロキシ、アルコキシ、アリールオキシ、チオヒドロキシ、チオアルコキシ、チオアリールオキシ、シアノ、ニトロ、アゾ、スルホンアミド、カルボキシ、チオカルバメート、尿素、チオ尿素、カルバメート、アミド、及びヒドラジンであってもよい。シクロアルキル基は、単一の隣接原子に結合する末端基（この語句が本明細書で定義されるとおりの）であってもよく、又は２つ以上の部分を接続する連結基（この語句が本明細書で定義されるとおりの）であってもよい。
【０３１３】
用語「アリール」は、完全に共役したπ電子系を有する全炭素単環式基又は縮合多環式基（即ち、隣接する炭素原子対を共有する環基）を表す。アリール基は置換又は非置換であってよい。置換アリールは１つ以上の置換基を有してもよく、ここで各置換基は、独立して、例えば、アルキル、シクロアルキル、アリール、ヘテロアリール、ヘテロ脂環式化合物、アミン、ハロゲン化物、スルホネート、スルホキシド、ホスホネート、ヒドロキシ、アルコキシ、アリールオキシ、チオヒドロキシ、チオアルコキシ、チオアリールオキシ、シアノ、ニトロ、アゾ、スルホンアミド、カルボキシ、チオカルバメート、尿素、チオ尿素、カルバメート、アミド、及びヒドラジンであってもよい。アリール基は、単一の隣接原子に結合する末端基（この用語が本明細書で定義されるとおりの）であってもよく、又は２つ以上の部分を接続する連結基（この用語が本明細書で定義されるとおりの）であってもよい。
【０３１４】
用語「ヘテロアリール」は、環に１つ以上の原子、例えば、窒素、酸素及び硫黄を有し、加えて完全に共役したπ電子系を有する単環式基又は縮合環基（即ち、隣接する原子対を共有する環基）を表す。限定なしに、ヘテロアリール基の例としては、ピロール、フラン、チオフェン、イミダゾール、オキサゾール、チアゾール、ピラゾール、ピリジン、ピリミジン、キノリン、イソキノリン及びプリンが挙げられる。ヘテロアリール基は置換又は非置換であってよい。置換ヘテロアリールは１つ以上の置換基を有してもよく、ここで各置換基は、独立して、例えば、アルキル、シクロアルキル、アリール、ヘテロアリール、ヘテロ脂環式化合物、アミン、ハロゲン化物、スルホネート、スルホキシド、ホスホネート、ヒドロキシ、アルコキシ、アリールオキシ、チオヒドロキシ、チオアルコキシ、チオアリールオキシ、シアノ、ニトロ、アゾ、スルホンアミド、カルボキシ、チオカルバメート、尿素、チオ尿素、カルバメート、アミド、及びヒドラジンであってもよい。ヘテロアリール基は、単一の隣接原子に結合する末端基（この語句が本明細書で定義されるとおりの）であってもよく、又は２つ以上の部分を接続する連結基（この語句が本明細書で定義されるとおりの）であってもよい。代表的な例は、ピリジン、ピロール、オキサゾール、インドール、プリンなどである。
【０３１５】
用語「ヘテロ脂環式化合物」は、環に１つ以上の原子、例えば窒素、酸素及び硫黄を有する単環式基又は縮合環基を表す。環はまた、１つ以上の二重結合も有し得る。しかしながら、環は完全に共役したπ電子系を有しない。ヘテロ脂環式化合物は置換又は非置換であってよい。置換ヘテロ脂環式化合物は１つ以上の置換基を有してもよく、ここで各置換基は、独立して、例えば、アルキル、シクロアルキル、アリール、ヘテロアリール、ヘテロ脂環式化合物、アミン、ハロゲン化物、スルホネート、スルホキシド、ホスホネート、ヒドロキシ、アルコキシ、アリールオキシ、チオヒドロキシ、チオアルコキシ、チオアリールオキシ、シアノ、ニトロ、アゾ、スルホンアミド、カルボキシ、チオカルバメート、尿素、チオ尿素、カルバメート、アミド、及びヒドラジンであってもよい。ヘテロ脂環式基は、単一の隣接原子に結合する末端基（この語句が本明細書で定義されるとおりの）であってもよく、又は２つ以上の部分を接続する連結基（この語句が本明細書で定義されるとおりの）であってもよい。代表的な例は、ピペリジン、ピペラジン、テトラヒドロフラン、テトラヒドロピラン、モルホリンなどである。
【０３１６】
本明細書で使用されるとき、用語「アミン」及び「アミノ」は、両方ともに−ＮＲｘＲｙ基−ＮＲｘ−基（式中、Ｒｘ及びＲｙは、各々独立して、水素、アルキル、シクロアルキル、アリール、ヘテロアリール又はヘテロ脂環式化合物（これらの用語が本明細書で定義されるとおりの）である）を表す。Ｒｘ又はＲｙがヘテロアリール又はヘテロ脂環式化合物であるとき、アミン窒素原子はヘテロアリール環又はヘテロ脂環式環の炭素原子に結合する。
【０３１７】
従ってアミン基は、第一級アミン（Ｒｘ及びＲｙが両方ともに水素である）、第二級アミン（Ｒｘが水素であり、且つＲｙが、アルキル、シクロアルキル、アリール、ヘテロアリール又はヘテロ脂環式化合物である）、又は第三級アミン（Ｒｘ及びＲｙの各々が、独立して、アルキル、シクロアルキル、アリール、ヘテロアリール又はヘテロ脂環式化合物である）であり得る。
【０３１８】
用語「ハロゲン化物」及び「ハロ」は、フッ素、塩素、臭素又はヨウ素を指す。
【０３１９】
用語「ハロアルキル」は、１つ以上のハロゲン化物でさらに置換されている、本明細書に定義するとおりのアルキル基を表す。
【０３２０】
用語「ホスホネート」は、−Ｏ−Ｐ（＝Ｏ）（ＯＲｘ）−基（Ｒｘは本明細書に定義するとおり）を指す。
【０３２１】
用語「スルホキシド」又は「スルフィニル」は、−Ｓ（＝Ｏ）Ｒｘ基（式中、Ｒｘは本明細書に定義するとおりである）を表す。
【０３２２】
用語「スルホネート」及び「スルホニル」は、−Ｓ（＝Ｏ）２−Ｒｘ基（式中、Ｒｘは本明細書に定義するとおりである）を表す。
【０３２３】
用語「スルホンアミド」は、本明細書で使用されるとき、Ｓ−スルホンアミド及びＮ−スルホンアミドの両方を包含する。
【０３２４】
用語「Ｓ−スルホンアミド」は、−Ｓ（＝Ｏ）２−ＮＲｘＲＹ基（Ｒｘ及びＲＹは本明細書に定義するとおり）を表す。
【０３２５】
用語「Ｎ−スルホンアミド」は、ＲｘＳ（＝Ｏ）２−ＮＲＹ−基（式中、Ｒｘ及びＲＹは本明細書に定義するとおりである）を表す。
【０３２６】
用語「カルボニル」及び「アシル」は、本明細書で使用されるとき、−Ｃ（＝Ｏ）−Ｒｘ基（Ｒｘは本明細書に定義するとおり）を表す。
【０３２７】
用語「ヒドロキシ」及び「ヒドロキシル」は、−ＯＨ基を表す。
【０３２８】
用語「アルコキシ」は、本明細書に定義するとおりの、−Ｏ−アルキル及び−Ｏ−シクロアルキル基の両方を表す。
【０３２９】
用語「アリールオキシ」は、本明細書に定義するとおりの、−Ｏ−アリール及び−Ｏ−ヘテロアリール基の両方を表す。
【０３３０】
用語「チオヒドロキシ」は、−ＳＨ基を表す。
【０３３１】
用語「チオアルコキシ」は、本明細書に定義するとおりの、−Ｓ−アルキル基、及び−Ｓ−シクロアルキル基の両方を表す。
【０３３２】
用語「チオアリールオキシ」は、本明細書に定義するとおりの、−Ｓ−アリール及び−Ｓ−ヘテロアリール基の両方を表す。
【０３３３】
用語「シアノ」及び「ニトリル」は、−Ｃ≡Ｎ基を表す。
【０３３４】
用語「ニトロ」は、−ＮＯ２基を表す。
【０３３５】
用語「アゾ」は、−Ｎ＝Ｎ−Ｒｘ基（Ｒｘは本明細書に定義するとおり）を表す。
【０３３６】
用語「カルボキシ」及び「カルボキシル」は、本明細書で使用されるとき、Ｃ−カルボキシ基及びＯ−カルボキシ基の両方を包含する。
【０３３７】
用語「Ｃ−カルボキシ」は、−Ｃ（＝Ｏ）−ＯＲｘ基（式中、Ｒｘは本明細書に定義するとおりである）を表す。
【０３３８】
用語「Ｏ−カルボキシ」は、−ＯＣ（＝Ｏ）−Ｒｘ基（式中、Ｒｘは本明細書に定義するとおりである）を表す。
【０３３９】
用語「尿素」は、−ＮＲｘＣ（＝Ｏ）−ＮＲｙＲｗ基（式中、Ｒｘ及びＲｙは本明細書に定義するとおりであり、ＲｗはＲｘ及びＲｙについて本明細書に定義するとおりである）を表す。
【０３４０】
用語「チオ尿素」は、−ＮＲｘ−Ｃ（＝Ｓ）−ＮＲｙＲｗ基（Ｒｘ、Ｒｙ及びＲｙは本明細書に定義するとおり）を表す。
【０３４１】
用語「アミド」は、本明細書で使用されるとき、Ｃ−アミド及びＮ−アミドの両方を包含する。
【０３４２】
用語「Ｃ−アミド」は、−Ｃ（＝Ｏ）−ＮＲｘＲｙ基（式中、Ｒｘ及びＲｙは本明細書に定義するとおりである）を表す。
【０３４３】
用語「Ｎ−アミド」は、ＲｘＣ（＝Ｏ）−ＮＲｙ−基（式中、Ｒｘ及びＲｙは本明細書に定義するとおりである）を表す。
【０３４４】
用語「カルバミル」又は「カルバメート」は、本明細書で使用されるとき、Ｎ−カルバメート及びＯ−カルバメートの両方を包含する。
【０３４５】
用語「Ｎ−カルバメート」は、ＲｙＯＣ（＝Ｏ）−ＮＲｘ−基（Ｒｘ及びＲｙは本明細書に定義するとおり）を表す。
【０３４６】
用語「Ｏ−カルバメート」は、−ＯＣ（＝Ｏ）−ＮＲｘＲｙ基（Ｒｘ及びＲｙは本明細書に定義するとおり）を表す。
【０３４７】
用語「チオカルバミル」又は「チオカルバメート」は、本明細書で使用されるとき、Ｏ−チオカルバメート及びＮ−チオカルバメートの両方を包含する。
【０３４８】
用語「Ｏ−チオカルバメート」は、−ＯＣ（＝Ｓ）−ＮＲｘＲｙ基（Ｒｘ及びＲｙは本明細書に定義するとおり）を表す。
【０３４９】
用語「Ｎ−チオカルバメート」は、ＲｙＯＣ（＝Ｓ）ＮＲｘ−基（Ｒｘ及びＲｙは本明細書に定義するとおり）を表す。
【０３５０】
用語「グアニジン」は、−ＲｘＮＣ（＝Ｎ）−ＮＲｙＲｗ基（式中、Ｒｘ、Ｒｙ及びＲｗは本明細書に定義するとおりである）を表す。
【０３５１】
用語「ヒドラジン」は、本明細書で使用されるとき、−ＮＲｘ−ＮＲｙＲｗ基（Ｒｘ、Ｒｙ、及びＲｗは本明細書に定義するとおり）を表す。
【０３５２】
データ取得：
本明細書に記載される放射性トレーサーのいずれかを、任意の好適な核イメージング技術によって利用して、本明細書に記載されるとおりのイメージングにおいて使用される放射性トレーサーの体内分布に関する情報を含むデータ（本明細書では「放射性トレーサーデータ」とも称される）を取得し得る。本明細書に記載される態様及び実施形態のいずれか１つにおいて、好適な核イメージング技術としては、例えば、ＳＰＥＣＴ及びＰＥＴイメージング技術が挙げられる。例示的実施形態において、核イメージング技術はＳＰＥＣＴであり、放射性トレーサーは放射性ｍＩＢＧ（例えば、Ｉ−１２３−ｍＩＢＧ）である。
【０３５３】
本出願から特許成立までの期間に多くの関連する核イメージング技術及びシステムが開発されるであろうことが予想され、用語「核イメージング」、「放射性トレーサーデータ」、「ＳＰＥＣＴ」、「ＰＥＴ」及び「モダリティ」の範囲には、事前にかかる新規技術が全て含まれることが意図される。
【０３５４】
ＳＰＥＣＴ技術は、限定なしに、従来の標準ＳＰＥＣＴイメージングモダリティ（例えば、「Ａ−ＳＰＥＣＴ」とも称されるデュアル検出器アンガーカメラモダリティ）、心電図ゲートＳＰＥＣＴ（ＧＳＰＥＣＴ）モダリティ、呼吸ゲートＳＰＥＣＴモダリティ、ＳＰＥＣＴ−ＣＴモダリティ（ＳＰＥＣＴ画像とＸ線ＣＴ画像との同時レジストレーション）、ＳＰＥＣＴ−ＭＲＩモダリティ（ＳＰＥＣＴ画像と核磁気共鳴画像との同時レジストレーション）及び／又は高速ＳＰＥＣＴモダリティ、例えば多重走査検出器ＳＰＥＣＴモダリティ（例えば、Ｓｐｅｃｔｒｕｍ  Ｄｙｎａｍｉｃｓから入手可能なものなどの、Ｄ−ＳＰＥＣＴ（商標）システム）、多重ピンホール検出器ＳＰＥＣＴモダリティ（例えば、Ｄｉｓｃｏｖｅｒｙ（商標）ＮＭ  ５３０ｃシステム）、多重湾曲結晶ＳＰＥＣＴモダリティ（例えば、ＣａｒｄｉＡｒｃ（登録商標）システム）及び／又は多重共焦点コリメータＳＰＥＣＴモダリティ（例えば、ＩＱ−ＳＰＥＣＴシステム）を含めた、当該技術分野において公知の任意のＳＰＥＣＴモダリティを含み得る。
【０３５５】
本発明の一部の実施形態によれば、ＳＰＥＣＴモダリティは、Ａ−ＳＰＥＣＴモダリティ、心電図ゲートＳＰＥＣＴ（ＧＳＰＥＣＴ）モダリティ、ＳＰＥＣＴ−ＣＴモダリティ及び多重走査検出器ＳＰＥＣＴモダリティ（簡略に本明細書では「Ｄ−ＳＰＥＣＴ」モダリティとも称される）からなる群から選択される。
【０３５６】
「ＧＳＰＥＣＴ」及び「心電図ゲートＳＰＥＣＴ」は、例えば、Ｐａｕｌ  ｅｔ  ａｌ．［Ｊ  Ｎｕｃｌ  Ｍｅｄ  Ｔｅｃｈｎｏｌ  ２００４，３２：１７９８−１８７］により記載されるとおりの、周知のＳＰＥＣＴモダリティを指す。
【０３５７】
高速ＳＰＥＣＴモダリティは、例えば、Ｇａｒｃｉａ  ｅｔ  ａｌ．［Ｊ  Ｎｕｃｌ  Ｍｅｄ  ２０１１，５２：２１０−２１７］により記載されている。
【０３５８】
一部の実施形態では、ＳＰＥＣＴモダリティは一組のコリメータ、例えばスケールディビジョン（ｓｃａｌｅ  ｄｉｖｉｓｉｏｎ：ＳＤ）コリメータを含む。任意選択で、実施例１４について１０〜２０個のコリメータが使用される。任意選択で、走査パターンは周囲３６０度にわたり約３６０個の位置を含む。
【０３５９】
一部の実施形態では、使用される再構成アルゴリズムは、サブセット化による期待値最大化法（ｏｒｄｅｒｅｄ−ｓｕｂｓｅｔｓ  ｅｘｐｅｃｔａｔｉｏｎ  ｍａｘｉｍｉｚａｔｉｏｎ：ＯＳＥＭ）及び／又は深さ依存分解能補正（ｒｅｓｏｌｕｔｉｏｎ  ｒｅｃｏｖｅｒｙ：ＲＲ）である。
【０３６０】
一部の実施形態では、ピクセルサイズは約２．５ミリメートル３〜約４．９ｍｍ３である。
【０３６１】
ＳＰＥＣＴが使用される一部の実施形態では、対象がＩ−１２３放射性標識トレーサー、例えばＩ−１２３放射性標識ｍＩＢＧを、任意選択で約２ｍＣｉ〜１２ｍＣｉ、及び任意選択で３ｍＣｉ〜８ｍＣｉ、例えば約５ｍＣｉの用量で注入される。
【０３６２】
ＰＥＴ技術は、限定なしに、従来のＰＥＴイメージングモダリティ、心電図ゲートＰＥＴモダリティ、呼吸ゲートＰＥＴモダリティ、ＰＥＴ−ＣＴモダリティ（ＰＥＴ画像とＸ線ＣＴ画像との同時レジストレーション）及び／又はＰＥＴ−ＭＲＩモダリティ（ＰＥＴ画像と核磁気共鳴画像との同時レジストレーション）を含めた、当該技術分野において公知の任意のＰＥＴモダリティを含み得る。
【０３６３】
ゲートＰＥＴモダリティについては、例えば、Ｂｕｔｈｅｒ  ｅｔ  ａｌ．［Ｊ  Ｎｕｃｌ  Ｍｅｄ  ２００９，５０：６７４−６８１］により記載される。
【０３６４】
ＰＥＴ又はＳＰＥＣＴデータとＣＴ及び／又は核磁気共鳴イメージング（ＭＲＩ）データとの同時レジストレーションは、本明細書に記載されるとおりの、一部の実施形態に係る分析に使用される解剖学的データ（例えば、ＣＴ及び／又はＭＲＩ解剖学的データ）を入手するのに有用であり得ることが理解されるべきである。
【０３６５】
一部の実施形態では、データ（例えば、ＳＰＥＣＴ又はＰＥＴデータ）はセグメント毎、例えば数センチメートルの寸法のセグメント毎に生成される。
【０３６６】
一部の実施形態では、データ（例えば、ＳＰＥＣＴ又はＰＥＴデータ）は約１ｃｍ×１ｃｍ×１ｃｍの品質空間分解能又はそれ以上（即ち、より高い分解能）で再構成される。一部の実施形態では、分解能は約７ｍｍ×７ｍｍ×７ｍｍ又はそれ以上である。一部の実施形態では、分解能は約５ｍｍ×５ｍｍ×５ｍｍ又はそれ以上である。一部の実施形態では、分解能は約３ｍｍ×３ｍｍ×３ｍｍ又はそれ以上である。
【０３６７】
一部の実施形態では、データ（例えば、ＳＰＥＣＴ又はＰＥＴデータ）は、少なくとも１ボクセル毎立方センチメートルの空間分解能で再構成される。一部の実施形態では、空間分解能は少なくとも３ボクセル毎立方センチメートルである。一部の実施形態では、空間分解能は少なくとも１０ボクセル毎立方センチメートルである。一部の実施形態では、空間分解能は少なくとも３０ボクセル毎立方センチメートルである。
【０３６８】
任意選択で、データは非立方体ボクセル構造で再構成される。任意選択で、ＳＰＥＣＴデータは、臓器壁（例えば、心筋壁）の幾何学的形状など、イメージングする物体のモデルと整列するボクセルで再構成される。
【０３６９】
一部の実施形態では、放射性トレーサーデータ取得は、最長約２０分の期間（例えば、放射性トレーサーデータを取得するための本明細書に記載される期間）にわたる光子取得を含む。一部の実施形態では、光子取得は最長約１５分間である。一部の実施形態では、光子取得は最長約１０分間である。一部の実施形態では、光子取得は最長約５分間である。一部の実施形態では、光子取得は最長約３分間である。一部の実施形態では、光子取得は最長約２分間である。一部の実施形態では、光子取得は約２〜８分間である。一部の実施形態では、光子取得は約８分間である。一部の実施形態では、光子取得は約１０分間である。
【０３７０】
一部の実施形態では、データは複数の時点で取得され、例えばここでは各時点につき一セットのデータが取得される。任意選択で複数の時点からのデータセットを使用して異なる時点、例えば治療前及び治療後のシナプス中心放射性トレーサー分布及び／又はニューロン活性が特徴付けられ得る。それに加えて又は代えて、任意選択で複数の時点からのデータセットが、身体領域における放射性トレーサー濃度の（例えば、複数の時点を包含するある期間における）変化率に用いられ得る。一部の実施形態では、放射性トレーサーを投与した後の１つ以上の時点について検出される放出が、放射性同位体崩壊に起因する放射線放出の指数関数的減少（これは放射性トレーサーの空間分布の変化を反映しない）を考慮に入れるため調整される。
【０３７１】
本明細書で使用されるとき、語句「時点」は、例えば放射性トレーサーの空間分布を決定するための技術の時間分解能に応じた、非無限小の持続期間を有する期間を包含する。
【０３７２】
一部の実施形態では、第１の（例えば、約１０分の）データ取得ステップに続いて待機期間があり、それにさらに第２の（例えば、約１０分の）データ取得ステップが続く。一部の実施形態では、データ取得ステップの間の待機期間は約５、約１０、約２０、約３０、約４５、約６０、約９０、及び約１２０分又は任意の中間的な又はそれより長い期間である。一部の実施形態では、待機期間は約５〜約３０分である。一部の実施形態では、待機期間は約２０〜約６０分である。一部の実施形態では、待機期間は約３０〜約１２０分である。一部の実施形態では、待機期間は約１〜約５時間である。一部の実施形態では、待機期間は約２〜約４８時間である。
【０３７３】
一部の実施形態では、体のある領域の信号がその領域における放射性トレーサーの濃度と相関付けられる形式のデータが使用される（例えば、信号は単純に体のその領域から放出された放射能の検出量を表す）。
【０３７４】
一部の実施形態では、データは、放射性トレーサー分布の時間依存性を含む（任意選択で放射性同位体崩壊に起因する変化を示さないように調整される）。
【０３７５】
一部の実施形態では、放射性トレーサー分布の時間依存性は、体のある領域における放射性トレーサーの濃度の変化率を含む。
【０３７６】
一部の実施形態では、放射性トレーサー分布の時間依存性は、刺激に対する応答、例えば、刺激前の放射性トレーサー分布を表すデータ並びに刺激の最中及び／又は刺激後の放射性トレーサー分布を表すデータを含む。
【０３７７】
本明細書で使用されるとき、用語「刺激」は、放射性トレーサー分布を変化させ得る形で（例えば、シナプス中心の特徴付けを促進する形で）対象の体に影響を及ぼすことを意図する任意の作用を包含する。一部の実施形態では、刺激は、ニューロン活性を刺激することを含む。刺激の例としては、限定なしに、電気的刺激（例えば、電圧及び／又は電流の印加）、化学的刺激（例えば、生物学的に活性な薬剤の投与）、機械的な刺激（例えば、物理的接触）、熱的刺激（例えば、温度の変化）、及び運動が挙げられる。
【０３７８】
一部の実施形態では、２つ以上の刺激が実施される。一部の実施形態では、異なるタイプの刺激が実施される。
【０３７９】
一部の実施形態では、体のある領域の信号がその領域における放射性トレーサー濃度の変化と相関付けられる形式のデータが使用され、この変化は、データが取得される２つ以上の時点の間のものである（任意選択で放射性同位体崩壊に起因する変化を示さないように調整される）。一部の実施形態では、信号は、体のその領域における放射性トレーサー濃度の変化率を表す。
【０３８０】
一部の実施形態では、信号は、２つの異なる時点に体の領域から放出された検出放射能の差を表す。一部の実施形態では、この差は変化率を表す（例えば、差を２時点の間の時間間隔で除すことによる）。一部の実施形態では、差は刺激に対する応答を表す。
【０３８１】
一部の実施形態では、信号は、３時点又はそれ以上の経過にわたり体の領域から放出された検出放射能の変化を表し、例えば、信号は変化率を表すものである。
【０３８２】
一部の実施形態では、変化率を表す信号は時間依存的であり、即ち、異なる時点について異なる変化率が、例えば３つの時点又はそれ以上について生成されたデータ点に曲線を当てはめることにより、及び／又は一対の隣接する時点間の変化率を複数の異なる対について決定することにより決定される。一部の実施形態では、変化率は刺激前並びに刺激の最中及び／又は刺激後に決定される。
【０３８３】
放射性トレーサー濃度の一般的な変化の例には、取込み率及び流失率が含まれる。「取込み」は、ある場所におけるトレーサーの蓄積を指し、典型的にはトレーサーの注入直後に顕著である。「流失」は、ある場所からのトレーサーの漸進的なクリアランスを指し、典型的には後の段階で取込み率が大きく低下した後に（例えば、循環中にほとんどトレーサーが残っていないときに）顕著である。典型的には、トレーサーと標的（例えば、シナプス中心）との特異的結合は、非特異的結合と比べて高い取込み率及び低い流失率によって特徴付けられる。
【０３８４】
一部の実施形態では、放射性トレーサーが特異的に結合するシナプス中心の同定を促進するため取込み率及び／又は流失率が決定される。
【０３８５】
一部の実施形態では、取込み率及び／又は流失率は、２つ以上の率の合計として特徴付けられる。例えば、取込み及び／又は流失は、任意選択で双指数関数動態モデルを当てはめ得る。
【０３８６】
一部の実施形態では、任意選択で、（例えば、複数の時点におけるデータの取得により観察されるとおりの）放射性トレーサー濃度の変化を処理することにより、１つ以上の取込み率及び／又は１つ以上の流失率が（例えば、動態モデルに対する最良適合を求めることにより）計算される。
【０３８７】
一部の実施形態では、データ取得は放射性トレーサーの注入間に遅延を経て実施され、ここで遅延の長さは、非特異的に結合する放射性トレーサーの相当の流失を可能にするが、しかしシナプス中心で特異的に結合する放射性トレーサーの過剰な流失はないように選択される。当業者は、任意の所与の放射性トレーサーに好適な遅延を、例えば前回のイメージングセッションに基づき流失率を実験的に決定することにより、特異的及び非特異的に結合するトレーサーの流失率に基づき決定することができるであろう。それに加えて又は代えて、データ取得はかかる遅延なしに実施され、従って取込み過程を示すデータが任意選択で取得され得る。
【０３８８】
一部の実施形態では、刺激は、シナプス中心における放射性トレーサーの分布に特異的に影響を及ぼすように選択される。任意選択で、かかる刺激に対する応答の検出を用いて、（例えば、本明細書に記載されるとおりの）シナプス中心がシナプス中心でない領域と区別され、及び／又はシナプス中心間が区別され得る。それに代えて又は加えて、応答それ自体が、任意選択で、（例えば、本明細書に記載されるとおりの）臨床的に有用な情報を含み得る。
【０３８９】
一部の実施形態では、刺激は、少なくとも１つのシナプス中心における活性の増強又は阻害を含む。一部の実施形態では、シナプス中心に至る１つ以上のニューロン（例えば、神経線維）が、例えば電気的、化学的及び／又は機械的刺激によって刺激される。
【０３９０】
一部の実施形態では、活性の増強は、神経伝達物質の放出（例えば、ノルエピネフリンの放出）を刺激する生物学的に活性な薬剤を使用して、化学的刺激により達成される。調節は、例えば対象への生物学的に活性な薬剤の局所及び／又は全身投与により達成され得る。チラミンは、アドレナリン作動性神経伝達物質（例えば、ノルエピネフリン）の放出を刺激する生物学的に活性な薬剤の例である。
【０３９１】
一部の実施形態では、シナプス中心における活性は、放射性トレーサー濃度の変化率に影響を及ぼす。任意選択で、かかる現象を用いて、刺激が（例えば、本明細書に記載されるとおりの）活性に及ぼす効果が解釈され、及び／又は（例えば、本明細書に記載されるとおりの）刺激の非存在下における活性のレベルが決定され得る。
【０３９２】
一部の実施形態では、シナプス中心における活性の増強は、例えば取込み率の増加による、放射性トレーサー濃度の相対的増加（例えば、任意選択で減少率の低下）をもたらす。  
【０３９３】
一部の実施形態では、シナプス中心における活性の阻害は、例えば取込み率の減少による、放射性トレーサー濃度の相対的減少（例えば、任意選択で増加率の低下）をもたらす。
【０３９４】
一部の実施形態では、シナプス中心の活性は放射性トレーサーの取込み率と正の相関を有する。
【０３９５】
一部の実施形態では、シナプス中心における活性の増強は、例えば流失率の増加による、放射性トレーサー濃度の相対的減少（例えば、任意選択で増加率の低下）をもたらす。
【０３９６】
一部の実施形態では、シナプス中心における活性の阻害は、例えば流失率の減少による、放射性トレーサー濃度の相対的増加（例えば、任意選択で減少率の低下）をもたらす。
【０３９７】
一部の実施形態では、シナプス中心の活性は放射性トレーサーの流失率と正の相関を有する。一部の実施形態では、シナプス中心の活性はまた、放射性トレーサーの取込み率と正の相関を有する。
【０３９８】
一部の実施形態では、シナプス中心活性と放射性トレーサーの量及び／又はその変化率との相関（例えば、本明細書に記載される実施形態のいずれか１つに係る正又は負の相関）を使用して、放射性トレーサーの量及び／又はその変化率を表すデータに基づきシナプス中心のレベル活性が決定される。
【０３９９】
一部の実施形態では、シナプス前ニューロン（例えば本明細書に記載されるとおりの神経伝達物質又はその類似体）への取込みを受ける放射性トレーサーは、神経伝達物質の放出速度に依存する速度でニューロンから流出し、例えば、ここでトレーサーは神経伝達物質と共に放出され；及び任意選択でこの相関を使用して、（例えば、神経伝達物質の放出速度により示されるとおりの）シナプス活性のレベルが決定される。一部のかかる実施形態において、シナプス中心が活性化するとニューロンからの放射性トレーサーの流出が促進されるため、流失率が増加する。一部の実施形態では、放射性トレーサーは、本明細書に記載される一般式ＩＩを有する。一部の実施形態では、放射性トレーサーは、放射性ｍＩＢＧ（例えば、Ｉ−１２３−ｍＩＢＧ）である。
【０４００】
一部の実施形態では、神経伝達物質受容体のリガンド（例えば本明細書に記載されるとおりの受容体作動薬又は拮抗薬）である放射性トレーサーは、受容体との結合に利用可能な神経伝達物質の量に依存する速度で受容体から放出され、例えば、ここでトレーサー及び神経伝達物質は同じ受容体結合部位に関して競合し；及び任意選択でこの相関を使用して、（例えば、受容体との結合に利用可能な神経伝達物質の量により示されるとおりの）シナプス活性のレベルが決定される。一部のかかる実施形態において、シナプス中心が活性化するとシナプスにおける神経伝達物質の量が増加し、それによりトレーサーに利用可能な結合部位の量が減少するため、流失率が増加する。
【０４０１】
一部の実施形態では、刺激は、放射性トレーサーの取込みの化学的調節を含む。この調節は、例えば対象への生物学的に活性な薬剤の局所及び／又は全身投与により行われ得る。
【０４０２】
一部の実施形態では、生物学的に活性な薬剤は、トレーサーの取込みを促進するタンパク質（例えば、トランスポーター）の阻害薬である。一部の実施形態では、生物学的に活性な薬剤は、放射性トレーサー（例えば本明細書に記載されるとおりの神経伝達物質又はその類似体）を輸送する神経伝達物質トランスポーターの阻害薬である。一部の実施形態では、生物学的に活性な薬剤は、当該技術分野においてノルエピネフリン再取込み阻害薬（ＮＲＩ）としても知られる、ノルエピネフリントランスポーター（ＮＥＴ）の阻害薬である。ＮＲＩの例としては、限定なしに、選択的ＮＲＩ、例えば、アメダリン、アトモキセチン、ＣＰ−３９，３３２、ダレダリン、エディボキセチン、エスレボキセチン、ロルタラミン、マプロチリン、マジンドール、ニソキセチン、ノミフェンシン、レボキセチン、タロプラム、タルスプラム、タンダミン及びビロキサジン、並びに非選択的ＮＲＩ、例えば、ブプロピオン、シクラジンドール、デシプラミン、マニファキシン、ラダファキシン、タペンタドール及びテニロキサジンが挙げられる。
【０４０３】
神経伝達物質トランスポーターの阻害薬は、医薬品開発の共通の目標である。従って、本出願から特許成立までの期間に多くの関連する神経伝達物質トランスポーター阻害薬が開発されるであろうことが予想され、用語「神経伝達物質トランスポーターの阻害薬」の範囲には、事前にかかる新規技術が全て含まれることが意図される。
【０４０４】
一部の実施形態では、刺激によって生じる活性の変化は必ずしも活性の増加又は減少として同定されるものではなく、単に挙動の変化として同定される。例えば、一部の実施形態では、（例えば、所与のシナプス中心及び／又は放射性トレーサーについて）シナプス中心活性がシナプス中心における放射性トレーサーの濃度と正の相関を有するか、それとも負の相関を有するかが不明であり得る。
【０４０５】
一部の実施形態では、刺激は、神経系の特定のサブシステムに影響を及ぼすものとして特徴付けられる。
【０４０６】
一部の実施形態では、刺激は、主として（例えば、副交感神経系とは対照的なものとしての）交感神経系に影響を及ぼすように選択される。
【０４０７】
一部の実施形態では、刺激は、主として（例えば、交感神経系とは対照的なものとしての）副交感神経系に影響を及ぼすように選択される。
【０４０８】
一部の実施形態では、刺激は、主として（例えば、体性神経系とは対照的なものとしての）自律神経系に影響を及ぼすように選択される。
【０４０９】
自律神経系の多くの刺激は、その交感神経枝又は副交感神経枝に特異的な刺激を含め、当該技術分野において公知である。
【０４１０】
一部の実施形態では、刺激は、主として（例えば、自律神経系とは対照的なものとしての）体性神経系に影響を及ぼすように選択される。例えば意識行動は、典型的には、例えば自律神経系とは対照的なものとしての、体性神経系の同定可能な領域に影響を及ぼす。
【０４１１】
一部の実施形態では、（例えば、所与の期間内にボリューム当たりに検出される放出により示されるとおりの）放射性トレーサー濃度が、シナプス活性のレベル（例えば、シナプスによって伝達される神経パルスの数）と正の相関を有する。一部の実施形態では、かかる相関を使用してシナプス活性のレベルが決定される。一部の実施形態では、かかる相関を使用して、シナプスの量（例えば、所与の領域におけるシナプス密度）を決定する際の信号が正規化される。
【０４１２】
一部の実施形態では、放射性トレーサー濃度が放射性トレーサーの血中濃度と相関を有する。一部の実施形態では、かかる相関を使用して、シナプスの量（例えば、シナプスによって伝達される神経パルスの数）及び／又はシナプスの活性（例えば、所与の領域におけるシナプス密度）を決定する際の信号が正規化される。一部の実施形態では、本方法は、放射性トレーサーの血中レベルを（例えば、血液検査により）決定するステップをさらに含む。
【０４１３】
一部の実施形態では、放射性トレーサーの濃度が神経伝達物質、例えば、ノルエピネフリン（例えば、アドレナリン作動性シナプスに選択的な放射性トレーサーの場合）又はアセチルコリン（例えば、コリン作動性シナプスに選択的な放射性トレーサーの場合）の血中レベルと（例えば、取込み部位及び／又は受容体部位におけるトレーサーと神経伝達物質との間の競合に起因して）逆相関を有する。一部の実施形態では、かかる相関を使用して、シナプスの量（例えば、シナプスによって伝達される神経パルスの数）及び／又はシナプスの活性（例えば、所与の領域におけるシナプス密度）を決定する際の信号が正規化される。一部の実施形態では、本方法は、少なくとも１つの神経伝達物質の血中レベルを（例えば、血液検査により）決定するステップをさらに含む。
【０４１４】
シナプス中心のデータ分析及び同定：
一部の実施形態では、本明細書に記載される実施形態のいずれか１つにより取得され及び任意選択で処理されるデータは、シナプス中心を同定するため分析される。かかるデータには、必ずしも限定されるものではないが、本明細書に記載される放射性トレーサーデータ（例えば、本明細書に記載される核イメージング技術を用いて得られる）が含まれる。例えば、データには、任意選択で、本明細書に記載される実施形態のいずれか１つにより取得される解剖学的データがさらに含まれる。
【０４１５】
少なくとも１つの（本明細書に記載されるとおりの）シナプス中心を同定することにより生成された情報の提示は、本明細書では、少なくとも１つのシナプス中心を含む「モデル」と称される。この情報は、モデルの生成及び／又は更新及び／又は変更に用いられ得る。
【０４１６】
図３は、本発明の一部の実施形態における、少なくとも１つのシナプス中心を同定することにより情報を入手する方法３００のフローチャートである。
【０４１７】
ステップ３０２〜３０６は、本明細書に記載される一部の実施形態に係るデータ取得の動作を表す。
【０４１８】
３０２において、操作者（例えば、医師）がイメージング及び／又はモデリングタイプ（例えば、本明細書に記載されるＳＰＥＣＴ又はＰＥＴモダリティ）を選択し得る。任意選択で、これは所望の診断に基づく。３０４において、本明細書に記載される放射性トレーサーのいずれか１つ、又はそれらの任意の組み合わせが患者に注入される。３０６において、放出される放射線を捕捉することにより（例えば、本明細書に記載されるとおりの）イメージングに好適なデータが取得され、任意選択で画像として再構成され得る。一部の実施形態では、実際の画像は再構成されない。任意選択で、放出放射線を用いてモデルのパラメータが決定され、又はモデルが生成される。
【０４１９】
任意選択で、１つ以上の所定の閾値及び／又は規則に基づきＧＰが同定される。ステップ３０８〜３１４は、本明細書に記載される一部の実施形態に係る、少なくとも１つのシナプス中心の存在を同定するための任意選択の技法を表し、これは単独で用いられても、又は組み合わせで用いられてもよい。
【０４２０】
３０８において、任意選択でサイズ及び／又は形状フィルタを使用して、イメージングされるシナプス中心、例えば神経節のサイズ及び／又は形状を有するブロブ（即ち、比較的高い放射線放出によって特徴付けられる領域）が同定される。本発明の一部の実施形態では、神経節の形状は、球形、卵形及び扁桃形（アーモンド形状）からなる群から選択される形状であり、及び／又は２〜１０ｍｍの直径を有するものと仮定される。予想されるサイズ及び／又は形状及び／又は活性レベルはシナプス中心を探索する場所に依存し得ることに留意しなければならない。一部の実施形態では、シナプス中心は放出レベルに従い同定されてもよく、例えば、ある範囲の放出レベルを呈するブロブがシナプス中心と同定され得る。
【０４２１】
一部の実施形態では、シナプス中心（例えば、ＧＰ）は、（例えば、心外膜神経節神経叢に関して）少なくとも約４×４×４ｍｍのサイズを有する物体として同定される。
【０４２２】
一部の実施形態では、シナプス中心（例えば、ＧＰ）は、（例えば、心筋神経節神経叢に関して）少なくとも約２×２×２ｍｍのサイズを有する物体として同定される。
【０４２３】
それに代えて又は加えて、シナプス中心は、任意選択で、特定の領域の信号（例えば、放出強度）を周囲領域の信号と比較することにより同定され得る。例えば、シナプス中心は、任意選択で、ある領域の全信号（例えば、放出強度）が平均信号を標準偏差の所定の倍数だけ上回り、及び／又は隣接する領域の信号が（例えば、ボリュームに関して相関した）シナプス中心と関連付けられる領域における信号の所定の割合（例えば、半分）未満であるという規則を満たす領域に同定されてもよい。任意選択で、使用者は所定の倍数及び／又は所定の割合を選択及び／又は変更し得る。例えば、別の所定の倍数（標準偏差の倍数）及び／又は（隣接する信号に対する）別の所定の割合を使用して異なるタイプのシナプス中心が同定されてもよい。
【０４２４】
３１０において、シナプス中心を探すゾーンが任意選択で画定される。任意選択で複数のゾーンが画定され、例えば、異なるゾーンにおいて異なる成分が探索される。任意選択で、ゾーンの範囲内で、（例えば、本明細書に記載されるとおりの）シナプス中心を見つけ出す他の方法が適用される。一部の実施形態では、ゾーンは、解剖学的データの取得に関連して本明細書に記載される実施形態のいずれか１つにより取得された解剖学的データ（例えば、解剖学的画像）に従い画定される。
【０４２５】
一部の実施形態では、ゾーンは、イメージングする神経組織に関連する臓器に基づき画定される。一部の実施形態では、シナプス中心は、臓器の外壁から特定の距離、例えば、０．１〜２０ｍｍに位置すると仮定され、及び／又は臓器壁及び／又はその特定の一部分に部分的又は完全に埋もれていると仮定される。一部の実施形態では、シナプス中心（例えば、神経支配を受ける臓器の表面を終端とする神経の凝集物）が、シナプス中心を同定するため、例えば予想される臓器表面の３ｍｍ内側及び外側の領域を画定することにより選択的にイメージングされる。一部の実施形態では、臓器又は他の組織上にある解剖学的目印を使用してゾーンが画定される。任意選択で、各臓器が、ゾーンを指示するイメージングプロトコルを有する。ある場合には、ブロブがシナプス中心として同定される可能性はその位置に依存し、位置は各臓器に特異的であってもよく、及び／又は患者又は同様の特徴を備える他の患者の以前の画像に基づいてもよい。
【０４２６】
一部の実施形態では、個々のシナプス中心の同定ではなく、シナプス中心の密度が特徴付けられる。
【０４２７】
一部の実施形態では、目的の臓器の幾何学的モデルを提供し、次にそれを、放射線放出を検出するための核イメージングカメラのイメージングボリュームと相関付けることにより、幾何学的領域が標的にされる。その後、シナプス中心として潜在的に同定するため、臓器に対する目的の領域に適合する放射線カウントが分析され得る。任意選択で、この相関は臓器の既知の放射線放出挙動を使用し、これを用いて、少なくともモデルの拡大縮小及び／又は回転に用いるのに十分に詳細な、その再構成が提供され得る。ある場合には、臓器のモデルはＣＴイメージングを用いて提供される。ある場合には、臓器モデルは、具体的なイメージングに従い変更される数学的モデルである。一部の実施形態では、モデルは、例えば特定のサイズの神経節に関して、目的の相対位置を定義する。
【０４２８】
一部の実施形態では、ゾーンは周囲組織型に基づき画定される。例えば、一部の実施形態では、脂肪として放出する領域が、任意選択で、目的のシナプス中心も含むものと仮定される。別の例において、ゾーンは、特定の直径の血管構造であるように画定される。
【０４２９】
一部の実施形態では、１つ以上の時間フィルタ（３１２）を使用してシナプス中心が同定され得る。一部の実施形態では、呼吸により引き起こされるなどする既知の交感神経サイクルを使用して、例えば呼吸又は心拍動と一致する、時間の関数として変化する顕著な成分が放出に含まれる組織が検出される。
【０４３０】
一部の実施形態では、１つ以上のトリガフィルタ（３１４）が使用され得る。一部の実施形態では、例えば本明細書に記載される実施形態のいずれか１つに係る、シナプス中心活性（例えば、自律神経系活性）に対して効果を有することが予想される刺激が、トリガとして使用される。任意選択で、本明細書に記載される実施形態のいずれか１つにより取得される放射性トレーサーデータを分析することにより、比較的高濃度の放射性トレーサーによって特徴付けられ、且つトリガに対して応答を呈するシナプス中心、例えば組織が選択的に同定される。
【０４３１】
本発明の一部の例示的実施形態では、本明細書に記載されるシナプス中心同定方法の１つ以上が反復して用いられ得る。潜在的なシナプス中心を同定するためある方法が適用された後、その方法が、例えば同定を微調整し若しくは修正するため及び／又はより良好な診断を裏付けるため、再度適用され得る。
【０４３２】
一部の実施形態では、本方法は、動作３０８を含む。
【０４３３】
一部の実施形態では、本方法は、動作３１０を含む。
【０４３４】
一部の実施形態では、本方法は、動作３１２を含む。
【０４３５】
一部の実施形態では、本方法は、動作３１４を含む。
【０４３６】
一部の実施形態では、本方法は、動作３０８及び３１０を含む。
【０４３７】
一部の実施形態では、本方法は、動作３０８及び３１２を含む。
【０４３８】
一部の実施形態では、本方法は、動作３０８及び３１４を含む。
【０４３９】
一部の実施形態では、本方法は、動作３１０及び３１２を含む。
【０４４０】
一部の実施形態では、本方法は、動作３１０及び３１４を含む。
【０４４１】
一部の実施形態では、本方法は、動作３１０及び３１４を含む。
【０４４２】
一部の実施形態では、本方法は、動作３０８、３１０及び３１２を含む。
【０４４３】
一部の実施形態では、本方法は、動作３０８、３１０及び３１４を含む。
【０４４４】
一部の実施形態では、本方法は、動作３０８、３１２及び３１４を含む。
【０４４５】
一部の実施形態では、本方法は、動作３１０、３１２及び３１４を含む。
【０４４６】
一部の実施形態では、本方法は、動作３０８、３１０、３１２及び３１４を含む。
【０４４７】
一部の実施形態では、異なるタイプのシナプス中心が、その異なる挙動に基づき区別され得る。一部の実施形態では、交感神経シナプス中心と副交感神経シナプス中心とが異なるトレーサーを取り込み得るとともに、例えばマルチエネルギーイメージャを使用して放射線データが取得される場合には、異なる画像を生成し得る。一部の実施形態では、異なるタイプのシナプス中心が異なる時間サイクル及び／又は１つ以上の刺激に対する異なる応答を有する。一部の実施形態では、取得された放射性トレーサーデータの分析に使用されるデータ分析システム（例えば、コンピュータ）は、目的の様々な組織型の異なる特性をそこに記憶するメモリを有する。任意選択で、又は代わりに、かかる違いに基づきシナプス中心が非神経組織と区別される。
【０４４８】
３１６において、神経系（例えばＡＮＳ）モデルが、任意選択で、画像取得に基づきデータによって生成され、ポピュレートされ（例えば、同定されたシナプス中心をモデルに加えることによる）、及び／又は精緻化され、任意選択で表示（３２４）に使用される。例えば、画像データは同定された異なるシナプス中心の数及び／又は相対活性強度を提供し得る。
【０４４９】
一部の実施形態では、モデルそれ自体は生成されない；むしろ、収集された情報を任意選択で既存の一組のモデルと照合することにより、使用する（例えば、及び収集データを使用してポピュレートする）のに最も有用なモデルが決定される。
【０４５０】
一部の実施形態では、モデルの適合及び／又は精緻化には、任意選択で、関連する解剖学的領域及び／又は臓器に関する解剖学的データ（３１８）（臓器データとも称される）もまた使用され得る。解剖学的データは、解剖学的データの取得に関連して本明細書に記載される実施形態のいずれか１つにより取得され得る。
【０４５１】
臓器データを収集することに加えて又は代えて、他のデータ（３２０）、例えば、血中ホルモンレベルが任意選択で収集され、モデリング作業（例えば、データを収集し、且つデータが適合するようにモデルを生成及び／又は変更する作業）に提供される。
【０４５２】
モデル用のデータは、適用に応じて例えば数秒、数分、数時間又は数日以内に再取得され及び／又は更新され得る。例えば、刺激に対するシナプス中心（例えば、神経節）の応答をマッピングする場合、放射性トレーサーデータは任意選択で刺激前、刺激の最中及び／又は刺激後に取得される。刺激は、数秒以内（例えば、光フラッシュ）又は数分以内（例えば、注入による化学的刺激）若しくは数時間以内に（例えば、心房細動を生じさせる高頻度心房ペーシング）又は持続的に（例えば運動選手における身体トレーニング又は血行再建後の心筋の効果若しくはリモデリング）送達され得るものがある。
【０４５３】
３２２において、モデルが任意選択で分析され、３２４において、モデル（例えば、静的又は動的）及び／又は分析結果が任意選択で使用者に表示され、及び／又はさらなる分析システム及び／又は記憶装置に送られる。
【０４５４】
モデル情報（例えば、モデルを生成し、変更し及び／又は他の形で更新するために収集され又は他の形で受け取られる情報）は、また非イメージング検査から生成されてもよいことは理解されるべきである。例えば、ＡＮＳのモデルが特定の状況下で特定の挙動を予測する場合、その状況の測定及び結果を使用して既存のモデルがキャリブレーションされ得る。任意選択で、かかる既存のモデルは、シナプス中心の（例えば、一般集団の組織の正常な構成を使用して）解剖学的に生成されたネットワークを使用し得る。
【０４５５】
一部の実施形態では、解剖学的画像が、放射性トレーサーを使用して取得される機能的画像、例えば、本明細書に記載されるような放射性トレーサーの分布の画像と組み合わされ、この組み合わされた画像がシナプス中心を同定し及び／又は位置決定するための基礎として使用される。本方法は、解剖学的画像の中でシナプス中心（例えば、ＧＰ及び／又は臓器の神経支配）を含む領域に対応する画像マスクを生成するステップを含む。シナプス中心は、典型的には解剖学的画像上に見ることができず、例えば心臓を含むＣＴスキャン上の心臓ＧＰは見ることができない。選択された画像マスクが機能的画像上の対応する位置に、例えばレジストレーション手法によって適用される。機能的画像内のシナプス中心特徴が、適用されたマスクの指図で再構成される。機能的画像に適用された選択の画像マスク内のシナプス中心が、（例えば、本明細書に記載されるとおりの）所定の規則、例えば、比較的高濃度の放射性トレーサーによって特徴付けられる領域のサイズ及び／又は周囲の強度と比べたある領域からの放射線放出強度に基づき同定される。このように、解剖学的情報（例えば、本明細書に記載される解剖学的データ）が機能的画像内における位置及び／又は活性の再構成に使用される。マスクの形態の解剖学的情報は、機能的画像の特定の領域へと処理を誘導するために使用され、目的のシナプス中心の位置を決定する助けとなる。同定されたシナプス中心は解剖学的画像上に表示されてもよく、及び／又は患者治療用ナビゲーションシステム、例えば不整脈などの心障害を治療するための電気生理学的カテーテルナビゲーションシステムにレジスタリングされてもよい。このように、解剖学的画像は、関連性のある神経構造を同定するため放射性トレーサーデータ内のどこを探すべきかに関するガイドとして働くことができ、ここで体内の神経構造の大まかな位置は、例えば所定の解剖学図譜に基づき予め分かっている。
【０４５６】
ここで図４を参照し、この図４は、本発明の一部の実施形態における、放射性トレーサーを使用して取得される機能的画像、例えば本明細書に記載されるような放射性トレーサーの分布の画像を処理してシナプス中心を同定及び／又は位置決定する（図３の方法３００、及び特にブロック３０８、３１０、３１２及び／又は３１４に対応し得る）方法のフローチャートである。任意選択で、この方法は、機能的画像と解剖学的画像とを組み合わせる（図１のブロック１０４に対応し得る）。或いは、解剖学的画像は、シナプス中心を含む機能的画像の選択された部分を再構成するための基礎を提供する。この方法は、例えば画像データ処理ユニットにより実施されてもよい。この方法は、例えば本明細書に記載されるとおりの、解剖学的イメージングモダリティからの画像（これは臓器構造を示すが、シナプス中心は十分詳細には又は全く示さない）を使用して、機能的イメージングモダリティからの画像（これは放射性トレーサーの分布を示すが、臓器構造は十分詳細には又は全く示さない）、例えば本明細書に記載される核イメージングモダリティからの画像を再構成し得る。再構成された機能的画像は、（例えば、本明細書に記載されるとおりの）臓器構造にオーバーレイされたシナプス中心を示し得る。
【０４５７】
任意選択で、図４に係る方法は、シナプス中心（例えば、ＧＰ）が位置する一般的領域を（出力として）提供する。それに代えて又は加えて、この方法は、シナプス中心（例えば、ＧＰ）が位置しない領域を提供する。シナプス中心（例えば、ＧＰ）の正確な位置は、患者毎に解剖学的に異なり得る。シナプス中心（例えば、ＧＰ）の具体的な位置はアブレーション手技の間に、例えば高頻度刺激（ＨＦＳ）を使用して同定され得る。それに代えて又は加えて、この方法はシナプス中心（例えば、ＧＰ）の正確な位置を、例えば座標系を使用して提供する。
【０４５８】
任意選択で、予め選択された組織領域においてニューロンの存在が（例えば、放射性トレーサー分布により）同定される。検出しようとしている機能活性（例えば、放射性トレーサー放出）に対応する解剖学的画像内の予め選択された組織領域に基づき、画像マスクが画定される。例えば、心臓では、シナプス中心（例えば、心臓ＧＰ）は心臓壁内又はその近傍に位置する。心臓壁内又はその近傍にシナプス中心を探すため解剖学的画像に画像マスクが画定される。次に生成された画像マスクが機能的データに適用され、心臓壁内又はその近傍における放射性トレーサー分布に基づきシナプス中心が同定される。
【０４５９】
任意選択で、再構成は、（例えば、シナプス中心からの）機能活性が例えば所定の解剖学図譜に基づき予想される解剖学的領域が対象とされる。
【０４６０】
任意選択で、画像マスクは、一部又は全てのシナプス中心及び／又はその活性、例えば、異なるタイプのシナプス及び／又はシナプス活性を同定するように画定される。
【０４６１】
このように、画像マスクは、シナプス中心の同定を機能的画像及び／又はデータ内の特定の領域に向けるためのガイドとして働き得る。放射性トレーサーデータ内には比較的高強度の領域が多数あり得るが、（例えば、本明細書に記載されるとおりの）医学的状態、疾患又は障害の診断、モニタリング及び／又は治療に有意味であるのは、そのごく一部のみであり得る。体の器官及び／又は組織に対するシナプス中心の大まかな位置は（例えば、図譜により）既知であり得るが、しかし解剖学的画像上には視覚化されず、シナプス中心の探索は、機能的画像上の対応する領域が対象とされ得る。この探索は、関連性のある神経組織を表す強度読取り値の大きい割合を有する領域に重点が置かれ得る。
【０４６２】
図４に係る方法を使用して、例えば本明細書に記載されるとおりの体の異なる位置（組織、臓器）に異なるタイプのシナプス中心を検出し得る。
【０４６３】
図４に係る方法は、目的の領域内で計算を実施して神経組織を同定するため、システムパフォーマンスを改善し得る。神経組織のない領域では計算の実施は不要であり得る。
【０４６４】
図４に係る方法は、患者の放射線被曝を低減し得る。イメージングする神経組織を含む領域にさらなる放射線を加え、そうした領域においてより高い分解能を提供し得る。神経組織を含まない領域に対しては、加えられる放射線を少なくすることができる。
【０４６５】
図４に係る方法は、分析結果及び／又は画像を改善し得る。選択された領域内の神経組織が分析及び／又はイメージングされ得る。選択された領域外にある神経組織は分析及び／又はイメージングされないことになり得る。選択された領域外の神経組織による干渉及び／又は画像の複雑さが低減され又は防止され得る。このように、患者の医学的状態に寄与しない神経組織及び／又は（例えばアブレーション療法の）標的でない神経組織は、さらなる分析から除外され得る。或いは、非標的神経組織は、（例えば、アブレーションの標的にされる）標的神経組織とは別に同定され得る。
【０４６６】
任意選択で、４８０２において、機能的イメージングデータ（例えば、放射性トレーサーデータ）及び／又は画像、例えばＤ−ＳＰＥＣＴ画像又は他の画像が受け取られる。これらの画像は、身体部位、例えば、胴部、腹部、又は他の身体部位（例えば、走査プロトコルに基づく）の画像であり得る。身体部位には、イメージングされる神経組織及び／又は神経支配を受ける臓器、例えば、心臓、腸又は他の臓器のＧＰが含まれる。任意選択で、機能的画像は、シナプス中心を表す比較的高濃度の（例えば、本明細書に記載されるとおりの）放射性トレーサーの領域を含む。
【０４６７】
任意選択で、神経系（例えば、ＡＮＳ）活性が予想される領域、及び神経系（例えば、ＡＮＳ）活性が予想されない領域を有する身体部位から機能的データが収集される。例えば、心臓をイメージングする間、心臓壁及び／又は周囲組織からは神経系活性を表すデータが予想され、中空の腔（血液が含まれる）の内部からは神経系活性がないことが予想される。心腔の内部に対応するエリアからは、神経系活性は予想されないとしても、ノイズが受け取られ得る。任意選択で、このノイズは、対応する解剖学的画像に基づき（例えば、画像レジストレーション後に）機能的データから除去される。任意選択で、血液（又は他の体液）で充満した腔及び／又は管のノイズに関連する放出強度読取り値が除去される。例えば、心腔及び／又は周囲の血管に対応する放射性トレーサーデータの放出強度読取り値が除去される。
【０４６８】
任意選択で、４８０４において、画像から解剖学的領域が抽出される。任意選択で、組織（これは神経組織を含み得る）が中空の空間（これは神経組織を含まず、体液を含み得る）と分けられる。例えば、心臓のイメージングには、左心室（ＬＶ）の壁が抽出され得る。それに代えて又は加えて、ＬＶ内の中空の空間が抽出され得る。抽出された領域は、例えばＬＶ内部の中空の腔を含むＬＶではなく、ＬＶ壁を形成する組織層などの組織の層であり得ることが注記される。例えば、腎臓のイメージングには、腎動脈の壁が抽出されてもよく、及び／又は動脈の内部が抽出されてもよい。他の臓器をイメージングする場合、その臓器の主要な部分が選択され得る。
【０４６９】
任意選択で、４８０６において、画像から１つ以上のレジストレーションキューが抽出される。レジストレーションキューは、目的の臓器、及び／又は周囲の解剖学的構造、例えば、ＬＶ軸、肝臓、心臓中隔、ＲＶ、胴部からのものであってもよい。
【０４７０】
任意選択で、４８０８において、例えば、ＣＴ、ＭＲＩ、３Ｄ超音波、２Ｄ超音波、又は他のモダリティから解剖学的データ及び／又は画像が受け取られる。解剖学的画像は、神経組織（例えば、本明細書に記載されるシナプス中心）の神経支配を受ける組織及び／又は臓器の構造を表す。解剖学的画像は、神経組織（例えば、シナプス中心）の位置に対応する組織及び／又は臓器構造を表す。画像は、イメージングされる同じ神経組織及び／又は同じ神経支配を受ける臓器を含む。
【０４７１】
任意選択で、解剖学的イメージングモダリティからの（例えば、本明細書に記載されるとおり取得された）解剖学的データが受け取られ、対象の体のある領域の解剖学的画像が再構成される。任意選択で、この領域は、標的神経組織に隣接する少なくとも１つの体内部位の一部分を含む。
【０４７２】
解剖学的画像及び機能的画像は、同定及び／又は位置特定のためのシナプス中心（例えば、ＧＰ）を含む対応する身体領域を表す。例えば、解剖学的イメージング及び機能的イメージングの両方のモダリティが、心臓、腎臓、又は他の臓器の写真を撮影し得る。
【０４７３】
例えば、心臓のＧＰのイメージングには、心臓の解剖学的画像及び／又は機能的画像が入手される。例えば、腎臓のＧＰのイメージングには、腎臓、腎動脈及び／又は大動脈の解剖学的画像及び／又は機能的画像が入手される。
【０４７４】
任意選択で、４８１０において、動的周期中の異なる時点に対応する画像が抽出される。例えば、心臓については、心周期に従い、例えば拡張末期容積（ＥＤＶ）及び／又は収縮末期容積（ＥＳＶ）の画像が抽出される。別の例において、膀胱については、充満した膀胱及び空の及び／又は排尿時膀胱の画像が抽出され得る。
【０４７５】
平均画像が計算されてもよく、例えば、（ＥＤＶ＋ＥＳＶ）／２。
【０４７６】
任意選択で、４８１２において、１つ以上の画像がセグメンテーションされる。セグメンテーションは完全に自動であってもよく、及び／又は手動のユーザ介入が必要であってもよい。セグメンテーション用システムの例は、Ｂｉｏｓｅｎｓｅ  Ｗｅｂｓｔｅｒ（登録商標）のＣａｒｔｏ（登録商標）である。
【０４７７】
任意選択で、４８１４において、解剖学的領域が抽出される。任意選択で、この解剖学的領域は、４８０４で抽出された解剖学的領域に対応する。任意選択で、この解剖学的領域は、ブロック４８１２のセグメンテーション画像から抽出される。
【０４７８】
任意選択で、４８１６において、画像から１つ以上のレジストレーションキューが抽出される。レジストレーションキューは、目的の臓器、及び／又は周囲の解剖学的構造、例えば、ＬＶ軸、肝臓、心臓中隔、ＲＶ、胴部からのものであってもよい。
【０４７９】
任意選択で、４８１８において、機能的画像と解剖学的画像とがレジスタリングされる。任意選択で、画像は、ブロック４８０４及び４８１４の抽出された解剖学的領域の位置合わせに基づきレジスタリングされる。
【０４８０】
任意選択で、レジストレーションは臓器の動力学、例えば心臓の動きを考慮に入れるように実施される。
【０４８１】
４８２０において、解剖学的画像及び／又はデータに基づき１つ以上の画像マスクが生成される。任意選択で、画像マスクは、神経組織の処理及び／又は画像表示の対象を、画像マスク内に位置する画像の特定の位置に向けさせる。例えば、適用された画像マスクのボリューム内においてシナプス中心が表示及び／又は処理される。画像マスクのボリューム外にあるシナプス中心は、任意選択で処理及び／又は表示されなくてもよい。画像マスクのボリューム外にあるシナプス中心は、任意選択で画像マスク内部にあるシナプス中心と別様に処理及び／又は表示され得る。
【０４８２】
任意選択で、解剖学的画像は、少なくとも１つの体内部位、例えば心腔壁の寸法に対応する画像マスクを生成するように処理される。
【０４８３】
任意選択で、画像マスクは、中空の腔を取り囲む組織について選択及び／又は画定され、例えば、画像マスクは心腔壁の形状に基づき画定され、腔内の中空領域を含まず、画像マスクは動脈壁の形状に基づき、動脈内の中空領域を含まず、画像マスクは膀胱壁の形状に基づき、膀胱内の中空領域を含まない。シナプス中心は、画像マスクにより画定される組織内に存在し得るが、中空の空間内（体液、例えば、血液、尿又は他の体液が充満していてもよい）には存在しない可能性があることが注記される。画像マスクは、目的の臓器を取り囲む組織を含み得る。
【０４８４】
画像マスクは、例えば、画像セグメンテーションに基づくか（例えば、システムが画像をセグメンテーションする能力に従う）、組織型（例えば、筋肉組織対結合組織）に基づくか、臓器サイズに基づくか、臓器内の部分構造（例えば、心腔、肝葉、腎臓の一部分）に基づくか、又は他の方法に基づき画定される。
【０４８５】
異なる組織型及び／又は臓器内の異なる位置のシナプス中心に対して異なる画像マスクが生成され得る。例えば、心外膜内のシナプス中心（例えば、ＧＰ）に対して一組の画像マスクが生成される。心筋内のシナプス中心（例えば、ＧＰ）に対して別の一組の画像マスクが生成され得る。
【０４８６】
画像マスクは、画像内で組織及び／又は臓器部分に基づき選択された形状及び／又はサイズを有する２Ｄ及び／又は３Ｄボリュームであってもよい。画像マスクは、イメージングする１つ又は複数のシナプス中心（例えば、ＧＰ）を含むと考えられる解剖学的部位に対応し、例えば、４つの心腔の壁に対応し、腸壁、膀胱壁、腎動脈、腎動脈の大動脈分枝領域、腎臓、又は他の構造に対応し得る。一例において、画像マスクは、心臓の心外膜組織及び／又は心筋組織内におけるシナプス中心（例えば、ＧＰ）を含むように生成され得る。別の例において、画像マスクは、大動脈−腎動脈接合部における腎臓を神経支配するシナプス中心を含むように生成され得る。シナプス中心は多くの場合に解剖学的画像上に見えないため、画像マスクはシナプス中心の（例えば、通常の患者の解剖学に基づく）推定位置に基づき生成されることが注記される。
【０４８７】
任意選択で、生成された画像マスクは解剖学的画像のセグメントに対応する。例えば、心臓は心腔壁にセグメンテーションされ、生成される画像マスクは心腔壁に対応する。
【０４８８】
例えば、各心腔の壁について第１の画像マスクが生成される。ある種の画像（例えば、ＣＴ）では、小さい内腔ほど、その厚さの測定が困難になり得ることが注記される。そのような場合、各内腔の第１の画像マスクの厚さはＬＶなどの測定可能な解剖学的領域に基づき得る。或いは、内腔の厚さが別のイメージングモダリティ（例えば、超音波、ＭＲＩ）を用いて測定され、及び／又は推定される。測定は解剖学的画像を使用して実施されてもよく、例えば、画像マスクの厚さはＣＴ画像上で測定するときのＬＶの厚さに基づき得る。次にＬＶ測定値に基づきその内腔の例示的画像マスク厚さが推定されてもよく、例えば：ＬＶ、右心室（ＲＶ）、右心房（ＲＡ）及び左心房（ＬＡ）の画像マスクは０．５×ＬＶ厚さである。
【０４８９】
任意選択で、画像マスクはテンプレートに基づき生成及び／又は適用される。テンプレートは以下を定義し得る：神経支配を受ける臓器（又は組織）の位置及び／又は神経支配を受ける臓器内及び／又はその近傍、臓器外部のシナプス中心の位置。テンプレートは、例えば体の組織及び／又は臓器に神経構造を位置付ける所定の解剖学図譜に基づき生成され得る。
【０４９０】
任意選択で、生成された画像マスクは互いに隣接する。それに代えて又は加えて、生成された画像マスクは互いに重なり合う。それに代えて又は加えて生成された画像マスクは互いに離間されている。
【０４９１】
４８２２において、画像マスクが機能的画像及び／又はデータに適用される。それに代えて又は加えて、画像マスクは解剖学的画像及び／又はデータに適用される。それに代えて又は加えて、画像マスクは、組み合わされた機能的及び解剖学的画像及び／又はデータ、例えばオーバーレイ画像に適用される。
【０４９２】
任意選択で、画像マスクはレジストレーションプロセス（ブロック４８１８）に基づき適用される。解剖学的情報が、選択された画像マスクを使用して機能的画像内のシナプス中心に関するデータを選択的に再構成するためのガイドとして働く。画像マスクは、１つ又は複数のシナプス中心を有する解剖学的構造を含むように画像と相関付けられ得る。適用は、例えば共通の座標系に基づき適用される画像レジストレーションに基づき得る。画像マスクは、神経組織を含む特定のタイプの組織に適用され得る。例えば、画像マスクは心臓の心外膜に適用され得る。画像マスクは、その内表面を腔壁の心外膜表面と整列させるように適用されてもよく、腔を囲む心外膜空間を画像マスクが包含することになる。
【０４９３】
任意選択で、生成された画像マスクは、標的神経組織を描出する機能的画像の再構成をガイドするため機能的データと相関付けられる。
【０４９４】
４８２４において、適用された画像マスク空間内で機能活性（例えば、放射性トレーサー分布）が計算される。任意選択で、機能活性平均値（例えば、放射性トレーサー放出及び／又は濃度平均値）が計算される。任意選択で、機能活性（例えば、放射性トレーサー放出及び／又は濃度）の標準偏差が計算される。心臓については、機能活性は任意選択で各心腔に関して個別に計算され、及び心臓全体に関して計算される。心腔の機能活性平均値（例えば、放射性トレーサー放出及び／又は濃度平均値）はＡ１ＬＶ、Ａ１ＲＶ、Ａ１ＬＡ、Ａ１ＲＡにより表され得る。心臓の機能活性平均値（例えば、放射性トレーサー放出及び／又は濃度平均値）はＡ１Ｈにより表され得る。活性の標準偏差はＳＤ１ＬＶ、ＳＤ１ＲＶ、ＳＤ１ＬＡ、ＳＤ１ＲＡ、ＳＤ１Ｈにより表され得る。
【０４９５】
任意選択で、４８２６において、４８２０、４８２２及び／又は４８２４の１つ以上が繰り返される。或いは、４８２０、４８２２、４８２４、４８２８、４８３０、４８３２、４８３４、４８３６及び／又は４８３８の１つ以上が繰り返される。或いは、図４の全てのブロックのうちの１つ以上が繰り返される。任意選択で、別の解剖学的部位（例えば、別の心腔、別の組織層）、任意選択で神経組織を含む別の組織型について、さらなる画像マスクが生成される。任意選択で、先に分析された解剖学的部位の近傍にある及び／又はそれに隣接する解剖学的組織及び／又は解剖学的部位について、さらなる画像マスクが生成される。異なる画像マスクを生成し、次に共に適用することにより、臓器近傍に１つ又は複数のシナプス中心が同定され得る。例えば、異なるタイプのシナプス中心は異なる組織を神経支配し得る。或いは、異なる画像マスクを個別に処理することにより、例えば、（例えば臓器の異なる組織内に位置する）異なるシナプス中心が区別される。
【０４９６】
それに代えて又は加えて、任意選択で動的周期（例えば心周期）の画像毎に、異なる時間フレームの画像マスクが生成される。マスクは動的であってもよい。マスクは、時間レジストレーション後、時間の経過に伴い変化してもよい。任意選択で、マスクは時空間マスクである。動的画像マスクが周期中の目的の解剖学的領域と相関付けられ得る。例えば、画像マスクは心周期の間の心臓に伴い動き、しかし同じ相対位置を維持し得る。例えば、ＬＶ壁に適用される画像マスクは心臓の収縮及び弛緩に伴い前後に動き（及び／又は大きくなったり小さくなったりし）、しかしＬＶ壁に対する相対位置は維持する。
【０４９７】
それに代えて又は加えて、解剖学的画像及び機能的画像の両方について画像マスクが生成される。例えば、画像マスクは組み合わされた及び／又はレジスタリングされた画像（これは単一の画像を形成し得るか、又は２つの別個の（任意選択でリンクした画像）を形成し得る）に基づき生成される。
【０４９８】
任意選択で、解剖学的画像は周期性の生理学的過程（例えば、心周期、排尿、腸蠕動）の間に入手される。任意選択で、生理学的過程の間に入手される異なる画像について、異なる時空間画像マスクが選択される。任意選択で、異なる時空間画像マスクが生理学的過程と、組織の同じ位置が対応するように同期される。このようにして、生理学的過程の間に組織が動くことに伴う組織の位置が維持され得る。
【０４９９】
例えば、４８２０（繰り返し）においてさらなる画像マスクが生成され、心筋内の神経組織（例えば、シナプス中心）が検出される。心筋マスクのサイズ及び／又は形状は心外膜マスクのサイズ及び／又は形状と異なり得る。例示的画像マスク厚さとしては以下が挙げられる：ＬＶの画像マスクについて１．２×ＬＶ厚さ、ＲＶについて０．７×ＬＶ厚さ、ＲＡについて０．４×ＬＶ厚さ、ＬＡについて０．４×ＬＶ厚さ。
【０５００】
例えば、４８２２（繰り返し）において画像に画像マスクが適用され、心筋が相関付けられ及び／又は含められる。
【０５０１】
例えば、４８２４（繰り返し）において心筋画像マスクに関して機能活性の平均値及び／又は標準偏差が計算され得る。心腔の活性平均値はＡ２ＬＶ、Ａ２ＲＶ、Ａ２ＬＡ、Ａ２ＲＡにより表され得る。心臓の平均活性はＡ２Ｈにより表され得る。活性の標準偏差はＳＤ２ＬＶ、ＳＤ２ＲＶ、ＳＤ２ＬＡ、ＳＤ２ＲＡ、ＳＤ２Ｈにより表され得る。
【０５０２】
任意選択で、計算された活性レベルは、例えば、体のある点又はボリュームに対して、画像マスク空間内のある点又はボリュームに対して、又は他の方法で正規化される。正規化はＧＰの同定を可能にし得る。
【０５０３】
４８２８において、適用された画像マスク空間内でシナプス中心（例えば、ＧＰ）が同定される。それに代えて又は加えて、臓器ボリューム及び／又は近傍組織内でシナプス中心（例えば、ＧＰ）が同定される。任意選択で、複数の異なる画像マスク内に同定されたシナプス中心（例えば、ＧＰ）が組み合わされて、全ての同定されたシナプス中心（例えば、ＧＰ）、例えば臓器内で同定されたシナプス中心の単一画像にされる。それに代えて又は加えて、時間の経過に伴う複数のフレームの対応する画像マスク（例えば、心周期の間におけるＬＶ心筋の全ての画像マスク）内に同定されたシナプス中心（例えば、ＧＰ）が組み合わされる。
【０５０４】
任意選択で、シナプス中心は、画像マスクの位置及び／又はサイズ及び／又は形状を調整することにより同定される。任意選択で、画像マスクは対応する解剖学的画像に基づき調整される。任意選択で、画像マスクは、シナプス中心を物理的に含まない領域を除外するように調整される。任意選択で、調整された画像マスクの代わりに、及び／又はそれに加えて、及び／又はそれに基づき機能的データが調整される。例えば、シナプス中心を含まない可能性のある解剖学的領域、例えば、心腔及び／又は血管などの中空の（例えば、体液が充満している）空間の内部から得られる機能的強度データ。心腔それ自体は神経組織を含まないこともある。心腔において（例えば心臓壁に隣接して）強度読取り値が検出されるとき、画像データ及び／又は画像マスクがそれらの強度読取り値の推定位置を反映するように調整され得る。マスク調整は、例えば、解剖学的画像データと機能的画像データとの間のレジストレーションが不正確及び／又は不完全であるとき、例えば、解剖学的画像データと機能的画像データとが異なる角度で入手された場合に必要となり得る。
【０５０５】
任意選択で、画像マスク及び／又は臓器ボリューム内のシナプス中心の位置が決定される。あるシナプス中心の別のシナプス中心に対する相対位置が、例えば２Ｄ及び／又は３Ｄで計算されてもよい。
【０５０６】
任意選択で、シナプス中心が共に組み合わされてＡＮＳマップ（例えば、本明細書に記載されるとおり生成されるＡＮＳモデル）とされる。任意選択で、シナプス中心間の接続性が決定される。接続しているシナプス中心は同じ画像マスク内にあっても、異なる空間的位置にある異なる画像マスク内にあっても、及び／又は異なる時点における（しかし同じ対応する位置にある）異なる画像マスク内にあってもよい。任意選択で、シナプス中心間の空間的関係が決定される。例えば、第１のシナプス中心の第２のシナプス中心の位置に対する相対位置。
【０５０７】
任意選択で、極度の活性のエリア（例えば、高濃度の放射性トレーサー）が同定される。例えば、心外膜ＧＰ（ＥＧＰ）及び／又は心筋ＧＰ（ＭＧＰ）が、任意選択で（例えば、本明細書に記載されるとおりの）アドレナリン作動性シナプスに親和性を有する放射性トレーサー、例えばｍＩＢＧの極度の活性に基づき同定される。
【０５０８】
任意選択で、シナプス中心は、例えば本明細書に記載されるとおりの１つ以上の所定の閾値及び／又は規則に基づき同定される。
【０５０９】
任意選択で、シナプス中心（例えば、ＧＰ）は、特定の領域の計算された活性（例えば、画像強度）を同じ画像マスクにおける周囲の活性と比較することにより同定され得る。それに代えて又は加えて、シナプス中心（例えば、ＧＰ）は、画像マスク内の計算された活性（例えば、画像強度）を別の画像マスクの活性と比較することにより同定され得る。例えば、ＥＧＰは、ＥＧＰの総活性が標準偏差（ＳＤ１及び／又はＳＤ２）の所定の倍数だけ平均活性（Ａ１及び／又はＡ２）を上回る、及び／又はその周囲の隣接する活性が（例えば、容積について相関付けられる）ＥＧＰ活性の半分未満であるという規則を満たすものとして同定され得る。任意選択で、使用者は所定の倍数を選択及び／又は変更し得る。例えば、ＭＧＰは、ＭＧＰの総活性が標準偏差（ＳＤ１及び／又はＳＤ２）の別の所定の倍数だけ平均活性（Ａ１及び／又はＡ２）を上回る、及び／又はその周囲の隣接する活性が（例えば、容積について相関付けられる）ＭＧＰ活性の半分未満であるという規則を満たすものとして同定され得る。任意選択で、使用者は所定の倍数を選択及び／又は変更し得る。
【０５１０】
任意選択で、シナプス中心の同定はフレーム毎、任意選択で動的周期（例えば、心周期）のフレーム毎に実施される。
【０５１１】
任意選択で、同定された１つ又は複数のシナプス中心は、組織型と自動的に関係付けられる。任意選択で、同定された１つ又は複数のシナプス中心は、適用された画像マスクに基づき組織型と関係付けられる。それに代えて又は加えて、同定された１つ又は複数のシナプス中心は強度読取り値の特徴に基づき組織型と関係付けられ、例えば、大きいサイズ（大きいシナプス中心を表す）は特定の組織においてのみ見出され得る。任意選択で、異なるタイプのシナプス中心が異なる組織と関係付けられる。例えば、心筋ＧＰは心筋と関係付けられ及び／又は心外膜ＧＰは心外膜と関係付けられる。
【０５１２】
任意選択で、４８３０において、同定されたシナプス中心の１つ以上のパラメータが計算される。パラメータの例としては以下が挙げられる：平均サイズ、特異的放射性トレーサーレベル（例えば、シナプス中心のボクセル当たりのカウントを、対応する画像マスクボリュームにおける平均カウントで除したもの）、パワースペクトル（例えば、１Ｈｚ未満のパワー、１〜５Ｈｚのパワー、高周波と低周波との比）、正規化パワースペクトル、シナプス中心接続マップ（例えば、異なるシナプス中心間の接続性及び相互作用）、所定面積当たりのシナプス中心の数（例えば、シナプス中心密度数／平方センチメートル）。
【０５１３】
例えば、同定されたＥＧＰについて、以下のパラメータの１つ以上が計算され得る：ＥＧＰサイズ、ＥＧＰ特異的放射性トレーサーレベル、ＥＰＧパワースペクトルグラフ、ＥＧＰ正規化パワースペクトル（即ち、種々の周波数におけるＥＧＰパワーから心筋画像マスク空間からの総カウントのパワーを引いた差）、ＥＧＰ接続マップ。
【０５１４】
例えば、同定されたＭＧＰについて、以下の１つ以上のパラメータが計算され得る：あるエリア中のＭＧＰ数及び各所定エリア（例えば、マーシャルの靱帯、左下ＬＡ壁、右下ＬＡ壁、他のエリア）の平均サイズ、ＭＧＰ特異的放射性トレーサーレベル、ＭＧＰパワースペクトル、ＭＧＰ正規化パワースペクトル（即ち、種々の周波数におけるＭＧＰパワーから心筋画像マスク空間からの総カウントのパワーを引いた差）。
【０５１５】
任意選択で、シナプス中心パラメータの計算はフレーム毎、任意選択で動的周期（例えば、心周期）のフレーム毎に実施される。
【０５１６】
任意選択で、４８３２において、計算されたパラメータ及び／又は他のパラメータが正規化され得る。正規化は本方法の１つ以上のブロックで、例えば、機能的画像及び／又は解剖学的画像の取得中及び／又は取得後、機能活性の計算時、シナプス中心の同定時、シナプス中心のパラメータの計算時、経時的なデータ比較時、又は他のブロックで行われ得る。
【０５１７】
１つ以上の正規化技法の例としては、以下が挙げられる：生データ、生データを、略同じ時点で取得された既知の一定の解剖学的位置における生データ値（例えば、患者の縦隔におけるトレーサーの活性）で除したもの、正常な患者データセットに対する正規化、一連の取得における最初又は最後の画像取得時の活性の値に対する正規化、異なる生理学的状態（例えば、安静、ストレス）で取得された値に対する正規化、上記の一部又は全ての組み合わせ、及び／又は他の方法。
【０５１８】
或いは、４８３２の正規化は、代わりに及び／又は加えて、このプロセスの別のブロックの前、例えば、ブロック４８２８でシナプス中心が同定される前に実施される。正規化は、１つ又は複数のシナプス中心を同定する助けとなり得る。例えば、局所領域における放射性トレーサー（例えば本明細書に記載されるとおりのもの、任意選択でｍＩＢＧ）のレベルが、臓器ボリューム全体にわたる、画像マスク空間内の及び／又は所定の閾値に対する平均及び／又は標準偏差と比較される。
【０５１９】
それに代えて又は加えて、計算されたデータ及び／又は測定された機能的強度が感度に関して補正される。任意選択で、感度補正は各画像マスク内で及び／又は関連する画像マスクにおいて実施される。例えば、エリアによっては放射性トレーサーの取込みに対して比較的高い感度を有し得ることもあれば、放射性トレーサーの取込みに対して比較的低い感度を有し得ることもある。任意選択で、解剖学的データが感度と相関付けられる。任意選択で、画像マスクが異なる感度レベルに基づき生成され（ブロック４８２０）、例えば、より高感度の神経組織についてある一組の画像マスクが生成され、及びより低感度の神経組織について別の一組の画像マスクが生成される。任意選択で、異なる感度は共通のベースラインに対して正規化される。
【０５２０】
それに代えて又は加えて、機能的データの測定値が正規化され、例えば、放射性トレーサーの取込みの測定値が、対象における対応する化学物質（例えば、放射性トレーサーがそれの放射性標識誘導体及び／又は類似体である神経伝達物質）のレベルに対して正規化される。任意選択で、強度測定値は、同定されるシナプス中心の放射能レベルにより正規化される。任意選択で、シナプス中心の放射能を表す測定値が取られる。例えば、ノルエピネフリン類似体放射性トレーサー（例えば、ｍＩＢＧ）の場合、測定値は、対象のノルエピネフリン（及び／又はエピネフリン）レベルに対して正規化される。例えば、血中（例えば、血液試料による）、尿中、又は他の体液中のノルエピネフリンのレベルが測定される。取り込まれたノルエピネフリン類似体（例えば、ｍＩＢＧ）の強度が、測定されたノルエピネフリンに基づき正規化される。別の例では、放射能レベルが非化学的方法により測定される。例えば、放射性トレーサー（例えば、ｍＩＢＧ）の正規化が、心臓ストレス検査の間に取られた測定値に基づき（例えば、ＥＣＧ測定値、心拍数、心拍出量、又は他の測定値に基づき）実施される。これらの測定値は、同定されるシナプストレーサーの活性レベルと（例えば、表、数学的方程式、又は他の方法によって）相関付けられ得る。
【０５２１】
任意選択で、４８３４において、シナプス中心パラメータの経時的変化が同定される。任意選択で、異なる取得時点間のパラメータ計算値の動的変化が決定される。例えば、注入から注入６時間後まで、この時間ウィンドウの間に画像取得を数回繰り返すことにより、シナプス中心（例えば、ＥＧＰ）活性の経時的変化が計算され得る。機能的画像はトレーサー注入後２回以上取得され得る。
【０５２２】
任意選択で、４８３６において、機能的データ及び／又は画像に適用されたマスクに基づき機能的画像が再構成される。それに代えて又は加えて、組み合わされた機能的及び解剖学的データ及び／又は画像に適用されたマスクに基づき画像が再構成される。再構成された画像は、同定された１つ又は複数のシナプス中心を、例えば強度が高い領域として含み得る。再構成画像は解剖学的画像上にオーバーレイされてもよく、１つ又は複数のシナプス中心の物理的位置が示され得る。
【０５２３】
それに代えて又は加えて、機能的画像内の１つ又は複数のシナプス中心の特徴が再構成される。再構成は画像マスクにより指図される。
【０５２４】
任意選択で、４８３８において、計算結果及び／又は再構成画像が提示用に提供される。例えば、医師に向けてモニタ上に提示される。計算結果は、（例えば本明細書に記載されるとおりの）患者の診断及び／又は（例えば本明細書に記載されるとおりの）治療のガイドの助けとなり得る。
【０５２５】
任意選択で、結果は、特定のフレーム、例えば収縮終期フレームでの提示用に提供される。或いは、結果は、複数のフレーム、例えば心周期のビデオでの提示用に提供される。
【０５２６】
任意選択で、再構成された機能的画像が治療手技中のレジストレーション用に提供される。再構成画像は、治療手技中に得られる解剖学的画像上にオーバーレイされ及び／又はそれにレジスタリングされ得る。オーバーレイ及び／又はレジスタリングされた画像は、操作者によって治療中に１つ又は複数のシナプス中心の位置を物理的に決定するために用いられ得る。
【０５２７】
任意選択で、又は代わりに、モデル及び／又は疾患の分析を用いてデータ取得がガイドされてもよく、例えば、データベースが特定の機能不全と特定のＡＮＳパラメータとの関連性を記憶し得る。前立腺肥大症などの機能不全の同定により、ＡＮＳの特定の部分に関するデータの取得が提案され得る。前立腺に至る交感神経入力を切断することによりその容積の約３０％の低下が生じ得ることが知られている。良性前立腺肥大症患者では、前立腺のＡＮＳ神経切除の一般的モデルを用い得る。
【０５２８】
一部の実施形態では、モデルは主として機能モデルである。例えば、既知の入力、例えば呼吸が種々のシナプス中心の活性と相関付けられ、次にそれについて情報が収集される。
【０５２９】
一部の実施形態では、単純なモデル（例えば、活動が亢進した単一のシナプス中心を含むもの）を使用してデータが収集され得る。このモデルが刺激に対する応答を予測する場合、モデルは治療（例えば、心房細動の治療用アブレーション）に用いられ得る；他の場合には、より複雑なモデル（例えば、いくつかのシナプス中心がフィードバックループを形成するもの）が任意選択で用いられる。一部の実施形態では、アブレーション手技中にモデリングのかかる変化が適用される。例えば、カテーテルが心房に挿入され、シナプス中心（例えば、ＧＰ）がアブレーションされ、又は部分的にアブレーションされ、次に得られる効果が予想どおりであるかどうかを確かめる判断が行われる。予想どおりでない場合、任意選択でモデルが新規データに適合するよう変更される。任意選択で、可能性のあるパラメータ空間にわたるモデル及び／又はいくつかの代替的モデルの自動探索が行われ、最良に適合するモデル／パラメータセットが使用される。
【０５３０】
モデルを使用して、例えば、治癒及び／又は適応変化／治療後変化もまたモデリングする（例えば、保存された予想効果を有する）モデルにより、治療の非即効性の効果もまた予測され得る。一部の実施形態では、予想される及び所望の効果が達成され、且つその効果が所望の転帰を予測することがモデルにより示されたとき、その即効性の効果が所望の最終効果ではない場合であっても、アブレーションは中止される。
【０５３１】
神経組織の位置：
一部の実施形態では、（シナプス中心の同定に使用される）放射性トレーサーにより提供された情報を、同定された神経組織の（例えば、対象の体に対する）位置に関するさらなる情報と組み合わせることにより、同定された神経組織（例えば、シナプス中心）の位置が特定される。かかるさらなる情報は、例えば、同定された神経組織を体における位置と（例えば、マッピング関数を使用して）関連付けるため用いられ得る対象からの解剖学的データ及び／又は解剖学的領域の（例えば、典型的な人の解剖学的データに基づく）モデルを含み得る。
【０５３２】
本明細書で使用されるとき、語句「解剖学的データ」は、体の少なくとも一部分の位置に関するデータ（例えば、体の少なくとも一部分の２−Ｄ又は３−Ｄ画像）、生体内プローブ（例えば、治療プローブ及び／又はイメージングプローブ）の位置に関するデータ及び／又は生体内プローブ（例えば、治療プローブ及び／又はイメージングプローブ）を使用して集められた位置データを包含する。
【０５３３】
一部の実施形態では、（例えば、臓器の画像を提示する）体の少なくとも一部分の画像には、生体内プローブ（例えば、治療プローブ及び／又はイメージングプローブ）の画像が含まれる。
【０５３４】
一部の実施形態では、生体内プローブ（例えば、治療プローブ及び／又はイメージングプローブ）を使用して集められた生体内プローブの位置に関する解剖学的データ及び／又は位置データを使用して、リアルタイムで治療がガイドされる。
【０５３５】
一部の実施形態では、解剖学的データはイメージング技術によって得られる。好適なイメージング技術の例としては、限定なしに、Ｘ線ＣＴ、ＭＲＩ、蛍光透視、超音波、及び核イメージング技術、例えばＳＰＥＣＴ及びＰＥＴが挙げられる。当業者は、かかるイメージング技術を用いて解剖学的データを取得することが可能であろう。Ｘ線ＣＴ、ＭＲＩ、超音波、及びＰＥＴは、ＳＰＥＣＴに好適な放射性トレーサー（例えば、Ｉ−１２３−ｍＩＢＧ）と組み合わせて使用するのに特に好適な技術の例である。
【０５３６】
ＳＰＥＣＴ及びＰＥＴなどの核イメージング技術によって解剖学的データが取得されるとき、その技術は、放射性トレーサーデータの取得に用いられる技術と同じであっても又は異なってもよい。
【０５３７】
一部の実施形態では、放射性トレーサーデータが（例えば、本明細書に記載されるとおりの）ＳＰＥＣＴにより取得され、及び解剖学的データが、当該技術分野において公知の任意の好適なＰＥＴ技術を用いたＰＥＴにより取得される。
【０５３８】
一部の実施形態では、放射性トレーサーデータが（例えば、本明細書に記載されるとおりの）ＰＥＴにより取得され、及び解剖学的データが、当該技術分野において公知の任意の好適なＳＰＥＣＴ技術を用いたＳＰＥＣＴにより取得される。
【０５３９】
解剖学的データを得るためにＳＰＥＣＴが用いられる一部の実施形態では、造影剤はＴｃ−９９ｍ標識トレーサーである。一部の実施形態では、Ｔｃ−９９ｍ放射性標識トレーサーの用量は、約２ｍＣｉ〜１５ｍＣｉ、任意選択で約６ｍＣｉ〜１２ｍＣｉ、任意選択で約３ｍＣｉ〜１０ｍＣｉ、例えば、約１０ｍＣｉ、約８ｍＣｉ又は約５ｍＣｉである。
【０５４０】
対象に対してＰＥＴ及びＳＰＥＣＴの両方の技術が用いられる一部の実施形態では、ＰＥＴ信号に使用される造影剤の信号が、ＳＰＥＣＴに使用される造影剤の信号と、ＰＥＴ造影剤による（及びＳＰＥＣＴ造影剤によるのでない）２つの光子の同時放出によって区別される。
【０５４１】
一部の実施形態では、（例えば、本明細書に記載されるとおりの）核イメージング技術を使用して放射性トレーサーデータと解剖学的データとが同時に取得される。一部の実施形態では、同時デュアル二重同位体イメージングが（例えば、当該技術分野において公知の手順を用いて）実施される。
【０５４２】
一部の実施形態では、解剖学的データは、シナプス中心と比較的重なりが少ない体内分布を呈するように選択された、投与した（例えば、ＰＥＴ又はＳＰＥＣＴに好適な）放射性造影剤を検出することにより取得される。従って、造影剤の信号がシナプス中心における放射性トレーサーの信号を過度に遮蔽することがない。
【０５４３】
一部の実施形態では、造影剤は（例えば、血流中への造影剤の注入後に）主として血流に限局し、従って少なくとも１つの血管及び／又は血液に富む臓器（例えば、心臓）の位置に関するデータが提供される。
【０５４４】
一部の実施形態では、造影剤は（例えば、血流中への造影剤の注入後に）心筋に限局し、従って心臓の位置に関するデータが提供される。セスタミビ、テトロホスミン及びテボロキシム（Ｔｃ−９９ｍ放射性標識造影剤）及びタリウム（例えば、塩化タリウム）が、かかる造影剤の例である。
【０５４５】
一部の実施形態では、造影剤は（例えば、造影剤の経口投与後に）主として胃腸管に限局し、従って胃腸管の臓器（例えば、胃、腸）の位置に関するデータが提供される。
【０５４６】
一部の実施形態では、造影剤は主として骨に限局し、従って骨組織の位置に関するデータが提供される。ホスホネート及びビホスホネート造影剤が、骨組織のイメージングに好適なものとして当該技術分野において公知である。
【０５４７】
一部の実施形態では、造影剤は（例えば、造影剤の吸入後に）主として呼吸器に限局し、従って呼吸器の臓器（例えば、肺、気管）の位置に関するデータが提供される。
【０５４８】
位置特定は、放射性トレーサーによって提供されるデータ（例えば、ＳＰＥＣＴ又はＰＥＴデータ）に基づく画像の再構成を伴い及び／又は伴わずに実施され得る。
【０５４９】
ここで図１を参照し、この図１は、本発明の一部の実施形態に係る、ＳＰＥＣＴデータ（例えば、本明細書に記載されるとおり取得されたもの）と解剖学的データとを組み合わせることにより生体内ボリュームにおける神経組織（例えば、シナプス中心）の位置を特定する方法１００のフローチャートである。ＳＰＥＣＴデータは単に好適な核イメージングデータの一例に過ぎず、本質的に図１に記載されるとおりの方法においては他の核イメージングデータ（例えば、ＰＥＴデータ）がＳＰＥＣＴデータの代わりに、又はそれに加えて用いられ得ることが理解されるべきである。
【０５５０】
１０１に示されるとおり、本明細書に記載される実施形態のいずれか１つに係る解剖学的データ（これは任意選択で、患者皮膚面上の対象の生体内ボリュームの解剖学的データ（例えば、蛍光透視画像）を含む）が、解剖学的イメージングモダリティ（例えば、蛍光透視モダリティ）を使用して捕捉される。
【０５５１】
１０２に示されるとおり、患者に造影剤、即ち本明細書に記載される放射性トレーサーのいずれか１つ又はそれらの任意の組み合わせが注入される。一部の実施形態では、解剖学的データを提供するためのさらなる造影剤（例えば、セスタミビ）もまた（例えば、放射性トレーサーとさらなる造影剤とを含むカクテルとして）注入される。
【０５５２】
次に、１０３に示されるとおり、１つ以上の放射線検出器を有するＳＰＥＣＴモダリティを使用して、ＳＰＥＣＴデータ取得に関連して本明細書に記載される実施形態のいずれか１つに係る放射性トレーサーの分布を表すＳＰＥＣＴデータ、例えばＳＰＥＣＴ画像が取得される。
【０５５３】
１０４に示されるとおり、解剖学的データ（例えば、対象の体の少なくとも一部分の画像）とＳＰＥＣＴ放射性トレーサーデータとが組み合わされ、例えば１０５に示されるとおり、及び任意選択で、本明細書に記載されるとおりの１つ以上のマッピング関数により、神経組織の位置決定が可能となる。例えば、組み合わせるステップは、任意選択で放射性トレーサーデータ及び解剖学的データにおいてイメージングされた特定の生体内ボリュームに対して予め計算され得る相関行列を使用して実施される。放射性トレーサーデータは、任意選択で本明細書に記載されるとおりの、シナプス中心（例えば、シナプス、神経節）の分布を示すマップの形態であってもよい。組み合わせるステップは、任意選択でＳＰＥＣＴデータを解剖学的データと並べて提示し、それにレジスタリングし及び／又はその上にオーバーレイすることにより実施され得る。一部の実施形態では、この重ねた画像は、ＳＰＥＣＴデータ（例えば、マップ）が解剖学的画像（例えば、蛍光透視画像）、例えば臓器の画像の上にさらなるレイヤーとして加えられる場合に形成される。
【０５５４】
一部の実施形態では、Ｘ線を可視画像に変換するＸ線射影イメージングモジュール（例えば、Ｘ線イメージインテンシファイア）を任意選択で含み得る解剖学的データの取得用蛍光透視モダリティ（例えば、電気生理学的蛍光透視モダリティ）、並びに、放射性トレーサーデータの取得用の、且つ任意選択で複数の放射線検出器を有する核イメージングモダリティ、任意選択でＳＰＥＣＴモダリティを組み合わせるハイブリッドイメージングデバイスを使用した放射性トレーサーデータ及び解剖学的データ。ハイブリッドイメージングデバイスは、任意選択で、患者皮膚面上の患者をイメージングするように構成され、任意選択でこの表面は、立位の患者、臥位の患者、座位の患者、及び／又は寄り掛かった姿勢の患者を支持するように調整され得る。例えば、この表面は、水平な位置合わせ面、例えば患者のベッドであってもよく、垂直な位置合わせ面、例えば壁又は椅子の背もたれなどであってもよい。患者皮膚面は、任意選択で実際のＸ線源から患者皮膚面上の患者を介してイメージインテンシファイアに至るＸ線の通過を許容する材料で作製される。
【０５５５】
解剖学的データと放射性トレーサーデータとを組み合わせると放射性トレーサーデータの信号対雑音比（ＳＮＲ）が増加することが理解されるべきである。放射性トレーサーデータ及び解剖学的データのレジスタリングにより、種々のトレーサー分布及び／又は分布の変化（例えば、取込み率及び／又は流失率）が観察される解剖学的領域が指示される。これにより、例えば本明細書に記載されるとおりの、標的神経組織が位置する解剖学的データ中の推定ボリュームに従う放射性トレーサーデータのフィルタリングが促進される。
【０５５６】
任意選択で、位置特定は造影剤の注入前に又はそれと同時に開始される。一部の実施形態では、解剖学的データのイメージングは造影剤の注入直後に始まる。一部の実施形態では、イメージングは注入後最長約５分の遅延の後に始まる。一部の実施形態では、イメージングは注入後最長約１０分の遅延の後に始まる。一部の実施形態では、イメージングは注入後最長約３０分の遅延の後に始まる。一部の実施形態では、イメージングは注入後最長約１時間の遅延の後に始まる。一部の実施形態では、イメージングは注入後約１〜１０分の遅延の後に始まる。一部の実施形態では、イメージングは注入後約５〜２０分の遅延の後に始まる。一部の実施形態では、イメージングは注入後約１０〜３０分の遅延の後に始まる。一部の実施形態では、イメージングは注入後約１５〜６０分の遅延の後に始まる。一部の実施形態では、イメージングは注入後約３０〜１２０分の遅延の後に始まる。一部の実施形態では、イメージングは注入後約１〜６時間の遅延の後に始まる。一部の実施形態では、イメージングは注入後約５〜４８時間の遅延の後に始まる。
【０５５７】
任意選択で、解剖学的データの取得のため、３段階以上のイメージングステップが提供される。任意選択で、解剖学的データの取得には、動的生理学的過程、例えば、灌流、取込み、流失などの取得が含まれる。
【０５５８】
一部の実施形態では、再構成された画像は特定の組織領域のものであるか、又は目的のボリューム若しくは選択領域のものである。
【０５５９】
一部の実施形態では、再構成はボクセル又はセグメントに基づくか、モデルベースか、又はそれらの組み合わせである。
【０５６０】
一部の実施形態では、放射性トレーサーデータと解剖学的データとの組み合わせは、放射性トレーサーデータを含む画像を、同定されたシナプス中心が適切な解剖学的領域内に入る（例えば、心臓神経節が心房壁と整列する）ように位置合わせすることにより行われる。
【０５６１】
一部の実施形態では、神経組織のモニタリング、例えば治療期間中に行われる複数のセッションからのデータの比較に位置特定が用いられる。治療期間は、例えば、１日、１週間、１ヶ月、１年又は任意の中間的な又はより短い期間であってもよい。
【０５６２】
本発明の一部の実施形態によれば、本方法は、放射性トレーサーデータ（例えば、ＳＰＥＣＴ画像、ＰＥＴ画像）に同定される領域（例えば、シナプス中心）を、対応する臓器及び／又は組織と関連付けるステップを含む。
【０５６３】
一部の実施形態において、前述の関連付けは、対象の体に特別に関係するいかなる追加的データも（即ち、放射性トレーサーデータに加えて）必要となることはない。例えば、一般的な解剖学的知識（例えば、体におけるシナプス中心の典型的な分布に関するもの）が用いられ得る。
【０５６４】
一部の実施形態において、前述の関連付けは、神経組織及び／又は神経組織を取り囲む組織を１つ以上のマッピング関数に従いマッピングすることにより達成される。
【０５６５】
例えば、図２は、本発明の一部の実施形態に係る、放射性トレーサーデータに同定される種々の領域と、対応する臓器及び／又は組織との関連付けに基づき神経組織の位置を特定する方法のフローチャートである。１０２、１０３は上記に記載したとおりであり得る。ＳＰＥＣＴデータは単に好適な核イメージングデータの一例に過ぎず、本質的に図２に記載されるとおりの方法においては他の核イメージングデータ（例えば、ＰＥＴデータ）がＳＰＥＣＴデータの代わりに、又はそれに加えて用いられ得ることが理解されるべきである。２０１において、例えば計算デバイスのメモリから、マッピング関数が提供される。２０２に示されるとおり、マッピング関数を使用して、ＳＰＥＣＴ画像における１つ以上の領域が１つ以上の臓器及び／又は組織と関連付けられる。２０３に示されるとおり、このマッピングにより、周囲組織に対する標的組織の位置を特定し、神経組織を周囲のエリアと分けることが可能となる。
【０５６６】
一部の実施形態では、マッピング関数は本明細書に記載されるとおりの解剖学的データ（例えば、血管造影データ）を利用する。
【０５６７】
一部の実施形態では、マッピング関数は予め定義される。マッピング関数は、例えば、放射性トレーサーデータ（例えば、時間依存データ）の多変量解析を利用し得る。一部の実施形態では、マッピング関数は、異なる動態学的挙動、取込み率及び／又は流失率によって特徴付けられる領域間を区別する。
【０５６８】
一部の実施形態では、位置を特定することは、体の特定の領域についての放射性トレーサーの参照取込み率及び／又は流失率を表す参照値との一致に従い生体内エリア又はボリュームにおいて少なくとも１つの目的の領域（ＲＯＩ）を同定し、それにより体における当該の特定の領域を含むＲＯＩを同定することを含む。一部の実施形態では、参照値は刺激（例えば、本明細書に記載される刺激）に対する応答（例えば、神経応答）と関連付けられ、この方法は、同定を促進するため生体内エリア又はボリューム内の神経組織をかかる刺激で刺激するステップを含む。一部の実施形態では、本方法は、参照値との一致に基づき放射性トレーサーデータにおける生体内エリア又はボリュームの表現の少なくとも一部を（例えば、ＲＯＩ以外の領域からノイズを除去することにより）フィルタリングするステップをさらに含む。一部の実施形態では、放射性トレーサーは放射性ｍＩＢＧ（例えば、Ｉ−１２３−ｍＩＢＧ）であり、参照値はｍＩＢＧの取込みに関するものである。
【０５６９】
一部の実施形態では、この位置特定が、（例えば、本明細書に記載されるとおりの）医学的治療に用いられる。好適な医学的治療の例としては、限定なしに、除神経手技、例えば、腎除神経又は心房における神経節の除神経；（例えば、本明細書に記載されるとおりイメージングされた）シナプス中心、例えば心臓神経節神経叢、骨盤神経叢及び／又は腹腔神経節のアブレーション；（例えば、心房壁及び／又は心室壁の）筋アブレーション手技；神経支配調節手技；血液治療及び／又は（例えば、血管における）ステント留置手技の誘導が挙げられる。
【０５７０】
一部の実施形態では、この位置特定が、例えば心房細動（ＡＦ）を治療するための、神経節（例えば、心房に関連する神経節）のアブレーションのガイドに用いられる。一部の実施形態では、アブレーションはカテーテル留置手技中に、任意選択で放射性トレーサーデータと解剖学的データとの組み合わせに基づき実施される。任意選択で、カテーテル留置は心内心エコー（ＩＣＥ）カテーテルを使用する。かかる実施形態において、ＩＣＥカテーテルからのイメージングデータは、任意選択で位置特定を促進するため放射性トレーサーデータと組み合わされ得る解剖学的データを含む。
【０５７１】
一部の実施形態では、位置特定は、放射性トレーサーデータ（例えば、ＳＰＥＣＴデータ）及び解剖学的データ（これらは同時に（例えば、同時デュアル同位体技法によって）及び／又は治療期間中、例えば医学的治療の間に捕捉される）に基づくリアルタイムの位置特定である。
【０５７２】
一部の実施形態では、放射性トレーサーデータ（例えば、ＳＰＥＣＴデータ）は、医療手技（例えば、心臓治療）の開始前、例えば手技の数時間前及び／又は前日に取得される。一部の実施形態では、放射性トレーサーデータは侵襲的医療手技の開始直前、例えば、対象がカテーテル処置室（ＣａｔｈＬａｂ）の部屋に入る前に取得される。例えば、放射性トレーサーデータは、任意選択でカテーテル留置手技の前にワークステーションに取り込まれる。
【０５７３】
一部の実施形態では、例えばＣａｒｔｏＭｅｒｇｅ（商標）モジュールを使用することにより、放射性トレーサーデータが解剖学的データ、任意選択で電気解剖学的マップ及び／又はＣＴマップにレジスタリングされる（例えば、それと重ねられる）。これにより、治療中、例えばアブレーション手技中に正確なガイダンスを操作者に提供することが可能となり、任意選択でこのガイダンスを用いて治療プローブ、例えばアブレーションデバイス（例えば、高周波プローブ）及び／又は冷凍外科手術プローブがナビゲートされ得る。放射性トレーサーデータがワークステーションに転送されると、ワークステーションは任意選択でリアルタイムの電気解剖学的マップを、本明細書に記載されるとおり取得された放射性トレーサーデータと、及び任意選択でＣＴマップともまたマージする。結果は任意選択で電気解剖学的マップ上の色付きの標的として操作者に提示され得る。
【０５７４】
ＳＰＥＣＴが使用される例示的実施形態では、対象にＩ−１２３放射性標識トレーサー、例えばＩ−１２３−ｍＩＢＧが、例えば本明細書に記載される用量で注入される。患者には任意選択で、灌流マッピング（例えば、心臓灌流マッピング及び／又は灌流ゲートＳＰＥＣＴ）用のＴｃ−９９ｍ標識トレーサー（これはＳＰＥＣＴによる検出に好適である）などの補助的放射性標識造影剤、例えば、セスタミビ、テトロホスミン、及び／又はテボロキシムなどの造影剤もまた、任意選択で本明細書に記載される用量で注入される。放射性トレーサー検出及び／又は灌流イメージング（造影剤検出）は、任意選択で安静時及び／又はストレス時（例えば、労作時）に行われる。
【０５７５】
一部の実施形態では、放射性トレーサーデータ及び解剖学的データは、例えば、最初に放射性（例えば、Ｉ−１２３標識）トレーサー（例えば、Ｉ−１２３−ｍＩＢＧ）を注入してその放射性トレーサーをイメージングし、次にＴｃ−９９ｍ造影剤を注入してその造影剤をイメージングすることにより、各放射性標識薬剤（例えば、Ｉ−１２３標識放射性トレーサー及びＴｃ−９９ｍ標識造影剤）を順々に測定して得られる。
【０５７６】
一部の実施形態では、放射性トレーサーデータ及び解剖学的データは、放射性標識薬剤（例えば、Ｉ−１２３標識放射性トレーサー及びＴｃ−９９ｍ標識造影剤）を測定することにより得られ、このようにしてトレーサーの完全にレジスタリングされた画像がより短い時間フレームで得られる。別の例では両方のトレーサーが、Ｔｃ−９９ｍ標識トレーサーとＩ−１２３標識トレーサーとの約２：１の用量比で注入される。例えば、約１０ｍＣｉのＴｃ−９９ｍ標識造影剤（セスタミビなど）が、任意選択で約５ｍＣｉのＩ−１２３標識トレーサー（Ｉ−１２３−ｍＩＢＧなど）と同時に注入される。一部の実施形態では、約１：１〜３：１、任意選択で約１．５：１〜２．５：１の比が用いられる。
【０５７７】
一部の実施形態では、放射性トレーサーデータ及び／又は造影剤データ（心臓灌流イメージングについて）、例えば、本明細書に記載されるとおりの放射性トレーサーデータ及び造影剤データの同時取得は、最長約２０分の所定時間（例えば、放射性トレーサーデータの取得について本明細書に記載される所定時間）にわたる光子取得を含む。一部の実施形態では、光子取得は、例えば、早期像及び後期像を提供するため、（例えば、本明細書に記載される任意の時間の待機期間によって隔たる）複数の時点で実施される。
【０５７８】
診断及びモニタリング：
本発明の一部の実施形態に係るイメージング方法は、イメージングについて本明細書に記載される実施形態のいずれか１つにより決定されるとおりのシナプス中心分布に基づく診断及び／又は治療管理に関する。一部の実施形態では、本イメージング方法は、医学的状態又は疾患又は障害の診断及び／又はモニタリングに用いられる。一部の実施形態では、医学的状態及び／又は疾患又は障害は自律神経系に関連する。一部の実施形態では、医学的状態及び／又は疾患は、診断がなされる異常な自律神経系活性、例えば自律神経系の入力又は介入の障害に関連する。一部の例示的実施形態において、診断及び／又は治療管理は心臓に関する。
【０５７９】
従って、本発明の実施形態の別の態様によれば、医学的状態及び／又は疾患を診断及び／又はモニタリングする方法において使用される放射性トレーサー（例えば、本明細書に記載される放射性トレーサーのいずれか１つ、又はそれらの任意の組み合わせ）が提供される。一部の実施形態では、医学的状態及び／又は疾患は自律神経系に関連する。一部の実施形態では、この診断及び／又はモニタリング方法は、本明細書に記載される実施形態のいずれか１つに係るイメージング方法を用いる。一部の実施形態では、放射性トレーサーは放射性ｍＩＢＧ（例えば、Ｉ−１２３−ｍＩＢＧ）である。
【０５８０】
本発明の実施形態の別の態様によれば、医学的状態及び／又は疾患を診断及び／又はモニタリングするための診断用薬剤の製造における放射性トレーサー（例えば、本明細書に記載される放射性トレーサーのいずれか１つ、又はそれらの任意の組み合わせ）の使用が提供される。一部の実施形態では、医学的状態及び／又は疾患は自律神経系に関連する。一部の実施形態では、診断用薬剤は、本明細書に記載される実施形態のいずれか１つに係るイメージング方法において使用されるものである。一部の実施形態では、放射性トレーサーは放射性ｍＩＢＧ（例えば、Ｉ−１２３−ｍＩＢＧ）である。
【０５８１】
本明細書で使用されるとき、用語「〜を診断する」、「診断している」及び「診断」及びこれらの変化形は、体の少なくとも一部分の活性、構造、挙動及び／又は任意の他の特徴を特徴付けることを指す。例えば、診断は任意選択で、体の異なる部分の間（例えば、臓器と自律神経系との間）の関係を特徴付けることから本質的になり得る。
【０５８２】
診断及び／又はモニタリングは、本明細書に記載されるとおりの神経組織の位置特定を伴い又は伴わず実施され得る。例えば、一部の実施形態では、シナプス中心分布及び／又は活性のパターンが診断及び／又はモニタリングに十分な情報を提供し、（例えば、本明細書に記載されるとおりの位置特定により）シナプス中心の正確な位置が分かる必要はない。代替的実施形態では、診断及び／又はモニタリングを促進するために位置特定が利用され、例えばそれにより近接して位置するシナプス中心間が区別され、及び／又は診断及び／又はモニタリングに関連して実施される治療（例えば、診断によりガイドされる治療）が促進される。
【０５８３】
本明細書に記載される態様のいずれかの一部の実施形態において、対象においてイメージングされた分布及び／又は活性を、１セット以上の参照シナプス分布と比較することにより、正常な又は異常なシナプス分布及び／又は活性が決定される。任意選択で、この参照データとの比較に基づき、シナプス活性（例えば、自律神経系活性）の予想される効果が決定されてもよい。一部の実施形態では、参照シナプス分布は正常なシナプス分布及び／又は活性を示す。一部の実施形態では、参照シナプス分布は、異常なシナプス分布及び／又はニューロン活性によって特徴付けられる医学的状態及び／又は疾患又は障害を示す。任意選択で、性別、年齢、国籍、病状、薬物療法、ストレス、運動、及び刺激に従うなど、異なる状況について異なる分布が提供される。任意選択で、医学的状態及び／又は疾患は、既存の分布と、疾患及び／又は医学的状態を特徴付ける１セット以上の参照分布との間の一致に基づき同定される。任意選択で、かかる参照分布セットは、様々な患者及び／又は健常な人及び／又は状態について取得され、例えば、相対強度、シナプス活性のタイプ（例えば、アドレナリン作動性とコリン作動性）、「ホットスポット」（高濃度の放射性トレーサーによって特徴付けられる領域）の位置及び／又はサイズ及び／又は「コールドスポット」（低濃度の放射性トレーサーによって特徴付けられる領域）の位置及び／又はサイズによって特徴付けられる。
【０５８４】
ある場合には、シナプス密度が、疾患過程に関して、及び／又は神経系が受けている又は受けた可能性のある任意のリモデリングに関して教示し得る。多くの患者において神経系は本質的に極めて動的であり、シナプス中心の密度及び活性（例えば、活性の大きさ及び／又はタイプ）が疾患及び／又は治療に応答し得る点に留意することが重要である。
【０５８５】
本発明の一部の実施形態によれば、シナプス分布及び／又はニューロン活性は治療前及び治療後の時点（例えば、異なるイメージングセッション）で（例えば本明細書に記載されるとおり）特徴付けられ、本方法は、治療が自律神経系活性に及ぼす効果を評価するステップをさらに含む。
【０５８６】
一部の実施形態では、（例えば、疾患又は治療によって生じる）神経系の変化は、少なくとも２つの（例えば、本明細書に記載されるとおりの）イメージングセッションを実施し、且つ２つのイメージングセッション間の変化を同定することにより同定される。一部の実施形態では、（例えば、本明細書に記載されるとおりの）医学的状態及び／又は疾患の治療は２つのイメージングセッションの間に行われる。
【０５８７】
一部の実施形態では、診断は、自律神経系が臓器（例えば、本明細書に記載される医学的状態及び／又は疾患に罹患している臓器）に及ぼす効果を、例えば自律神経系活性及び／又は分布がその臓器に及ぼす機能的効果を特徴付けることにより推定すること、又はその逆を含む。
【０５８８】
一部の実施形態では、本明細書に記載されるイメージング方法は、このイメージング方法により決定されるとおりの、（例えば、所与のシナプス中心より末梢寄り及び／又は中枢寄りの位置における）刺激が神経系に及ぼす効果を特徴付けることにより、自律神経系の求心性活性と遠心性活性とを区別することを含む。
【０５８９】
一部の実施形態では、診断は分布及び活性の両方を考慮する。例えば、任意選択で分布が、神経支配を受ける組織の潜在的応答性を示し得る一方、任意選択で活性が、当該の潜在能力の利用程度を示す。この組み合わせはまた、組織（例えば、心臓）の神経支配及び／又は刺激／制御の一様性も示し得る。
【０５９０】
一部の実施形態では、診断を用いて心筋梗塞の損傷及び／又は治癒の予後が推定される。例えば、神経組織の損傷が心筋の損傷と異なる場合及び／又は再生が異なる場合が時にある。心臓のイメージングにより、例えば、好適に神経支配されていない、従って心室リモデリング、僧帽弁逆流、心不全及び／又は心非同期性の原因となり得る心臓の一部分が示され得る。
【０５９１】
一部の実施形態では、本明細書に記載されるイメージング方法は、医学的状態及び／又は疾患の治療効果のモニタリングに用いられる。一部の実施形態では、自律神経系及び／又は臓器の効果が、治療処置の前、その最中及び／又はその後に評価される。評価される効果は、活性、活性の変化、及び／又は刺激（例えば、治療処置）に対する応答であり得る。
【０５９２】
一部の実施形態では、神経組織に影響を及ぼすことを意図する治療、例えば、β遮断薬による治療及び／又は除神経（例えば、腎除神経、心臓神経節又は神経節神経叢アブレーション、骨盤神経叢アブレーション、腹腔神経節アブレーション）の効果がモニタされる。一部の実施形態では、モニタリングは、神経活性を臓器（例えば、心臓）の機械的応答、例えば、動き（例えば、心臓壁の動き）の振幅及び／又は速度と比較することを含む。任意選択で、治療は測定に基づき修正され、例えば中止、継続、増加及び／又は変更される。
【０５９３】
一部の実施形態では、シナプス中心（例えば、神経節）の分布及び／又は活性を任意選択で心臓の応答と併せてモニタすることにより、慢性病態、例えば、高血圧症、心不整脈、前立腺肥大症、自己免疫疾患又は障害、糖尿病、勃起不全、過敏性腸症候群及び／又はストレスなどの影響がモニタされる。
【０５９４】
一部の実施形態では、本明細書に記載される測定を用いて、（例えば、本明細書に記載されるとおりの）医学的状態又は疾患の治療がガイドされる。
【０５９５】
一部の実施形態では、本明細書に記載される測定を用いてペースメーカー又は他の心臓電気制御器電極の配置が選択される。例えば、不整脈治療に使用される電極は、任意選択で一層高度に活性化した組織を抑制し、弱め及び／又は捕捉し得るところに配置される。別の例において、ペースメーカー電極は、神経活性及び／又は伝導に対する電気刺激の予想される効果に従い配置される。別の例において、電極は、ある領域から別の領域への刺激の伝導を遮断するように、及び／又は心臓組織の、さらには神経組織の過活性に対する応答性を低減するように配置される。一部の実施形態では、米国特許第８，３０６，６１６号明細書に記載されるとおりの方法及び／又は装置が使用される。
【０５９６】
従って、本発明の実施形態の別の態様によれば、医学的状態及び／又は疾患の治療のガイドに使用される放射性トレーサー（例えば、本明細書に記載される放射性トレーサーのいずれか１つ又はそれらの任意の組み合わせ）が提供される。一部の実施形態では、医学的状態及び／又は疾患は自律神経系に関連する。一部の実施形態では、放射性トレーサーは放射性ｍＩＢＧ（例えば、Ｉ−１２３−ｍＩＢＧ）である。
【０５９７】
本発明の実施形態の別の態様によれば、医学的状態及び／又は疾患の治療をガイドするための診断用薬剤の製造における放射性トレーサー（例えば、本明細書に記載される放射性トレーサーのいずれか１つ又はそれらの任意の組み合わせ）の使用が提供される。一部の実施形態では、医学的状態及び／又は疾患は自律神経系に関連する。一部の実施形態では、放射性トレーサーは放射性ｍＩＢＧ（例えば、Ｉ−１２３−ｍＩＢＧ）である。
【０５９８】
本明細書に記載される態様のいずれかの一部の実施形態では、本明細書に記載される測定を用いることにより、神経、シナプス中心、例えば神経節神経叢又は他の神経節（例えば、心臓神経節神経叢、骨盤神経叢、腹腔神経節）、及び／又は心臓の外表面のアブレーションがガイドされる。一部の実施形態では、アブレーションの効果をモニタし、任意選択で必要に応じてアブレーションを繰り返し又は変更するため、測定はアブレーションの後（又はその最中）に適用される。
【０５９９】
一部の実施形態では、医学的状態及び／又は疾患は、自律神経系の介入の入力によって引き起こされ、増悪し又は持続するものである。
【０６００】
本発明の一部の実施形態により治療、診断及び／又はモニタされ得る医学的状態及び／又は疾患の例としては、（本明細書に記載される発明の態様のいずれかによれば）、限定なしに、高血圧症、心不整脈、前立腺肥大症（例えば、良性前立腺肥大症）、自己免疫疾患及び障害、糖尿病、ストレス、勃起不全、過敏性腸症候群、甲状腺中毒症、高血圧症、肥大型心筋症、慢性閉塞性肺疾患、失神、甲状腺活性低下症、特発性心不全、喘息、沈着症（例えば、アミロイドーシス、肺の沈着症）、病的体重増加、斜頸（ｔｏｒｔｏｃｏｌｉｓ）（頸部における同側胸鎖乳突筋（ｓｔｅｒｎｏｃｌｅｄｏｍａｓｔｏｉｄ  ｍｕｓｃｌｅ）の収縮）、特発性拡張型心筋症、右室流出路起源頻拍、ブルガダ症候群、ファロー四徴症（修復後）、閉塞性肥大型心筋症、睡眠時無呼吸、喘息、肝代謝異常、多汗症、唾液分泌過剰及び流涙過剰が挙げられる。関節リウマチは自己免疫疾患の非限定的な例である。心房細動は例示的心不整脈である。ＡＮＳ過活性に関連する疾患又は障害の例としては、限定なしに、斜頸（ｔｏｒｔｏｃｏｌｉｓ）（過剰な筋収縮に関連する）、肥大型心筋症、特発性拡張型心筋症、右室流出路起源頻拍、ブルガダ症候群、ファロー四徴症（修復後）、閉塞性肥大型心筋症、沈着症又は肺、睡眠時無呼吸、喘息（気道における過活性に関連する）、肝代謝異常（例えば、ＡＮＳに関連する）、多汗症（皮膚領域における過活性に関連する）、唾液分泌過剰及び流涙過剰が挙げられる。
【０６０１】
一部の実施形態では、本明細書に記載される測定を用いて、例えば神経組織及び／又は関連する組織（例えば、神経組織の神経支配を受ける心臓組織）に対して刺激性又は阻害性の化合物（例えば、薬物）及び／又は神経組織の成長を促進する化合物を溶出させる薬物溶出パッチの位置が選択される。
【０６０２】
一部の実施形態では、診断は、心臓に対する要求量が増加したときに所望のとおりに応答しない心臓の部位を、例えば活性の低下及び／又は機械的応答の低下に基づき同定することを含む。一部の実施形態では、活性化時間及び／又は伝導速度に対する遅延を示すマップが神経活性化と相関付けられる。これにより、例えば、心臓が活性化及び／又は伝導の遅延の問題を補償しようとして過活性になる位置が同定され得る。一部の実施形態では、治療は、例えば神経入力を調節し及び／又は根底にある若しくは関連する心臓病態に影響を及ぼすことにより、特定の領域の活性を平衡させること（又は活性の平衡を所望の形で変化させること）を含む。
【０６０３】
一部の実施形態では、かかる測定を用いて、心臓の一部又は全てにおける肥大及び／又は発育不全の原因が評価される。例えば、右心室心不全患者は弱まった組織が代償性の神経活性化を呈することもあり、ある場合には、それが正常組織にスピルオーバー効果を及ぼし得る。あるレベルを超える神経効果は活性の低下を引き起こし、これは神経刺激の増加を局所的に遮断することにより治療し得る。かかるスピルオーバーはまた、例えば不整脈にも関与する。
【０６０４】
本出願から特許成立までの期間に、シナプス中心のイメージングによって利益を受け得る多くの関連する診断及び治療が開発されることが予想され、用語「診断」及び「治療」の範囲には、事前にかかる新規技術が全て含まれることが意図される。
【０６０５】
シナプス中心活性の調節：
本明細書に例示されるとおり、本明細書に記載されるイメージング方法は、イメージングされたシナプス中心の活性を調節するために用いられるとき、特に有用であり得る。
【０６０６】
従って、本発明の一部の実施形態によれば、治療は、本方法によりイメージングされた少なくとも１つのシナプス中心におけるニューロン活性を調節するステップを含む。
【０６０７】
調節は、任意選択で、異常な自律神経系活性と関連付けられる疾患又は障害を治療する文脈で用いられ得る。
【０６０８】
従って、本発明の一部の実施形態のある態様によれば、異常な自律神経系活性と関連付けられる疾患又は障害を治療する方法が提供され、本方法は、必要とする対象における疾患又は障害と関連付けられる自律神経系の少なくとも１つのシナプス中心を、本明細書に記載される方法によりイメージングするステップと、イメージングの結果に基づき疾患又は障害を治療するステップとを含む。一部の実施形態では、治療は、イメージングによりイメージングされた少なくとも１つのシナプス中心におけるニューロン活性を調節するステップであって、それにより疾患又は障害を治療するステップを含む。
【０６０９】
本明細書に記載される発明の態様のいずれかの一部の実施形態によれば、本明細書に記載されるイメージング方法は、少なくとも１つのシナプス中心のイメージングに基づき治療をガイドするステップをさらに含む。
【０６１０】
一部の実施形態では、治療は、シナプス中心（例えば、神経節、神経節神経叢）の局所治療を含み、ここでは本明細書に記載されるとおりのシナプス中心のイメージングを用いて局所治療がガイドされる。局所治療の例としては、限定なしに、神経組織（例えば、シナプス中心）のアブレーション（例えば、レーザーアブレーション、高周波アブレーション、ロトアブレーション（ｒｏｔｏａｂｌａｔｉｏｎ））、シナプス中心の刺激、及び治療剤の局所投与が挙げられる。
【０６１１】
本発明の一部の実施形態によれば、調節するステップはシナプス中心のアブレーションを含む。
【０６１２】
本発明の一部の実施形態によれば、調節されるシナプス中心は、心臓神経節神経叢、骨盤神経叢及び腹腔神経節からなる群から選択される。
【０６１３】
一部の実施形態では、本方法はカテーテル留置手技を含む。一部の実施形態では、カテーテル留置手技は、本明細書に記載されるイメージング方法によりガイドされる。
【０６１４】
本発明の一部の実施形態によれば、疾患又は障害は、心不整脈、前立腺肥大症、自己免疫疾患又は障害、糖尿病、ストレス、勃起不全、及び過敏性腸症候群からなる群から選択される。
【０６１５】
かかる病態の治療は、本明細書の実施例の節にさらに詳細に記載される。
【０６１６】
一部の実施形態では、放射性トレーサーデータ（例えば、ＳＰＥＣＴデータ）を本明細書に記載されるとおりの解剖学的データと組み合わせることにより、心房における神経節叢（ＧＰ）の位置が特定される。これは、解剖学的データと放射性トレーサーデータ（例えば、ＳＰＥＣＴデータ）との組み合わせに基づき医療手技、例えばカテーテル留置手技をガイドすることを可能にする。
【０６１７】
一部の実施形態では、治療は、心房近傍での神経組織、例えば１つ以上の心臓神経節神経叢（ＧＰ）のアブレーション（例えば、高周波アブレーション）を含む。一部のかかる実施形態において、放射性トレーサーデータはＳＰＥＣＴによって入手され、（例えば、本明細書に記載されるとおりの）解剖学的データと組み合わされる。一部の実施形態では、解剖学的データもまた、本明細書に記載されるとおり、ＳＰＥＣＴによって（例えば、Ｔｃ−９９ｍ放射性標識造影剤を使用して）入手される。
【０６１８】
一部の実施形態では、（例えば、本明細書に記載されるとおりの）ＧＰの位置特定により、操作者に対してＧＰがどこに位置するかが指示され、操作者はそれらの一部又は全てを、カテーテルの先端に位置するアブレーションユニット、例えば国際特許出願ＰＣＴ／ＩＬ２０１３／０５１０４５号明細書（これは参照により本明細書に援用される）に記載されるとおりのアブレーションユニットを操作してアブレーションすることが可能となる。一部の実施形態では、位置特定はＳＰＥＣＴ放射性トレーサーデータと解剖学的データとの組み合わせを使用して実施される。アブレーションユニットは、任意選択で、上記のＧＰ及び／又は別のシナプス中心の一部又は全ての近くにガイドされるとき、高頻度刺激に使用される。一部の実施形態では、予め取得済みのセグメンテーション画像、例えばＣａｒｔｏＭｅｒｇｅ（商標）モジュールなどの画像積分モジュールによってインポートされた、例えば上記のＧＰの一部又は全ての位置を示すモデルからの解剖学的イメージングデータが使用される。任意選択で、治療されたＧＰに関連するデータ、例えば、周囲のエリアにおける心外膜脂肪、例えばＧＰが位置する脂肪パッドの空間分布及び／又は厚さが取得され、イメージング及び／又は治療プロセスのガイドに使用される。ＧＰのアブレーションは、発作性又は持続性心房細動を有する患者にとってオプションとなる治療である。
【０６１９】
任意選択で、放射性トレーサーデータ（ＳＰＥＣＴデータ）は、解剖学的データと組み合わせる前にセグメンテーションされる。例えば、肺静脈（ＰＶ）セクション、左心房（ＬＡ）セクション、及び／又はＧＰが、任意選択でモデルとの一致に基づきセグメンテーションされる。
【０６２０】
ここで図５を参照し、この図５は、本発明の一部の実施形態に係る、標的エリアとして心房における連続性分裂心房電位（ＣＦＡＥ）部位、収縮力（ＣＦ）部位、及び／又はドミナント周波数（ＤＦ）部位をマッピングすることによるアブレーション治療の実施方法のフローチャートである。初めに、ＣＦＡＥ、ＣＦ、及びＤＦ部位がマッピングされる。次に、ＣＦＡＥ、ＣＦ及び／又はＤＦの間、及び／又はＣＦＡＥ、ＣＦ、ＤＦ及び／又はＧＰの間の共通部分が計算される。これらの共通部分は、解剖学的に既知のＧＰ、例えば上述のＧＰの予測される部位を含むものであってもよく、予め取得された位置特定済みのＧＰ、例えば放射性トレーサーデータ（例えば、ＳＰＥＣＴデータ）に同定されるＧＰを含むものであってもよく、及び／又は高頻度刺激によりリアルタイムで位置が決定されるＧＰを含む共通部分であってもよい。次に、共通部分がアブレーションの標的エリアとして選択される。一部の実施形態では、ＣＦＡＥ部位と少なくとも１つのＧＰとの間の共通部分がアブレーションの標的とされる。一部の実施形態では、ＣＦＡＥ部位とＤＦ部位と少なくとも１つのＧＰとの間の共通部分がアブレーションの標的とされる。一部の実施形態では、ＣＦＡＥ部位とＣＦ部位と少なくとも１つのＧＰとの間の共通部分がアブレーションの標的とされる。任意選択で、部分的な共通部分より完全な共通部分が好ましい。
【０６２１】
一部の実施形態では、本方法は、以下のＧＰ：左上ＧＰ（ＳＬＧＰ）、左下ＧＰ（ＩＬＧＰ）、右前ＧＰ（ＡＲＧＰ）、右下ＧＰ（ＩＲＧＰ）、及びマーシャルＧＰから少なくとも１つのＧＰを同定するステップ、及び任意選択で、この同定に基づき少なくとも１つのＧＰに提供される治療をガイドするステップを含む。
【０６２２】
本出願から特許成立までの期間にシナプス活性の活性を調節するための多くの関連技術が開発されるであろうことが予想され、用語「調節する」の範囲には、事前にかかる新規技術が全て含まれることが意図される。
【０６２３】
一般的定義：
本明細書で使用されるとき、用語「約」は±１０％を指す。
【０６２４】
用語「〜を含む（ｃｏｍｐｒｉｓｅｓ）」、「〜を含んでいる（ｃｏｍｐｒｉｓｉｎｇ）」、「〜を含む（ｉｎｃｌｕｄｅｓ）」、「〜を含んでいる（ｉｎｃｌｕｄｉｎｇ）」、「〜を有する（ｈａｖｉｎｇ）」及びこれらの活用形は、「限定はされないが、〜を含む」を意味する。この用語は、用語「〜からなる（ｃｏｎｓｉｓｔｉｎｇ  ｏｆ）」及び「〜から本質的になる（ｃｏｎｓｉｓｔｉｎｇ  ｅｓｓｅｎｔｉａｌｌｙ  ｏｆ）」を包含する。
【０６２５】
語句「〜から本質的になる（ｃｏｎｓｉｓｔｉｎｇ  ｅｓｓｅｎｔｉａｌｌｙ  ｏｆ）」は、組成物又は方法がさらなる成分及び／又はステップを含み得るが、但しそれはそのさらなる成分及び／又はステップが特許請求される組成物又は方法の基本的な且つ新規の特徴を実質的に変化させない場合に限られることを意味する。
【０６２６】
本明細書で使用されるとき、単数形「ａ」、「ａｎ」及び「ｔｈｅ」は、文脈上特に明確に指示されない限り複数形の参照を含む。例えば、用語「化合物（ａ  ｃｏｍｐｏｕｎｄ）」又は「少なくとも１つの化合物」は複数の化合物を、それらの混合物を含めて含み得る。
【０６２７】
語句「例示的」は、本明細書では、「一例、事例又は例示として提供される」ことを意味して使用される。「例示的」と記載される任意の実施形態は、必ずしも他の実施形態と比べて好ましい又は有利である及び／又は他の実施形態からの特徴を取り入れることを排除すると解釈されるべきものではない。
【０６２８】
語句「任意選択で」は、「一部の実施形態では提供され、他の実施形態では提供されない」ことを意味して使用される。本発明の任意の特定の実施形態は複数の「任意選択の」特徴を、かかる特徴が矛盾を生じない限り含み得る。
【０６２９】
本願全体を通して、本発明の種々の実施形態が範囲形式で提示され得る。範囲形式での記載は単に便宜上のもので、簡潔にするために過ぎないことが理解されなければならず、本発明の範囲に関する柔軟性のない限定として解釈されてはならない。従って、ある範囲の記載は、具体的に開示される全ての可能な部分範囲並びに当該の範囲内にある個々の数値を有するものと考えるべきである。例えば、１〜６などの範囲の記載は、１〜３、１〜４、１〜５、２〜４、２〜６、３〜６等の具体的に開示される部分範囲、並びに当該の範囲内にある個々の数値、例えば、１、２、３、４、５、及び６を有するものと考えるべきである。これは、その範囲の広さに関わらず適用される。
【０６３０】
本明細書において数値の範囲が指示される場合は常に、指示される範囲内の任意の挙げられる数値（分数又は整数）を含むことが意図される。第１の指示数値と第２の指示数値と「の間を範囲としている／範囲とする」、及び第１の指示数値「から」第２の指示数値「までを範囲としている／範囲とする」という語句は、本明細書では同義的に使用され、第１及び第２の指示数値並びにそれらの間の全ての分数値及び整数値を含むことが意図される。
【０６３１】
明確にするため別個の実施形態の文脈で記載される本発明の特定の特徴はまた、単一の実施形態に組み合わせて提供されてもよいことが理解される。逆に、簡略にするため単一の実施形態の文脈で記載される本発明の様々な特徴がまた、別個に、又は任意の好適な部分的組み合わせで、又は本発明の任意の他の記載される実施形態において好適なものとして提供されてもよい。様々な実施形態の文脈で記載される特定の特徴は、それらの要素なしにはその実施形態が実施不可能でない限り、それらの実施形態の不可欠な特徴であると考えるべきではない。
【０６３２】
以上に概説するとおりの、及び以下の特許請求の範囲の節に請求するとおりの本発明の様々な実施形態及び態様について、以下の実施例に実験的裏付けが見出される。
【実施例】
【０６３３】
ここで以下の例を参照し、これらは上記の記載と併せて本発明の一部の実施形態を非限定的な形で例示する。
【０６３４】
実施例１
心臓におけるアドレナリン作動性シナプス活性のイメージング
ヒト患者に対し、交感神経系のアドレナリン作動性シナプス用放射性トレーサーであるＩ−１２３放射性標識ｍＩＢＧを投与した。Ｄ−ＳＰＥＣＴ（登録商標）心臓イメージングシステム（Ｓｐｅｃｔｒｕｍ  Ｄｙｎａｍｉｃｓ、イスラエル）を使用したＳＰＥＣＴにより、ｍＩＢＧ分布に基づく画像を得た。Ｘ線ＣＴイメージングを実施し、且つ得られたＸ線ＣＴ画像をセグメンテーションすることにより、心臓の解剖学的構造を決定した。次にＸ線ＣＴデータをＳＰＥＣＴデータと組み合わせることにより、心臓におけるｍＩＢＧ分布を示す画像を作成した。左心房及び右心室におけるアドレナリン作動性シナプス活性のレベルを示す画像を図６Ａ〜図８Ｂに提供する。
【０６３５】
図６Ａ〜図６Ｄ、並びに図７Ａ及び図７Ｂに示されるとおり、高レベルのアドレナリン作動性シナプス（赤色）を含む領域が左心房の特定の領域に観察された一方、左心房のほとんどが低レベルのアドレナリン作動性シナプス（緑色）によって特徴付けられた。図６Ａは、左下肺静脈に高レベルのアドレナリン作動性シナプスがあることを示す。図６Ｃは、右上肺静脈に高レベルのアドレナリン作動性シナプスがあることを示す。
【０６３６】
図８Ａ及び図８Ｂに示されるとおり、高レベルのアドレナリン作動性シナプス（赤色）を含む領域が心室中隔の領域に観察された一方、右心室の残りの部分は低レベルのアドレナリン作動性シナプス（緑色）によって特徴付けられた。
【０６３７】
心室中隔に関連する活性の「ホットスポット」は、当該技術分野において一見したところ知られておらず、これまで治療及び／又は診断の計画に用いられてこなかったことから、特に興味深い。
【０６３８】
実施例２
心臓神経節神経叢のイメージング
心臓神経節神経叢をイメージングするため、ボディ・マス・インデックス（ＢＭＩ）が２２（身長１７６ｃｍ；体重６９ｋｇ）であり、且つ心室性不整脈、胸部不快感、低駆出率（ＬＶＥＦ（左心室駆出率）＝３５％）、及び非虚血性心筋症の病歴を有する６０歳男性対象にＩ−１２３放射性標識ｍＩＢＧを投与し、Ｄ−ＳＰＥＣＴ（登録商標）心臓イメージングシステム（Ｓｐｅｃｔｒｕｍ  Ｄｙｎａｍｉｃｓ、イスラエル）を使用したＳＰＥＣＴにより、ｍＩＢＧ分布に基づく画像を得た。Ｘ線ＣＴイメージングを実施し、且つ得られたＸ線ＣＴ画像をセグメンテーションすることにより、心臓の解剖学的構造及びその周囲を決定した。次に、図１に記載されるとおり、Ｘ線ＣＴデータをＳＰＥＣＴデータと組み合わせて心臓の領域におけるｍＩＢＧ分布を示す画像を作成した。
【０６３９】
図９Ａ〜図９Ｃ及び図１０Ａ〜図１０Ｃは、対象の心臓に隣接する３つの同定された（比較的大きい）シナプス中心の位置を示す。図１０Ｃは、３つの同定されたシナプス中心に加えて、心房におけるアドレナリン作動性シナプスの軽微な（即ち、比較的小さい）中心（心房表面の赤色の陰影）をさらに示す。
【０６４０】
図１０Ｂに示されるとおり、同定されたシナプス中心の位置は、Ａｒｍｏｕｒ  ｅｔ  ａｌ．［Ａｎａｔｏｍｉｃａｌ  Ｒｅｃｏｒｄ  １９９７，２４７：２８９−２９８］によって報告されるとおりの、前下行神経節神経叢、右心房上部神経節神経叢及び左心房後内側部神経節神経叢の典型的な位置と相関する。
【０６４１】
これらの結果は、本明細書に記載される技術が心臓神経節神経叢を検出して描出することを示している。
【０６４２】
実施例３
心臓神経節神経叢のイメージング、検証及びアブレーション
実施例２に記載されるとおりのイメージングによる心臓ＧＰ（神経節神経叢）位置の同定を検証し、且つアブレーション療法におけるかかるイメージングの有用性を評価するため、電気生理学的試験を実施した。
【０６４３】
実施例２に記載する手順を用いて、病歴が発作性心房細動、ＰＶＩ（肺静脈隔離術）及びＣＶＩ（下大静脈−三尖弁輪間峡部）のカテーテルアブレーション、並びに正常ＬＶ（左心室）収縮（（ＬＶＥＦ（左心室駆出率）＝６０％、ＬＶＤｄ（左心室拡張末期径）＝４７ｍｍ、及びＬＡＤ（左心房径）＝３６ｍｍ）の４７歳男性対象の心臓に隣接して、神経節叢（ＧＰ）に相当する４つのシナプス中心を同定した。
【０６４４】
４つのＧＰをイメージングし、同定した後、心電図記録法によって決定されるとおりの、高頻度刺激（ＨＦＳ）に対する個々の標的部位の応答を計測することにより、検証を実施した。
【０６４５】
初めは、イメージングされたＧＰに関連しない部位をＨＦＳに供した。この部位は図１１に示す。
【０６４６】
図１２に示されるとおり、イメージングされたＧＰに関連しない部位はＨＦＳに反応しなかった。
【０６４７】
次にＨＦＳを、上述の画像でＧＰの位置として同定された部位に実施した。１つの部位は、図１３Ａ及び図１３Ｂに示すＲＩＰＶ（右下肺静脈）ＧＰ位置であった。
【０６４８】
図１４に示されるとおり、イメージングされたＲＩＰＶ  ＧＰに関連する部位は、ＨＦＳに対して正の応答を呈した。イメージングされたＲＩＰＶ  ＧＰに関連する部位に対するＨＦＳの適用を繰り返すと、さらなる正の応答を呈した（データは示さず）。
【０６４９】
同様に、イメージングされたＬＩＰＶ  ＧＰに関連する部位は、ＨＦＳに対して正の応答を呈した（データは示さず）。
【０６５０】
かかる実験において、イメージングされた神経節神経叢に関連する部位は、限られた回数のＨＦＳセッションに対して１００％の正の応答率を呈した一方、イメージングされた神経節神経叢に関連しない部位は、同じＨＦＳ治療に対し、５０回より多く適用した場合にも負の応答を呈した（データは示さず）。
【０６５１】
上記の結果から、本明細書に記載される技術が心臓神経節神経叢を正確に検出して描出することが確認される。
【０６５２】
次にＧＰの画像を使用してＧＰをアブレーションした。低出力（最大２０Ｗ）による５回のアブレーションセッションを、カテーテルによって図１５Ａ及び図１５Ｂに示すとおりのＬＩＰＶ  ＧＰ位置に適用した。
【０６５３】
図１６に示すとおり、ＬＩＰＶ  ＧＰは、アブレーションに供した後、局所的にＨＦＳを加えると負の応答を呈した。ＨＦＳの反復も同様に、ＬＩＰＶ  ＧＰから正の応答を生じさせることはできなかった（データは示さず）。
【０６５４】
同様にＲＩＰＶ  ＧＰも、３回の低出力（最大２０Ｗ）のアブレーションセッションに供した後、ＨＦＳを局所的に２回加えると負の応答を呈した（データは示さず）。
【０６５５】
これらの結果は、本明細書に記載される技術を使用した神経節神経叢のイメージングをアブレーションと組み合わせることにより、限られた出力及び限られた回数のアブレーションセッションを用いる場合であっても、神経節神経叢の有効なアブレーションが実現することを示している。
【０６５６】
実施例４
放射性薬剤の組み合わせを使用したイメージング
過去に心臓アブレーション治療を受けたことのある患者をストレス試験に供し、ピークストレス時にＴｃ−９９ｍ放射性標識セスタミビ（３００ＭＢｑ）を注入した。Ｄ−ＳＰＥＣＴ（商標）装置を使用して、１００万左心室（ＬＶ）カウントを含むゲートＳＰＥＣＴデータを取得した。
【０６５７】
対象を診療台に乗せた状態でＩ−１２３放射性標識ｍＩＢＧ（１５０ＭＢｑ）を注入した。患者を未だ診療台に乗せた状態で、ｍＩＢＧ注入の１０分後に遅延再分布（ＤＲ）ＳＰＥＣＴ画像を２０分間取得した（早期ｍＩＢＧ）。
【０６５８】
次に、初回セスタミビ注入の約３時間後、安静時にＴｃ−９９ｍ放射性標識セスタミビ（８００ＭＢｑ）を注入した。ｍＩＢＧ注入の４時間後に第２セットのＤＲ  ＳＰＥＣＴ画像を２０分間取得した（後期ｍＩＢＧ及びセスタミビ安静、１００万ＬＶカウント）。
【０６５９】
心臓組織の種々の領域の神経支配レベルを特徴付けるため、図４に示す（上記に記載するとおりの）方法によりｍＩＢＧデータを分析した一方、心臓組織の種々の領域の（セスタミビ灌流により示されるとおりの）バイタリティを特徴付けるため、セスタミビデータを分析した。神経支配及びバイタリティの分布を比較した。
【０６６０】
図１７は、本発明の例示的実施形態における、左心房７０２の３つのＳＰＥＣＴ画像のセット７００である。左の画像は、セスタミビ分布を表すＳＰＥＣＴデータを使用して再構成したもので、セスタミビ分布はバイアビリティを示す。赤色のエリア７０４は低バイタリティ（アブレーション治療に少なくとも部分的に関連すると考えられる）を示し、黄色のエリア７０６（細いバンドとして見える）は中程度のバイタリティを示し、及び周囲の緑色のエリアは高バイタリティを示す。中央の画像は、ｍＩＢＧ分布を表すＳＰＥＣＴデータを使用して再構成したもので、ｍＩＢＧ分布はシナプスによる神経支配を示す。赤色のエリア７１０は、比較的高レベルの神経支配によって特徴付けられる周囲の緑色のエリアと比較したとき低レベルの神経支配によって特徴付けられるエリアを示す。右の画像は、低バイアビリティとの組み合わせでの比較的高レベルの神経支配によって特徴付けられる青色のエリア７１２、及び高バイタリティとの組み合わせでの低レベルの神経支配によって特徴付けられるオレンジ色のエリア７１４を示す。周囲の緑色のエリアは神経支配及びバイタリティのレベル間の一致によって特徴付けられ、例えば、神経支配及びバイタリティが両方とも比較的低いか、又は両方とも比較的高い。
【０６６１】
図１８は、本発明の例示的実施形態における、左心室８０２の３つのＳＰＥＣＴ画像のセット８００である。左の画像は、セスタミビ分布を表すＳＰＥＣＴデータを使用して再構成したもので、セスタミビ分布はバイアビリティを示す。赤色のエリア８０４は低バイタリティを示し、黄色のエリア８０６（細いバンドとして見える）は中程度のバイタリティを示し、及び周囲の緑色のエリアは高バイタリティを示す。中央の画像は、ｍＩＢＧ分布を表すＳＰＥＣＴデータを使用して再構成したもので、ｍＩＢＧ分布はシナプスによる神経支配を示す。赤色のエリア８１０は、比較的高レベルの神経支配によって特徴付けられる周囲の緑色のエリアと比較したとき低レベルの神経支配によって特徴付けられるエリアを示す。右の画像は、低バイアビリティとの組み合わせでの比較的高レベルの神経支配によって特徴付けられる青色のエリア８１２、及び高バイタリティとの組み合わせでの低レベルの神経支配によって特徴付けられるオレンジ色のエリア８１４を示す。周囲の緑色のエリアは神経支配及びバイタリティのレベル間の一致によって特徴付けられ、例えば、神経支配及びバイタリティが両方とも比較的低いか、又は両方とも比較的高い。
【０６６２】
実施例４
良性前立腺肥大症（ＢＰＨ）の診断及び治療
良性前立腺肥大症（ＢＰＨ）は、前立腺に発症する最も一般的な良性障害である。
【０６６３】
交感神経及び／又は副交感神経緊張の調節が前立腺肥大症に影響を及ぼし得るというエビデンスが多数ある。ノルエピネフリンはインビトロで前立腺間質細胞に対して直接的な分裂促進作用を及ぼす。ラットにおける節前交感神経切除術では、細胞サイズ及び細胞数の変化により腹側前立腺葉の重量が２２．７％低下し、節前副交感神経切除術では、除神経側の重量が８．３％低下した一方、インタクトな側の重量が２４．８％増加した。節前副交感神経切除術及び交感神経切除術の併用効果は、個別に実施した各除神経タイプの効果の合計と等しかった。
【０６６４】
加えて、ノルアドレナリン作動性交感神経により引き起こされる平滑筋収縮が尿道の収縮をもたらし、ＢＰＨの臨床症状に寄与する。アドレナリン受容体遮断薬が、ＢＰＨ症状を軽減するために一般的に用いられる。
【０６６５】
図１９は、異常なＡＮＳ活性に関連するＢＰＨの例示的な診断及び／又は治療手順を記載する。骨盤（全骨盤又は前立腺近傍にある骨盤の一部分）の画像が、（例えば、本明細書に記載されるとおりの）ＡＮＳ活性のマーカーとしての使用に好適な放射性トレーサーを使用して得られる。この情報が骨盤（全骨盤又は前立腺近傍にある骨盤の一部分）の取得済みの解剖学的画像と同時レジスタリングされる。同時レジスタリングされた情報を使用して、ＡＮＳ過活性（過剰な交感神経及び／又は副交感神経活性）を呈する少なくとも１つの解剖学的領域が同定され、それによりＢＰＨに関連する異常なＡＮＳ活性が診断される。
【０６６６】
任意選択で、同定されたＡＮＳ過活性領域に治療を適用して、例えば当該の領域におけるＡＮＳ活性を（例えば、アブレーションにより）阻害することにより、治療が行われる。任意選択で、任意の好適な手段によって、例えば同定された領域においてニューロンの高頻度刺激を実施し、且つ血圧、血液動態反応などの、ニューロン活性の１つ以上のマーカーを測定することにより、治療の生理学的効果が評価される。
【０６６７】
一部の実施形態において、治療によっては同定された領域におけるＡＮＳ過活性が軽減又は消失しない場合、治療手順が繰り返される。
【０６６８】
実施例５
勃起障害の診断及び治療
陰茎勃起は、ＡＮＳによって制御される血管イベントである。交感神経経路は勃起抑制性であり、仙骨副交感神経経路は勃起促進性である。陰茎勃起は、交感神経及び副交感神経の両方のニューロン及び神経節を含む下下腹神経叢（「骨盤神経叢」としても知られる）のニューロンによって調節されるとともに、交感神経ニューロンを含む陰部神経によっても調節される。
【０６６９】
図２０は、勃起障害の例示的な診断及び／又は治療手順を記載する。骨盤（全骨盤又は陰茎近傍にある骨盤の一部分）の画像が、（例えば、本明細書に記載されるとおりの）ＡＮＳ活性のマーカーとしての使用に好適な放射性トレーサーを使用して得られる。この情報が骨盤（全骨盤又は陰茎近傍にある骨盤の一部分）の取得済みの解剖学的画像と同時レジスタリングされる。同時レジスタリングされた情報を使用して、ＡＮＳ過活性又は活性低下（例えば、過剰な交感神経活性及び／又は欠損した副交感神経活性）を呈する少なくとも１つの解剖学的領域が同定され、それにより勃起障害に関連する異常なＡＮＳ活性が診断される。
【０６７０】
任意選択で、同定されたＡＮＳ過活性又は活性低下領域に治療を適用して、例えば当該の領域における交感神経活性を（例えば、アブレーションにより）阻害することにより、治療が行われる。任意選択で、任意の好適な手段によって、例えば同定された領域においてニューロンの高頻度刺激を実施し、且つ血圧、血液動態反応などの、ニューロン活性の１つ以上のマーカーを測定することにより、治療の生理学的効果が評価される。
【０６７１】
一部の実施形態において、治療によっては同定された領域におけるＡＮＳ過活性又は活性低下が軽減又は消失しない場合、治療手順が繰り返される。
【０６７２】
実施例６
糖尿病の診断及び治療
肝臓代謝はＡＮＳ神経支配の影響を受け、ＡＮＳ神経支配は、腹腔神経節に関連する交感神経支配と、肝臓迷走神経枝及び右後横隔膜下迷走神経による副交感神経支配とを含む。
【０６７３】
図２１は、肝臓、膵臓及び／又は腸における異常なＡＮＳ活性に関連する糖尿病の例示的な診断及び／又は治療手順を記載する。腹部（全腹部又は肝臓、膵臓及び／又は腸の近傍にある腹部の一部分）の画像が、（例えば、本明細書に記載されるとおりの）ＡＮＳ活性のマーカーとしての使用に好適な放射性トレーサーを使用して得られる。この情報が腹部（全腹部又は肝臓、膵臓及び／又は腸の近傍にある腹部の一部分）の取得済みの解剖学的画像と同時レジスタリングされる。同時レジスタリングされた情報を使用して、（例えば、交感神経及び／又は副交感神経活性の）ＡＮＳ過活性又は活性低下を呈する少なくとも１つの解剖学的領域が同定され、それにより糖尿病に関連する異常なＡＮＳ活性が診断される。
【０６７４】
任意選択で、同定されたＡＮＳ過活性又は活性低下領域に治療を適用して、例えば当該の領域における交感神経及び／又は副交感神経活性を（例えば、アブレーションにより）阻害することにより、治療が行われる。任意選択で、任意の好適な手段によって、例えば同定された領域においてニューロンの高頻度刺激を実施し、且つ血圧、血液動態反応などの、ニューロン活性の１つ以上のマーカーを測定することにより、治療の生理学的効果が評価される。
【０６７５】
一部の実施形態において、治療によっては同定された領域におけるＡＮＳ過活性又は活性低下が軽減又は消失しない場合、治療手順が繰り返される。
【０６７６】
実施例７
関節炎の診断及び治療
神経系は免疫系と連絡する。関節炎は、脾臓の門部及び赤脾髄における交感神経密度の増加、並びに脾臓の門部より遠位の領域及び白脾髄における交感神経密度の低下と関連することが分かっている。この神経再分布は、関節炎の慢性炎症期に寄与する免疫機能の調節において決定的に重要であり得る。
【０６７７】
図２２は、脾臓における異常なＡＮＳ活性に関連する関節炎（例えば、関節リウマチ）の例示的な診断及び／又は治療手順を記載する。腹部（全腹部又は脾臓近傍にある腹部の一部分）の画像が、（例えば、本明細書に記載されるとおりの）ＡＮＳ活性のマーカーとしての使用に好適な放射性トレーサーを使用して得られる。この情報が腹部（全腹部又は脾臓近傍にある腹部の一部分）の取得済みの解剖学的画像と同時レジスタリングされる。同時レジスタリングされた情報を使用して、ＡＮＳ過活性又は活性低下（例えば、赤脾髄における交感神経の過活性及び／又は白脾髄における交感神経の活性低下）を呈する少なくとも１つの解剖学的領域が同定され、それにより関節炎に関連する異常なＡＮＳ活性が診断される。
【０６７８】
任意選択で、同定されたＡＮＳ過活性又は活性低下領域に治療を適用して、例えば当該の領域における交感神経活性を（例えば、アブレーションにより）阻害することにより、治療が行われる。任意選択で、任意の好適な手段によって、例えば同定された領域においてニューロンの高頻度刺激を実施し、且つ血圧、血液動態反応などの、ニューロン活性の１つ以上のマーカーを測定することにより、治療の生理学的効果が評価される。
【０６７９】
一部の実施形態において、治療によっては同定された領域におけるＡＮＳ過活性又は活性低下が軽減又は消失しない場合、治療手順が繰り返される。
【０６８０】
実施例８
過敏性腸症候群の診断及び治療
過敏性腸症候群は、例えば髄膜の圧迫による神経系活性の変化と関連し得る。神経系は食物が消化器系を通過する速度を制御するため、この神経系の変化が速度の増加をもたらし得ることで下痢が引き起こされることもあり、又は速度の低下をもたらし得ることで便秘が引き起こされることもある。髄膜の圧迫は、事故、外傷及びさらにはストレスにより引き起こされ得る。神経が引っ張られて刺激されることにより脳へのインパルスが不規則となり、これが脳によって痛み、そう痒感、灼熱感、冷感、しびれ感又は他の感覚として解釈され得る。加えて、過剰な交感神経活性が、アドレナリン産生に関連する憂鬱な気持ちなどの負の感情をもたらす一方、正常な消化活動に関連する副交感神経活性を阻害し得る。
【０６８１】
図２３は、異常なＡＮＳ活性に関連する過敏性腸症候群の例示的な診断及び／又は治療手順を記載する。腹部（全腹部又は腹腔神経叢近傍にある腹部の一部分）の画像が、（例えば、本明細書に記載されるとおりの）ＡＮＳ活性のマーカーとしての使用に好適な放射性トレーサーを使用して得られる。この情報が腹部（全腹部又は腹腔神経叢近傍にある腹部の一部分）の取得済みの解剖学的画像と同時レジスタリングされる。同時レジスタリングされた情報を使用して、ＡＮＳ過活性又は活性低下（例えば、交感神経の過活性及び／又は副交感神経の活性低下）を呈する少なくとも１つの解剖学的領域が同定され、それにより過敏性腸症候群に関連する異常なＡＮＳ活性が診断される。
【０６８２】
任意選択で、同定されたＡＮＳ過活性又は活性低下領域に治療を適用して、例えば当該の領域における交感神経活性を（例えば、アブレーションにより）阻害することにより、治療が行われる。任意選択で、任意の好適な手段によって、例えば同定された領域においてニューロンの高頻度刺激を実施し、且つ血圧、血液動態反応などの、ニューロン活性の１つ以上のマーカーを測定することにより、治療の生理学的効果が評価される。
【０６８３】
一部の実施形態において、治療によっては同定された領域におけるＡＮＳ過活性又は活性低下が軽減又は消失しない場合、治療手順が繰り返される。
【０６８４】
本発明はその具体的な実施形態と併せて記載されているが、多くの代替例、改良例及び変形例が当業者に明らかであろうことは明白である。従って、添付の特許請求の範囲の趣旨及び広義の範囲の中に含まれるかかる代替例、改良例及び変形例が全て包含されることが意図される。
【０６８５】
本明細書において言及される全ての刊行物、特許及び特許出願は、本明細書において、それぞれ個々の刊行物、特許又は特許出願が具体的且つ個々に参照により本明細書に援用されることが示されたものとするのと同程度に全体として参照により本明細書に援用される。加えて、本願における任意の参考文献の引用又は特定は、かかる参考文献が本発明の先行技術として利用可能であることを認めるものと解釈されてはならない。節の見出しが使用される限りにおいて、それらが必然的に限定するものであると解釈されてはならない。
【図１】
0006682273.tif 000012
【図２】
0006682273.tif 000013
【図３】
0006682273.tif 000014
【図４】
0006682273.tif 000015
【図５】
0006682273.tif 000016
【図６Ａ】
0006682273.tif 000017
【図６Ｂ】
0006682273.tif 000018
【図６Ｃ】
0006682273.tif 000019
【図６Ｄ】
0006682273.tif 000020
【図７Ａ】
0006682273.tif 000021
【図７Ｂ】
0006682273.tif 000022
【図８Ａ】
0006682273.tif 000023
【図８Ｂ】
0006682273.tif 000024
【図９Ａ】
0006682273.tif 000025
【図９Ｂ】
0006682273.tif 000026
【図９Ｃ】
0006682273.tif 000027
【図１０Ａ】
0006682273.tif 000028
【図１０Ｂ】
0006682273.tif 000029
【図１０Ｃ】
0006682273.tif 000030
【図１１】
0006682273.tif 000031
【図１２】
0006682273.tif 000032
【図１３Ａ】
0006682273.tif 000033
【図１３Ｂ】
0006682273.tif 000034
【図１４】
0006682273.tif 000035
【図１５Ａ】
0006682273.tif 000036
【図１５Ｂ】
0006682273.tif 000037
【図１６】
0006682273.tif 000038
【図１７】
0006682273.tif 000039
【図１８】
0006682273.tif 000040
【図１９】
0006682273.tif 000041
【図２０】
0006682273.tif 000042
【図２１】
0006682273.tif 000043
【図２２】
0006682273.tif 000044
【図２３】
0006682273.tif 000045